(57)【要約】【課題】携帯端末及び携帯端末の制御方法を提供する。【解決手段】携帯端末が、該携帯端末に既登録のＢＬＥデバイスの通信半径内に位置する段階と、ＢＬＥデバイスから該ＢＬＥデバイスの識別情報を受信する段階と、受信されたＢＬＥデバイスの識別情報に対応する機能情報を抽出する段階と、抽出された機能情報に対応する既設定の機能を遂行する段階と、を含むことを特徴とする携帯端末の制御方法である。【選択図】図５１
2014110637.tif 000002
【特許請求の範囲】
【請求項１】
携帯端末が、前記携帯端末に既登録のＢＬＥ（ブルートゥース低エネルギー）デバイスの通信半径内に位置する段階と、
前記ＢＬＥデバイスから、前記ＢＬＥデバイスの識別情報を受信する段階と、
前記受信されたＢＬＥデバイスの識別情報に対応する機能情報を抽出する段階と、
前記抽出された機能情報に対応する既設定の機能を遂行する段階と、を含むことを特徴とする携帯端末の制御方法。
【請求項２】
前記携帯端末の制御方法は、
前記携帯端末で支援する少なくとも１つの機能と前記ＢＬＥデバイスとを連結させるユーザ入力を受信する段階と、
前記ユーザ入力に基づいて、前記ＢＬＥデバイスの識別情報と、前記少なくとも１つの機能とをマッピングしてメモリに保存する段階と、をさらに含むことを特徴とする請求項に１記載の携帯端末の制御方法。
【請求項３】
前記ユーザ入力を受信する段階は、
１つの前記ＢＬＥデバイスと複数の機能とを連結させるユーザ入力を受信する段階を含み、
前記保存する段階は、
前記ＢＬＥデバイスの識別情報と前記複数の機能とをマッピングして保存する段階を含むことを特徴とする請求項２に記載の携帯端末の制御方法。
【請求項４】
前記ユーザ入力を受信する段階は、
１つの前記ＢＬＥデバイスと前記複数の機能とを時間によって区別して連結させるユーザ入力を受信する段階を含むことを特徴とする請求項３に記載の携帯端末の制御方法。
【請求項５】
前記既設定の機能は、
文字伝送機能、通話連結機能及びコンデンツ再生機能のうち少なくとも一つを含むことを特徴とする請求項１に記載の携帯端末の制御方法。
【請求項６】
前記既設定の機能を遂行する段階は、
前記既設定の機能を遂行するためのアプリケーションを抽出する段階と、
前記抽出されたアプリケーションを実行する段階と、をさらに含むことを特徴とする請求項１に記載の携帯端末の制御方法。
【請求項７】
前記機能情報を抽出する段階は、
前記ＢＬＥデバイスが感知したセンシング情報を前記ＢＬＥデバイスから受信する段階と、
前記受信されたセンシング情報をさらに考慮し、前記機能情報を抽出する段階と、を含むことを特徴とする請求項１に記載の携帯端末の制御方法。
【請求項８】
前記センシング情報は、
前記ＢＬＥデバイスが感知したモーション情報、ウェート情報、照度情報、温度情報、湿度情報、加速度情報及び近接情報のうち少なくとも一つを含むことを特徴とする請求項７に記載の携帯端末の制御方法。
【請求項９】
前記モーション情報は、
モーション・パターン、モーション回数、モーション発生時間、モーション速度及びモーション方向のうち少なくとも一つを含むことを特徴とする請求項８に記載の携帯端末の制御方法。
【請求項１０】
前記機能情報を抽出する段階は、
前記ＢＬＥデバイスの識別情報に対応するモード情報を確認する段階を含み、
前記既設定の機能を遂行する段階は、
前記確認されたモード情報により、前記携帯端末のモードを自動的に設定する段階を含むことを特徴とする請求項１に記載の携帯端末の制御方法。
【請求項１１】
前記モードを自動的に設定する段階は、
前記確認されたモード情報により、前記携帯端末の通信モード、音響出力モード、マナーモード、飛行機搭乗モード、運転モード、及び既定の外部機器とデータを送受信するデータ送受信モードのうち少なくとも一つを設定する段階を含むことを特徴とする請求項１０に記載の携帯端末の制御方法。
【請求項１２】
携帯端末が、前記携帯端末に既登録のＢＬＥデバイスの通信半径内に位置する場合、前記ＢＬＥ（ブルートゥース低エネルギー）デバイスから識別情報を受信する通信部と、
前記受信されたＢＬＥデバイスの識別情報に対応する機能情報を抽出し、前記抽出された機能情報に対応する既設定の機能を遂行する制御部と、
前記ＢＬＥデバイスの識別情報と、前記携帯端末で支援する少なくとも１つの機能とをマッピングして保存するメモリと、を含むことを特徴とする携帯端末。
【請求項１３】
前記携帯端末は、
前記携帯端末で支援する少なくとも１つの機能と、前記ＢＬＥデバイスとを連結させるユーザ入力を受信するユーザ入力部をさらに含むことを特徴とする請求項１２に記載の携帯端末。
【請求項１４】
前記通信部は、
前記ＢＬＥデバイスが感知したセンシング情報を、前記ＢＬＥデバイスからさらに受信し、
前記制御部は、
前記受信されたセンシング情報をさらに考慮し、前記機能情報を抽出することを特徴とする請求項１２に記載の携帯端末。
【請求項１５】
請求項１ないし１１のうち、いずれか１項に記載の携帯端末の制御方法を具現するためのプログラムが記録されたコンピュータ可読記録媒体。
【発明の詳細な説明】
【技術分野】
【０００１】
本発明は、ユーザをして、ＢＬＥ（Bluetooth（登録商標） low energy）デバイスを介して、携帯端末を制御させる携帯端末及び携帯端末の制御方法に関する。
【背景技術】
【０００２】
ブルートゥース（Bluetooth（登録商標））技術は、近距離内で、１つの無線連結を介して、装置間に必要な多くのケーブル連結を代替する。例えば、ブルートゥース無線技術が、携帯電話内並びにラップトップ・コンピュータ内に具現されれば、ケーブルなしにも連結されて使用可能である。プリンタ、ＰＤＡ（personal digital assistant）、デスクトップ、ＦＡＸ、キーボード、ジョイスティックはもとより、事実上、全てのデジタル装備がブルートゥース・システムの一部にもなる。装置をケーブルから自由にさせるだけではなく、ブルートゥース無線技術は、既存のデータ網と周辺装置とのインターフェース、そして固定されたネットワーク下部構造から遠く離れた装置間に特別なグループを形成させる普遍的な架橋の役目を提供する。ブルートゥースは、早い認識と周波数ホッピング方式とを使用して連結をしっかりしたものにする。ブルートゥース・モジュールは、パケットを送受信した後、新たな周波数ホッピングを行うことにより、他の信号との干渉を避ける。同じ周波数帯で作動する他のシステムと比べてブルートゥースは、特別に速くて短いパケットを使用する。一方、クラシック・ブルートゥースと、ブルートゥース・ハイスピードと、ブルートゥース低エネルギー（ＢＬＥ）とを含んだ機能を有したブルートゥース４．０が発表されることにより、ＢＬＥ技術への関心が高まっている。
【発明の概要】
【発明が解決しようとする課題】
【０００３】
本発明が解決しようとする課題は、ＢＬＥ（Bluetooth（登録商標） low energy）デバイスとのＢＬＥ通信を介して、ＢＬＥデバイスの識別情報に対応する既設定の機能を自動的に遂行する携帯端末及び携帯端末の制御方法を提供することである。
【課題を解決するための手段】
【０００４】
本発明の一実施形態による携帯端末の制御方法は、携帯端末が、該携帯端末に既登録のＢＬＥデバイスの通信半径内に位置する段階と、ＢＬＥデバイスから該ＢＬＥデバイスの識別情報を受信する段階と、受信されたＢＬＥデバイスの識別情報に対応する機能情報を抽出する段階と、抽出された機能情報に対応する既設定の機能を遂行する段階と、を含んでもよい。
【０００５】
本発明の一実施形態による携帯端末の制御方法は、携帯端末で支援する少なくとも１つの機能と、ＢＬＥデバイスとを連結させるユーザ入力を受信する段階と、ユーザ入力に基づいて、ＢＬＥデバイスの識別情報と、少なくとも１つの機能とをマッピングしてメモリに保存する段階と、をさらに含んでもよい。
【０００６】
本発明の一実施形態による携帯端末の制御方法は、１つのＢＬＥデバイスと複数の機能とを連結させるユーザ入力を受信する段階と、ＢＬＥデバイスの識別情報と複数の機能とをマッピングして保存する段階と、をさらに含んでもよい。
【０００７】
本発明の一実施形態による携帯端末の制御方法は、１つのＢＬＥデバイスと複数の機能とを、時間によって区別して連結させるユーザ入力を受信する段階を含んでもよい。
本発明の一実施形態による既設定の機能は、文字送信機能、通話連結機能及びコンデンツ再生機能のうち少なくとも一つを含んでもよい。
【０００８】
本発明の一実施形態による携帯端末の制御方法は、既設定の機能を遂行するためのアプリケーションを抽出する段階と、抽出されたアプリケーションを実行する段階と、をさらに含んでもよい。
【０００９】
本発明の一実施形態による携帯端末の制御方法は、ＢＬＥデバイスが感知したセンシング情報を、ＢＬＥデバイスから受信する段階と、受信されたセンシング情報をさらに考慮して機能情報を抽出する段階と、を含んでもよい。
【００１０】
本発明の一実施形態によるセンシング情報は、ＢＬＥデバイスが感知したモーション情報、ウェート情報、照度情報、温度情報、湿度情報、加速度情報及び近接情報のうち少なくとも一つを含んでもよい。
【００１１】
本発明の一実施形態によるモーション情報は、モーション・パターン、モーション回数、モーション発生時間、モーション速度及びモーション方向のうち少なくとも一つを含んでもよい。
【００１２】
本発明の一実施形態による携帯端末の制御方法は、ＢＬＥデバイスの識別情報に対応するモード情報を確認する段階と、確認されたモード情報によって、携帯端末のモードを自動的に設定する段階と、を含んでもよい。
【００１３】
本発明の一実施形態による携帯端末の制御方法は、確認されたモード情報によって、携帯端末の通信モードを変更する段階を含んでもよい。
【００１４】
本発明の一実施形態による携帯端末の制御方法は、Ｗｉ−Ｆｉモード、ブルートゥース・モード及びＧＰＳ（global positioning system）モードのうち少なくとも一つを活性化する段階をさらに含んでもよい。
【００１５】
本発明の一実施形態による携帯端末の制御方法は、携帯端末の音響出力モードまたは振動モードを調節する段階をさらに含んでもよい。
【００１６】
本発明の一実施形態による携帯端末の制御方法は、携帯端末のモードを、飛行機搭乗モード（airplane mode）または運転モード（driving mode）に設定する段階を含んでもよい。
【００１７】
本発明の一実施形態による携帯端末の制御方法は、既定の外部機器とデータを送受信するデータ送受信モードを設定する段階をさらに含んでもよい。
【００１８】
本発明の一実施形態による携帯端末は、該携帯端末が、該携帯端末に既登録のＢＬＥデバイスの通信半径内に位置する場合、ＢＬＥデバイスから識別情報を受信する通信部と、受信されたＢＬＥデバイスの識別情報に対応する機能情報を抽出し、抽出された機能情報に対応する既設定の機能を遂行する制御部と、を含んでもよい。
【００１９】
本発明の一実施形態による携帯端末は、該携帯端末で支援する少なくとも１つの機能と、ＢＬＥデバイスとを連結させるユーザ入力を受信するユーザ入力部と、ユーザ入力に基づいて、ＢＬＥデバイスの識別情報と、少なくとも１つの機能とをマッピングして保存するメモリと、をさらに含んでもよい。
【００２０】
本発明の一実施形態による携帯端末のユーザ入力部は、１つのＢＬＥデバイスと複数の機能とを、時間によって区別して連結させるユーザ入力を受信することができる。
本発明の一実施形態による携帯端末の制御部は、既設定の機能を遂行するためのアプリケーションを抽出し、抽出されたアプリケーションを実行することができる。
【００２１】
本発明の一実施形態による携帯端末の通信部は、ＢＬＥデバイスが感知したセンシング情報をＢＬＥデバイスからさらに受信し、本発明の一実施形態による携帯端末の制御部は、受信されたセンシング情報をさらに考慮し、機能情報を抽出することができる。
【００２２】
本発明の一実施形態による携帯端末の制御部は、ＢＬＥデバイスの識別情報及びセンシング情報に基づいて、既定の外部機器に通話連結を要請することができる。
【００２３】
本発明の一実施形態による携帯端末の制御部は、ＢＬＥデバイスの識別情報に対応するモード情報を確認し、確認されたモード情報によって、携帯端末のモードを自動的に設定することができる。
【００２４】
本発明の一実施形態による携帯端末の制御部は、確認されたモード情報によって、携帯端末の通信モード、音響出力モード、マナーモード、飛行機搭乗モード、運転モード、及び既定の外部機器とデータを送受信するデータ送受信モードのうち少なくとも一つを設定することができる。
【図面の簡単な説明】
【００２５】
【図１】本発明の一実施形態に係わるＢＬＥ通信システムについて説明するための図面である。
【図２】本発明の一実施形態に係わる携帯端末について説明するためのブロック構成図である。
【図３】本発明の一実施形態に係わるＳＳＰ（seamless sensing platform）のデータ通信プロトコルについて説明するための図面である。
【図４Ａ】本発明の一実施形態に係わるＢＬＥデバイスについて説明するためのブロック構成図である。
【図４Ｂ】本発明の一実施形態に係わるＢＬＥデバイスについて説明するためのブロック構成図である。
【図５】本発明の一実施形態に係わる携帯端末のＢＬＥデバイスを利用したサービス提供方法を概略的に説明するためのフローチャートである。
【図６】本発明の一実施形態に係わる携帯端末のＢＬＥデバイス登録方法及び管理方法について説明するためのフローチャートである。
【図７】本発明の一実施形態に係わるＢＬＥデバイスの色相情報を目録に適用する方法について説明するためのフローチャートである。
【図８Ａ】本発明の一実施形態に係わる色相情報が含まれたＢＬＥデバイス目録を示す図面である。
【図８Ｂ】本発明の一実施形態に係わる色相情報が含まれたＢＬＥデバイス目録を示す図面である。
【図８Ｃ】本発明の一実施形態に係わる色相情報が含まれたＢＬＥデバイス目録を示す図面である。
【図９Ａ】本発明の一実施形態に係わるユーザ追加情報を入力される入力ウィンドーを示す図面である。
【図９Ｂ】本発明の一実施形態に係わるユーザ追加情報を入力される入力ウィンドーを示す図面である。
【図１０】本発明の一実施形態に係わるセンサ情報が含まれたＢＬＥデバイス目録を表示する方法について説明するためのフローチャートである。
【図１１Ａ】本発明の一実施形態に係わるセンサ情報が含まれたＢＬＥデバイス目録を示す図面である。
【図１１Ｂ】本発明の一実施形態に係わるセンサ情報が含まれたＢＬＥデバイス目録を示す図面である。
【図１１Ｃ】本発明の一実施形態に係わるセンサ情報が含まれたＢＬＥデバイス目録を示す図面である。
【図１２】本発明の一実施形態に係わるカテゴリーを設定する設定ウィンドーを示す図面である。
【図１３Ａ】本発明の一実施形態に係わるセンサを含むＢＬＥデバイスのユーザ追加情報を入力される入力ウィンドーを示す図面である。
【図１３Ｂ】本発明の一実施形態に係わるセンサを含むＢＬＥデバイスのユーザ追加情報を入力される入力ウィンドーを示す図面である。
【図１４】本発明の一実施形態に係わる携帯端末が登録ＢＬＥデバイスのプロファイル情報を提供する方法について説明するためのフローチャートである。
【図１５】本発明の一実施形態に係わる登録ＢＬＥデバイス目録を示す図面である。
【図１６Ａ】本発明の一実施形態に係わる登録ＢＬＥデバイスのプロファイル情報を表示する図面である。
【図１６Ｂ】本発明の一実施形態に係わる登録ＢＬＥデバイスのプロファイル情報を表示する図面である。
【図１６Ｃ】本発明の一実施形態に係わる登録ＢＬＥデバイスのプロファイル情報を表示する図面である。
【図１６Ｄ】本発明の一実施形態に係わる登録ＢＬＥデバイスのプロファイル情報を表示する図面である。
【図１６Ｅ】本発明の一実施形態に係わる登録ＢＬＥデバイスのプロファイル情報を表示する図面である。
【図１７】本発明の一実施形態に係わる携帯端末が、お知らせ情報をユーザから入力される方法について説明するためのフローチャートである。
【図１８Ａ】本発明の一実施形態に係わる登録ＢＬＥデバイスに係わるお知らせを設定する画面を示す図面である。
【図１８Ｂ】本発明の一実施形態に係わる登録ＢＬＥデバイスに係わるお知らせを設定する画面を示す図面である。
【図１９Ａ】本発明の一実施形態に係わる登録ＢＬＥデバイスに係わるお知らせを設定する画面を示す図面である。
【図１９Ｂ】本発明の一実施形態に係わる登録ＢＬＥデバイスに係わるお知らせを設定する画面を示す図面である。
【図１９Ｃ】本発明の一実施形態に係わる登録ＢＬＥデバイスに係わるお知らせを設定する画面を示す図面である。
【図２０】本発明の一実施形態に係わる複数のお知らせ情報目録を示す図面である。
【図２１】本発明の一実施形態に係わる携帯端末の情報提供方法について説明するためのフローチャートである。
【図２２Ａ】本発明の一実施形態に係わるお知らせメッセージ出力画面を示す図面である。
【図２２Ｂ】本発明の一実施形態に係わるお知らせメッセージ出力画面を示す図面である。
【図２２Ｃ】本発明の一実施形態に係わるお知らせメッセージ出力画面を示す図面である。
【図２３】本発明の一実施形態に係わるＢＬＥデバイスを所持した他ユーザに係わるお知らせを提供する方法について説明するためのフローチャートである。
【図２４Ａ】本発明の一実施形態に係わるＢＬＥデバイスを所持した他ユーザに係わるお知らせを設定する画面を示す図面である。
【図２４Ｂ】本発明の一実施形態に係わるＢＬＥデバイスを所持した他ユーザに係わるお知らせを設定する画面を示す図面である。
【図２４Ｃ】本発明の一実施形態に係わるＢＬＥデバイスを所持した他ユーザに係わるお知らせを設定する画面を示す図面である。
【図２５】本発明の一実施形態に係わるＢＬＥデバイスを所持した他ユーザについてのお知らせメッセージを出力する画面を示す図面である。
【図２６】本発明の一実施形態に係わる１つのＢＬＥデバイスを利用して、複数のお知らせを提供する方法について説明するためのフローチャートである。
【図２７Ａ】本発明の一実施形態に係わる１つのＢＬＥデバイスに対して、複数のお知らせ情報を入力される画面を示す図面である。
【図２７Ｂ】本発明の一実施形態に係わる１つのＢＬＥデバイスに対して、複数のお知らせ情報を入力される画面を示す図面である。
【図２７Ｃ】本発明の一実施形態に係わる１つのＢＬＥデバイスに対して、複数のお知らせ情報を入力される画面を示す図面である。
【図２８Ａ】本発明の一実施形態に係わるお知らせメッセージを示す画面である。
【図２８Ｂ】本発明の一実施形態に係わるお知らせメッセージを示す画面である。
【図２９】本発明の一実施形態に係わるお知らせメッセージを、他のＢＬＥデバイスとマッピングする方法について説明するためのフローチャートである。
【図３０Ａ】本発明の一実施形態に係わるお知らせメッセージを、他のＢＬＥデバイスとマッピングする画面を示す図面である。
【図３０Ｂ】本発明の一実施形態に係わるお知らせメッセージを、他のＢＬＥデバイスとマッピングする画面を示す図面である。
【図３０Ｃ】本発明の一実施形態に係わるお知らせメッセージを、他のＢＬＥデバイスとマッピングする画面を示す図面である。
【図３１】本発明の一実施形態に係わる携帯端末が、お知らせメッセージ及び基準センシング情報を、ユーザから入力される方法について説明するためのフローチャートである。
【図３２Ａ】本発明の一実施形態に係わるセンサ基盤ＢＬＥデバイスに係わるお知らせを設定する画面を示す図面である。
【図３２Ｂ】本発明の一実施形態に係わるセンサ基盤ＢＬＥデバイスに係わるお知らせを設定する画面を示す図面である。
【図３２Ｃ】本発明の一実施形態に係わるセンサ基盤ＢＬＥデバイスに係わるお知らせを設定する画面を示す図面である。
【図３３】本発明の一実施形態に係わるセンサ基盤ＢＬＥデバイスを利用した携帯端末の情報提供方法について説明するためのフローチャートである。
【図３４Ａ】本発明の一実施形態に係わるセンシング情報に基づいて、お知らせメッセージを出力する画面を示す図面である。
【図３４Ｂ】本発明の一実施形態に係わるセンシング情報に基づいて、お知らせメッセージを出力する画面を示す図面である。
【図３５】本発明の一実施形態に係わる携帯端末が運動管理情報を提供する方法について説明するためのフローチャートである。
【図３６Ａ】本発明の一実施形態に係わる携帯端末が運動管理メッセージ及び基準モーション情報を入力される画面を示す図面である。
【図３６Ｂ】本発明の一実施形態に係わる携帯端末が運動管理メッセージ及び基準モーション情報を入力される画面を示す図面である。
【図３６Ｃ】本発明の一実施形態に係わる携帯端末が運動管理メッセージ及び基準モーション情報を入力される画面を示す図面である。
【図３７Ａ】本発明の一実施形態に係わる運動管理メッセージを出力する画面を示す図面である。
【図３７Ｂ】本発明の一実施形態に係わる運動管理メッセージを出力する画面を示す図面である。
【図３８】本発明の一実施形態に係わる携帯端末が医療管理情報を提供する方法について説明するためのフローチャートである。
【図３９Ａ】本発明の一実施形態に係わる医療管理メッセージを出力する画面を示す図面である。
【図３９Ｂ】本発明の一実施形態に係わる医療管理メッセージを出力する画面を示す図面である。
【図３９Ｃ】本発明の一実施形態に係わる医療管理メッセージを出力する画面を示す図面である。
【図４０】本発明の一実施形態に係わる携帯端末が、近接情報に基づいて、お知らせメッセージを出力する方法について説明するためのフローチャートである。
【図４１】本発明の一実施形態に係わる幼児管理メッセージを出力する画面を示す図面である。
【図４２】本発明の一実施形態に係わる１つのセンサ基盤ＢＬＥデバイス（one single sensor-based ＢＬＥdevice）を利用して、複数のお知らせ情報を提供する方法について説明するためのフローチャートである。
【図４３Ａ】本発明の一実施形態に係わる１つのセンサ基盤ＢＬＥデバイスについて、複数のお知らせ情報を入力される画面を示す図面である。
【図４３Ｂ】本発明の一実施形態に係わる１つのセンサ基盤ＢＬＥデバイスについて、複数のお知らせ情報を入力される画面を示す図面である。
【図４３Ｃ】本発明の一実施形態に係わる１つのセンサ基盤ＢＬＥデバイスについて、複数のお知らせ情報を入力される画面を示す図面である。
【図４４Ａ】本発明の一実施形態に係わるセンサ基盤ＢＬＥデバイスについて、複数のお知らせメッセージを出力する画面を示す図面である。
【図４４Ｂ】本発明の一実施形態に係わるセンサ基盤ＢＬＥデバイスについて、複数のお知らせメッセージを出力する画面を示す図面である。
【図４４Ｃ】本発明の一実施形態に係わるセンサ基盤ＢＬＥデバイスについて、複数のお知らせメッセージを出力する画面を示す図面である。
【図４５Ａ】本発明の一実施形態に係わる２以上のセンサを含む１つのＢＬＥデバイスについて、複数のお知らせ情報を入力される画面を示す図面である。
【図４５Ｂ】本発明の一実施形態に係わる２以上のセンサを含む１つのＢＬＥデバイスについて、複数のお知らせ情報を入力される画面を示す図面である。
【図４５Ｃ】本発明の一実施形態に係わる２以上のセンサを含む１つのＢＬＥデバイスについて、複数のお知らせ情報を入力される画面を示す図面である。
【図４６】本発明の一実施形態に係わる登録ＢＬＥデバイスと携帯端末の機能とをマッピングする方法について説明するためのフローチャートである。
【図４７Ａ】本発明の一実施形態に係わる携帯端末が、登録ＢＬＥデバイスと携帯端末の機能とを連結させるユーザ入力を受信する過程を示す図面である。
【図４７Ｂ】本発明の一実施形態に係わる携帯端末が、登録ＢＬＥデバイスと携帯端末の機能とを連結させるユーザ入力を受信する過程を示す図面である。
【図４７Ｃ】本発明の一実施形態に係わる携帯端末が、登録ＢＬＥデバイスと携帯端末の機能とを連結させるユーザ入力を受信する過程を示す図面である。
【図４７Ｄ】本発明の一実施形態に係わる携帯端末が、登録ＢＬＥデバイスと携帯端末の機能とを連結させるユーザ入力を受信する過程を示す図面である。
【図４７Ｅ】本発明の一実施形態に係わる携帯端末が、登録ＢＬＥデバイスと携帯端末の機能とを連結させるユーザ入力を受信する過程を示す図面である。
【図４８Ａ】本発明の一実施形態に係わるセンサ基盤ＢＬＥデバイスと、携帯端末の機能とをマッピングする過程を示す図面である。
【図４８Ｂ】本発明の一実施形態に係わるセンサ基盤ＢＬＥデバイスと、携帯端末の機能とをマッピングする過程を示す図面である。
【図４８Ｃ】本発明の一実施形態に係わるセンサ基盤ＢＬＥデバイスと、携帯端末の機能とをマッピングする過程を示す図面である。
【図４８Ｄ】本発明の一実施形態に係わるセンサ基盤ＢＬＥデバイスと、携帯端末の機能とをマッピングする過程を示す図面である。
【図４８Ｅ】本発明の一実施形態に係わるセンサ基盤ＢＬＥデバイスと、携帯端末の機能とをマッピングする過程を示す図面である。
【図４９Ａ】本発明の他の実施形態に係わるセンサ基盤ＢＬＥデバイスと、携帯端末の機能とをマッピングする過程を示す図面である。
【図４９Ｂ】本発明の他の実施形態に係わるセンサ基盤ＢＬＥデバイスと、携帯端末の機能とをマッピングする過程を示す図面である。
【図４９Ｃ】本発明の他の実施形態に係わるセンサ基盤ＢＬＥデバイスと、携帯端末の機能とをマッピングする過程を示す図面である。
【図４９Ｄ】本発明の他の実施形態に係わるセンサ基盤ＢＬＥデバイスと、携帯端末の機能とをマッピングする過程を示す図面である。
【図４９Ｅ】本発明の他の実施形態に係わるセンサ基盤ＢＬＥデバイスと、携帯端末の機能とをマッピングする過程を示す図面である。
【図５０】本発明の一実施形態に係わる機能情報目録を示す図面である。
【図５１】本発明の一実施形態に係わる登録ＢＬＥデバイスを利用して、携帯端末を制御する方法について説明するためのフローチャートである。
【図５２Ａ】本発明の一実施形態に係わる登録ＢＬＥデバイスを利用して、自動的に文字メッセージを伝送する方法について説明するための図面である。
【図５２Ｂ】本発明の一実施形態に係わる登録ＢＬＥデバイスを利用して、自動的に文字メッセージを伝送する方法について説明するための図面である。
【図５２Ｃ】本発明の一実施形態に係わる登録ＢＬＥデバイスを利用して、自動的に文字メッセージを伝送する方法について説明するための図面である。
【図５３】本発明の一実施形態に係わるセンサ基盤ＢＬＥデバイスを利用して、携帯端末を制御する方法について説明するためのフローチャートである。
【図５４Ａ】本発明の一実施形態に係わるセンサ基盤ＢＬＥデバイスを利用して、自動に電話を連結する方法について説明するための図面である。
【図５４Ｂ】本発明の一実施形態に係わるセンサ基盤ＢＬＥデバイスを利用して、自動に電話を連結する方法について説明するための図面である。
【図５５Ａ】本発明の一実施形態に係わる照度センサ基盤ＢＬＥデバイスを利用して、自動的にコンデンツを再生する方法について説明するための図面である。
【図５５Ｂ】本発明の一実施形態に係わる照度センサ基盤ＢＬＥデバイスを利用して、自動的にコンデンツを再生する方法について説明するための図面である。
【図５６】本発明の一実施形態に係わる登録ＢＬＥデバイスを利用して、音声ファイルを実行する方法について説明するためのフローチャートである。
【図５７Ａ】本発明の一実施形態に係わる登録ＢＬＥデバイスを利用して、他人が録音した音声ファイルを実行する過程について説明するための図面である。
【図５７Ｂ】本発明の一実施形態に係わる登録ＢＬＥデバイスを利用して、他人が録音した音声ファイルを実行する過程について説明するための図面である。
【図５７Ｃ】本発明の一実施形態に係わる登録ＢＬＥデバイスを利用して、他人が録音した音声ファイルを実行する過程について説明するための図面である。
【図５８】本発明の一実施形態に係わる携帯端末のモード設定方法について説明するためのフローチャートである。
【図５９Ａ】本発明の一実施形態に係わるモード設定画面を示す図面である。
【図５９Ｂ】本発明の一実施形態に係わるモード設定画面を示す図面である。
【図５９Ｃ】本発明の一実施形態に係わるモード設定画面を示す図面である。
【図６０】本発明の一実施形態に係わるＢＬＥデバイスで、ブロードキャストするadvertisingパッケージのデータフォーマットを示す図面である。
【図６１】本発明の一実施形態に係わるＡＤタイプ（advertising data type）について説明するための図面である。
【図６２Ａ】本発明の一実施形態によるＢＬＥデバイスでブロードキャストするデータについて説明するための図面である。
【図６２Ｂ】本発明の一実施形態によるＢＬＥデバイスでブロードキャストするデータについて説明するための図面である。
【図６３】advertisingデータパッケージの一例を示す図面である。
【発明を実施するための形態】
【００２６】
本明細書で使用される用語について簡略に説明し、本発明について具体的に説明する。
【００２７】
本発明で使用される用語は、本発明での機能を考慮しながら、可能な限り、現在広く使用される一般的な用語を選択したが、それらは、当業者の意図または判例、新たな技術の出現などによって異なりもする。また、特定の場合は、出願人が任意に選定した用語もあり、その場合、当該発明の説明部分で、詳細にその意味を記載する。従って、本発明で使用される用語は、単純な用語の名称ではない、その用語が有する意味と、本発明の全般にわたった内容とを基に定義されなければならない。
【００２８】
明細書全体で、ある部分がある構成要素を「含む」とするとき、それは、特別に反対になる記載がない限り、他の構成要素を除くものではなく、他の構成要素をさらに含んでもよいということを意味する。また、明細書に記載した「…部」、「モジュール」などの用語は、少なくとも１つの機能や動作を処理する単位を意味し、それは、ハードウェアまたはソフトウェアで具現されるか、あるいはハードウェアとソフトウェアとの結合によって具現される。
【００２９】
明細書全体で、「ブルートゥース低エネルギー（ＢＬＥ：Bluetooth（登録商標） low energy）」は、近距離通信技術のうち一つであり、ブルートゥースＶ４．０の核心機能を意味する。ＢＬＥは、クラシック・ブルートゥース規格と比べ、相対的に小さいduty cycleを有し、低価格生産が可能ありで、平均電力と待機電力とを減らし、コインサイズのバッテリで数年間作動することができる。
【００３０】
本発明の一実施形態による「ＢＬＥデバイスの通信半径」とは、ＢＬＥデバイスからブロードキャスティングされるデータ（advertising packet）を、携帯端末が受信することができる距離（例えば、５０ｍ〜１００ｍ）を意味する。本発明の一実施形態による通信半径は、通信状況によって可変的である。また、ＢＬＥデバイスの通信半径は、ユーザによって任意に設定されてもよい。例えば、ユーザは、居間、キッチン、家全体などの一定領域を、ＢＬＥデバイスの通信半径に設定することもでき、一定距離（例えば、５ｍ）をＢＬＥデバイスの通信半径に設定することもできる。
【００３１】
明細書全体で、「アプリケーション」は、特定の業務を遂行するために考案された一連のコンピュータ・プログラム集合をいう。本明細書に記述されるアプリケーションは、多様である。例えば、一定管理アプリケーション、住所録アプリケーション、動画再生アプリケーション、地図アプリケーション、放送アプリケーション、運動管理アプリケーション、決済アプリケーション、育児アプリケーション、健康管理アプリケーション、電子ブック・アプリケーションなどがあるが、それらに限定されるものではない。
【００３２】
以下、添付した図面を参照し、本発明の実施形態について、本発明が属する技術分野で当業者が容易に実施することができるように詳細に説明する。しかし、本発明は、さまざまに異なる形態で具現され、ここで説明する実施形態に限定されるものではない。そして、図面で、本発明を明確に説明するために、説明と係わりない部分は省略し、明細書全体を通じて、類似した部分については、類似した図面符号を付した。
【００３３】
図１は、本発明の一実施形態と係わるＢＬＥ（Bluetooth（登録商標） low energy）通信システムについて説明するための図面である。
【００３４】
図１に図示されているように、本発明の一実施形態によるＢＬＥ通信システムには、携帯端末１００及びＢＬＥデバイス２００が含まれる。
【００３５】
携帯端末１００は、外部のＢＬＥデバイス２００とのＢＬＥ通信を介して、ユーザに所定サービスを提供する端末でもある。例えば、携帯端末１００は、外部のＢＬＥデバイス２００の情報（例えば、識別情報）をメモリに登録し、管理することができる。また、携帯端末１００は、外部ＢＬＥデバイス２００とのＢＬＥ通信を介して、リマインダ・サービス、モード変更サービス、リモートコントロール・サービスなどを提供することができる。それぞれのサービスについては、追って詳細に説明する。
【００３６】
本発明の一実施形態による携帯端末１００は、多様な形態で具現される。例えば、本明細書で記述される携帯端末１００は、携帯電話、スマートフォン（smart phone）、ノート型パソコン（laptop computer）、タブレットＰＣ（personal computer）、電子ブック端末機、デジタル放送用端末機、ＰＤＡ（personal digital assistant）、ＰＭＰ（portable multimedia player）、ナビゲーションなどがあるが、それらに限定されるものではない。
【００３７】
一方、本発明の一実施形態による携帯端末１００では、アプリケーション・プロセッサ（ＡＰ：application processor）と別途に、ＳＳＰ（seamless sensing platform）が動作することができる。携帯端末１００は、ＳＳＰのセンサハブ（sensor hub）にＢＬＥ通信部を連結し、スリープモードのＡＰを目覚めさせず、ＢＬＥデバイス２００の情報を収集し、状況を認知することができる。ＳＳＰは、所定状況が生じた場合、スリープモードのＡＰを目覚めさせる。本発明の一実施形態によるＳＳＰ、ＡＰ、ＢＬＥ通信部は、ハードウェア（Ｈ／Ｗ）、ソフトウェア（Ｓ／Ｗ）、またはそれらが結合された形態（Ｈ／Ｗ＋Ｓ／Ｗ）で具現されもする。それらについては、図３を参照し、追って詳細に説明する。
【００３８】
ＢＬＥデバイス２００は、ＢＬＥ通信を介して、識別情報を外部にブロードキャスティングすることができる。そのとき、ＢＬＥデバイス２００は、識別情報をadvertising packet形態でブロードキャスティングすることができる。本発明の一実施形態によるＢＬＥデバイス２００は、センサを介してセンシングされた情報を、外部にブロードキャスティングすることもできる。例えば、ＢＬＥデバイス２００は、識別情報（例えば、「SAMSUNG＿Ｔｅｍｐ＿ＴＡＧ００１＿blue」）を、advertising packetのＵＵＩＤ（universally unique identifier）フィールド、またはＭＳＤ（manufacturer specific data）フィールドに含めて外部にブロードキャスティングすることができる。ＢＬＥデバイス２００が、advertising packet形態で、データをブロードキャスティングすることに係わる詳細な説明は、図６０ないし図６３を参照して後述する。説明の便宜上、以下では、センサを含むＢＬＥデバイス２００をセンサ基盤ＢＬＥデバイスと呼ぶ。
【００３９】
本発明の一実施形態によるＢＬＥデバイス２００は、ＢＬＥデバイス２００のセンシング情報を、一定周期によってブロードキャスティングすることもでき、センシング情報が更新されるか、あるいは特定イベントが生じた場合、イベントトリガ方式で、センシング情報をブロードキャスティングすることもできる。
【００４０】
また、本発明の一実施形態によるＢＬＥデバイス２００は、ＢＬＥデバイス２００の識別情報を、advertising packet形態でブロードキャスティングし、ＢＬＥデバイス２００のセンシング情報は、携帯端末１００とペアリングした後、通信チャンルを利用して、携帯端末１００に伝送することもできる。そのとき、ＢＬＥデバイス２００は、センシング情報の保安のために、携帯端末１００とペアリングするとき、交渉された暗号化コードまたは既設定の暗号化コードで、センシング情報を暗号化し、暗号化されたセンシング情報を、携帯端末１００に伝送することもできる。
【００４１】
本発明の一実施形態によるＢＬＥデバイス２００は、多様な形態で具現される。例えば、本明細書で記述されるＢＬＥデバイス２００は、ＢＬＥタグ（tag）２００−１の形態で簡単に具現され、ＢＬＥフォン（phone）、ＢＬＥタブレット（tablet）ＰＣなどの携帯機器２００−２の形態で具現され、ＢＬＥ腕時計、ＢＬＥイヤホンなどのアクセサリ（accessory）２００−３の形態で具現されてもよい。ＢＬＥデバイス２００の構成については、図４を参照して、追って詳細に説明する。
【００４２】
図２は、本発明の一実施形態と係わる携帯端末について説明するためのブロック構成図である。
【００４３】
図２に図示されているように、本発明の一実施形態による携帯端末１００は、通信部１１０、出力部１２０、ユーザ入力部１３０、Ａ／ＶＯＤ（video on demand）入力部１４０、制御部１５０、メモリ１６０を含んでもよい。しかし、図示された構成要素が、いずれも必須構成要素であるというわけではない。図示された構成要素より多くの構成要素によって、携帯端末１００が具現され、それより少ない構成要素によっても、携帯端末１００が具現されもする。
【００４４】
以下、前記構成要素について順に説明する。
【００４５】
通信部１１０は、携帯端末１００とＢＬＥデバイス２００との通信、または携帯端末１００とサーバとの通信を行わせる一つ以上の構成要素を含んでもよい。例えば、通信部１１０は、ＢＬＥ通信部１１１、移動通信部１１２、放送受信部１１３などを含んでもよい。
【００４６】
ＢＬＥ通信部１１１は、ＢＬＥ通信機能を支援する。例えば、ＢＬＥ通信部１１１は、外部のＢＬＥデバイス２００からブロードキャスティングされる信号（advertising packet）を受信することができる。ＢＬＥ通信部１１１は、所定周期でＢＬＥデバイス２００をスキャンすることもでき、ユーザ要請時、ＢＬＥデバイス２００をスキャンすることもできる。
【００４７】
ＢＬＥ通信部１１１は、ＳＳＰ ３０に連結される。ＳＳＰ ３０は、センサハブ及びＳＳＰマネージャを含んでもよい。センサハブは、ＭＣＵ（micro controller unit）の一種であり、多種のセンサを連結される。本発明の一実施形態によるセンサハブは、ＢＬＥ通信部１１１と連結され、ＢＬＥ通信部１１１を介して、外部のＢＬＥデバイス２００の情報を収集することができる。ＳＳＰマネージャは、センサハブからデータを受信することができ、センサハブから受信されたデータを基に、スリープモードのＡＰ １５１を目覚めさせることができる。ＳＳＰ ３０については、図３を参照して、追って詳細に説明する。
【００４８】
本発明の一実施形態によるＢＬＥ通信部１１１は、携帯端末１００が、携帯端末１００に既登録のＢＬＥデバイスの通信半径内に位置する場合、ＢＬＥデバイス２００から識別情報またはセンシング情報を受信することができる。
【００４９】
一方、通信部１１０は、ＢＬＥ通信以外に、他の近距離通信機能を支援することもできる。本発明の一実施形態による近距離通信技術には、無線ＬＡＮ（local area network）（Ｗｉ−Ｆｉ（wireless fidelity））、ブルートゥース、ジグビー、ＷＦＤ（（Ｗｉ−Ｆｉ direct）、ＵＷＢ（ultra wideband）、赤外線通信（ＩｒＤＡ：Infrared data association）などがあるが、それらに限定されるものではない。
【００５０】
移動通信部１１２は、移動通信網上で、基地局、外部の端末、サーバのうち少なくとも一つと無線信号を送受信する。ここで、無線信号は、音声コール信号、画像通話コール信号、または文字／マルチメディアメッセージ送受信による多様な形態のデータを含んでもよい。
【００５１】
放送受信部１１３は、放送チャンルを介して、外部から放送信号及び／または放送関連情報を受信する。放送チャンルは、衛星チャンル、地上波チャンルを含んでもよい。具現例によって、携帯端末１００は、放送受信部１１３を含まないこともある。
【００５２】
出力部１２０は、オーディオ信号、ビデオ信号または振動信号の出力のためのものであり、それには、ディスプレイ部１２１、音響出力部１２２、振動モータ１２３などが含まれてもよい。
【００５３】
ディスプレイ部１２１は、携帯端末１００で処理される情報を表示出力する。例えば、ディスプレイ部１２１は、通話モードである場合、通話と係わるＵＩ（user interface）またはＧＵＩ（graphic user interface）を表示することができ、ＢＬＥデバイス２００検索モードである場合、検索されたＢＬＥデバイスの目録を表示することができる。そのとき、ディスプレイ部１２１は、携帯端末１００に登録されていないＢＬＥデバイスと、既登録のＢＬＥデバイスとを区別して表示することもできる。
【００５４】
また、ＢＬＥデバイス２００設定モードである場合、ＢＬＥデバイス２００の設定と係わるＵＩまたはＧＵＩを表示することができ、撮影モードである場合、撮影されるイメージを表示することができる。
【００５５】
一方、ディスプレイ部１２１とタッチパッドとがレイヤ構造をなし、タッチスクリーンとして構成される場合、ディスプレイ部１２１は、出力装置以外に、入力装置としても使用される。ディスプレイ部１２１は、液晶ディスプレイ（liquid crystal display）、薄膜トランジスタ液晶ディスプレイ（thin film transistor-liquid crystal display）、有機発光ダイオード（organic light-emitting diode）、フレキシブル・ディスプレイ（flexible display）、三次元ディスプレイ（３Ｄ display）、電気泳動ディスプレイ（electrophoretic display）のうち少なくとも一つを含んでもよい。そして、携帯端末１００の具現形態により、携帯端末１００は、ディスプレイ部１２１を２個以上含んでもよい。そのとき、２個以上のディスプレイ部１２１は、ヒンジ（hinge）を利用して、対面して配置されもする。
【００５６】
音響出力部１２２は、通信部１１０から受信されるか、あるいはメモリ１６０に保存されたオーディオデータを出力する。また、音響出力部１２２は、携帯端末１００で遂行される機能（例えば、コール信号受信音、メッセージ受信音など）と係わる音響信号を出力する。そのような音響出力部１２２には、スピーカ（speaker）、ブザー（buzzer）などが含まれてもよい。
【００５７】
振動モータ１２３は、振動信号を出力することができる。例えば、振動モータ１２３は、オーディオデータまたはビデオデータ（例えば、コール信号受信音、メッセージ受信音など）の出力に対応する振動信号を出力することができる。また、振動モータ１２３は、タッチスクリーンにタッチが入力される場合、振動信号を出力することもできる。
【００５８】
出力部１２０は、ユーザによって既設定のお知らせメッセージを出力することができる。出力部１２０は、携帯端末１００が、ＢＬＥデバイス２００の通信半径内に位置する場合、お知らせメッセージを出力することもでき、携帯端末１００が、ＢＬＥデバイス２００の通信半径を外れる場合、お知らせメッセージを出力することもできる。また、出力部１２０は、ＢＬＥデバイス２００と携帯端末１００との距離に係わる情報により、お知らせメッセージを出力することもできる。
【００５９】
また、出力部１２０は、既設定の基準センシング情報と、センサ基盤ＢＬＥデバイスから受信されたセンシング情報との差が、既設定の範囲以内である場合、お知らせメッセージを出力することができる。
【００６０】
出力部１２０は、ＢＬＥデバイス２００を所持した他ユーザが利用中であるＳＮＳ（social networking service）に係わる情報、及びＢＬＥデバイス２００と携帯端末１００との通信履歴情報のうち少なくとも一つを出力することもできる。
【００６１】
ユーザ入力部１３０は、ユーザが携帯端末１００を制御するためのデータを入力する手段を意味する。例えば、ユーザ入力部１３０には、キーパッド（key pad）、ドームスイッチ（dome switch）、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチなどがあるが、それらに限定されるものではない。
【００６２】
本発明の一実施形態によるユーザ入力部１３０は、携帯端末１００のユーザから、ＢＬＥデバイス２００についてのお知らせ情報を入力される。本発明の一実施形態によるユーザ入力部１３０は、１つのＢＬＥデバイス２００に係わる複数のお知らせ情報を、時間によって区別して入力されてもよい。また、ユーザ入力部１３０は、出力されたお知らせメッセージを、他のＢＬＥデバイスの識別情報とマッピングするユーザ入力を感知することもできる。
【００６３】
ユーザ入力部１３０は、センサ基盤ＢＬＥデバイスに係わるお知らせ情報を入力される。そのとき、ユーザ入力部１３０は、センサ基盤ＢＬＥデバイスに係わるお知らせメッセージ、及びお知らせメッセージが出力される基準センシング情報のうち少なくとも一つを入力される。
【００６４】
ユーザ入力部１３０は、携帯端末１００で支援する少なくとも１つの機能と、登録ＢＬＥデバイスとを連結させるユーザ入力を受信することができる。
【００６５】
Ａ／Ｖ入力部１４０は、オーディオ信号またはビデオ信号入力のためのものであり、それには、カメラ１４１やマイク１４２などが含まれてもよい。カメラ１４１は、画像通話モードまたは撮影モードで、イメージセンサを介して、静止映像または動画などの画像フレームを得ることができる。イメージセンサを介してキャプチャされたイメージは、制御部１５０または別途のイメージ処理部（図示せず）を介して処理されもする。処理された画像フレームは、ディスプレイ部１２１に表示され、メモリ１６０に保存されたり、あるいは通信部１１０を介して外部に伝送される。カメラ１４１は、携帯端末１００の構成様態によって、２個以上具備されてもよい。
【００６６】
マイク１４２は、通話モード、録音モードまたは音声認識モードなどで、外部の音響信号を入力され、電気的な音声データに処理する。そして、処理された音声データは、通話モードである場合、移動通信部１１１を介して移動通信基地局に、送信可能な形態に変換されて出力されもする。
【００６７】
制御部１５０は、一般的に、携帯端末１００の全般的な動作を制御する。すなわち、制御部１５０は、メモリ１６０に保存されたプログラムを実行することにより、通信部１１０、出力部１２０、ユーザ入力部１３０、Ａ／Ｖ入力部１４０、メモリ１６０などを全般的に制御することができる。
【００６８】
制御部１５０は、ＡＰ １５１及びコミュニケーション・プロセッサ１５２を含んでもよい。ＡＰ １５１は、メモリ１６０に保存された各種アプリケーションの実行を制御することができる。例えば、ＢＬＥデバイス２００の識別情報が受信された場合、ＡＰ １５１は、受信された識別情報に対応する制御命令を行うためのアプリケーションを抽出して実行することができる。コミュニケーション・プロセッサ１５２は、多様な通信機能を制御することができる。
【００６９】
本発明の一実施形態による制御部１５０は、ＢＬＥデバイス２００の属性情報を、ユーザから入力されたユーザ追加情報とマッピングして登録し、登録された情報を管理することができる。また、制御部１５０は、検索されたＢＬＥデバイスの識別情報と、メモリ１６０に保存された登録ＢＬＥデバイス目録とを比較し、検索されたＢＬＥデバイスのうち、携帯端末１００に登録されないＢＬＥデバイスを抽出することができる。制御部１５０は、登録されていないＢＬＥデバイスの目録を生成することができる。制御部１５０は、ユーザ入力に基づいて、客体のイメージ（例えば、ＢＬＥデバイス２００の自体イメージ、またはＢＬＥデバイス２００が付着される事物／場所イメージ）をカメラ１４１を利用して撮影することができる。
【００７０】
また、制御部１５０は、ＢＬＥデバイス２００から受信される信号の強度を利用して、ＢＬＥデバイス２００と携帯端末１００との距離に係わる情報を獲得することもできる。例えば、制御部１５０で受信される信号の強度と、離隔距離とのの相関関係情報を利用して、ＢＬＥデバイス２００と携帯端末１００との距離を計算することができる。
【００７１】
本発明の一実施形態による制御部１５０は、ＢＬＥデバイス２００の識別情報に対応する既設定のお知らせ情報を抽出することができる。制御部１５０は、ＢＬＥデバイス２００の識別情報、及びＢＬＥデバイス２００の識別情報が受信された時間情報に基づいて、ＢＬＥデバイス２００の識別情報に対応するお知らせ情報を抽出することもできる。
【００７２】
本発明の一実施形態によるお知らせ情報は、携帯端末１００のユーザから入力されたお知らせメッセージ、及びお知らせメッセージの出力に係わるお知らせ条件情報のうち少なくとも一つを含んでもよい。制御部１５０は、お知らせ情報を、メモリ１６０から抽出することもでき、外部サーバからお知らせ情報を受信することもできる。
【００７３】
制御部１５０は、ＢＬＥデバイス２００の識別情報と、メモリ１６０に既保存の登録ＢＬＥデバイスに係わる情報とを比較し、識別情報を伝送したＢＬＥデバイス２００が、登録ＢＬＥデバイスであるか否かを判断することもできる。
【００７４】
一方、本発明の一実施形態による制御部１５０は、センサ基盤ＢＬＥデバイスの識別情報に対応するお知らせ情報を抽出することができる。そして、制御部１５０は、抽出されたお知らせ情報に含まれた既設定の基準センシング情報と、センサ基盤ＢＬＥデバイスから受信されたセンシング情報とを比較することができる。
【００７５】
制御部１５０は、ＢＬＥデバイス２００の識別情報に対応する既設定の機能を抽出し、抽出された機能を遂行することができる。そのとき、制御部１５０は、既設定の機能を遂行するためのアプリケーションを抽出し、抽出されたアプリケーションを実行することもできる。本発明の一実施形態による制御部１５０は、センサ基盤ＢＬＥデバイスの識別情報、及びセンサ基盤ＢＬＥデバイスが感知したセンシング情報に基づいて、既設定の機能を抽出することもできる。
【００７６】
制御部１５０は、ＢＬＥデバイス２００の識別情報に対応するモード情報を確認し、確認されたモード情報によって、携帯端末のモードを自動的に設定することができる。例えば、制御部１５０は、確認されたモード情報によって、携帯端末１００の通信モード、音響出力モード、マナーモード、飛行機搭乗モード（airplane mode）、運転モード（driving mode）、及び既定の外部機器とデータを送受信するデータ送受信モードのうち少なくとも一つを設定することができる。
【００７７】
メモリ１６０は、制御部１５０の処理及び制御のためのプログラムを保存することもでき、入出力されるデータ（例えば、ＢＬＥデバイスの識別情報、ＢＬＥデバイスの属性情報、ユーザ追加情報、ＢＬＥデバイスに含まれたセンサによってセンシングされた情報など）を保存することもできる。
【００７８】
メモリ１６０は、フラッシュメモリ・タイプ（flash memory type）、ハードディスク・タイプ（hard disk type）、マルチメディアカードマイクロ・タイプ（multimedia card micro type）、カードタイプのメモリ（例えば、ＳＤ（secure digital）メモリまたはＸＤ（extreme digital）メモリなど）、ＲＡＭ（random-access memory）、ＳＲＡＭ（static random access memory）、ＲＯＭ（read-only memory）ＥＥＰＲＯＭ（electrically erasable programmable read-only memory）、ＰＲＯＭ（programmable read-only memory）、磁気メモリ、磁気ディスク、光ディスクのうち少なくとも１つのタイプの記録媒体を含んでもよい。また、携帯端末１００は、インターネット上で、メモリ１６０の保存機能を遂行するウェブストレージ（web storage）を運営することもできる。
【００７９】
メモリ１６０に保存されたプログラムは、その機能によって、複数個のモジュールに分類することができるが、例えば、ＵＩモジュール１６１、カメラ・モジュール１６２、タッチスクリーン・モジュール１６３、アラーム・モジュール１６４などに分類される。
【００８０】
ＵＩモジュール１６１は、アプリケーション別に、ＢＬＥデバイス２００と連動される特化されたＵＩ、ＧＵＩなどを提供することができる。カメラ・モジュール１６２はＢＬＥデバイス２００に対応する客体のイメージをキャプチャ及び加工することができる。ＵＩモジュール１６１、カメラ・モジュール１６２の機能は、その名称から、当業者が直観的に推論することができるので、具体的な説明は省略する。
【００８１】
タッチスクリーン・モジュール１６３は、ユーザのタッチスクリーン上のタッチ・ジェスチャを感知し、タッチ・ジェスチャに係わる情報を、制御部１５０に伝達することができる。タッチスクリーン・モジュール１６３は、別途のコントローラ（Ｈ／Ｗ）によって構成されてもよい。
【００８２】
タッチスクリーンのタッチまたは近接タッチを感知するために、タッチスクリーンの内部または近くに、多様なセンサが具備されもする。タッチスクリーンのタッチを感知するためのセンサの一例として、触覚センサがある。触覚センサは、人が感じるほど、またはそれ以上に、特定物体の接触を感知するセンサをいう。前記触覚センサは、接触面の粗度、接触物体の硬度、接触地点の温度などの多様な情報を感知することができる。
【００８３】
また、タッチスクリーンのタッチを感知するためのセンサの一例として、近接センサがある。
【００８４】
近接センサは、所定の検出面に接近する物体、あるいは近傍に存在する物体の有無を電子系の力または赤外線を利用して、機械的接触なしにも検出するセンサをいう。近接センサの例としては、透過型光電センサ、直接反射型光電センサ、ミラー反射型光電センサ、高周波発振型近接センサ、静電容量型近接センサ、磁気型近接センサ、赤外線近接センサなどがある。ユーザのタッチ・ジェスチャには、タップ、タッチ＆ホールド、ダブルタップ、ドラッグ、パニング、フリック、ドラッグ・アンド・ドロップ、スワイプなどがある。
【００８５】
「タップ（tap）」は、ユーザが指やタッチツール（例えば、ライトペン）を利用して、画面をタッチした後、動かさないまま画面からすぐに持ち上げる動作を示す。
【００８６】
「タッチ＆ホールド（touch ＆ hold）」は、ユーザが指やタッチツール（stylus）を利用して画面をタッチした後、臨界時間（例えば、２秒）以上タッチ入力を維持する動作を示す。すなわち、タッチイン時点とタッチアウト時点との時間差が臨界時間（例えば、２秒）以上である場合を意味する。タッチ入力がタップであるか、あるいはタッチ＆ホールドであるかをユーザに認識させるために、タッチ入力が臨界時間以上維持されれば、視覚的、聴覚的または触覚的にフィードバック信号を提供することもできる。前記臨界時間は、具現例によって変更されもする。
【００８７】
「ダブルタップ（double tap）」は、ユーザが指やタッチツール（stylus）を利用して、画面を２回タッチする動作を示す。
【００８８】
「ドラッグ（drag）」は、ユーザが指やタッチツールを画面にタッチした後、タッチを維持した状態で、指やタッチツールを画面内の他の位置に移動させる動作を意味する。ドラッグ動作によって、オブジェクトが移動されるか、あるいは後述するパニング動作が遂行される。
【００８９】
「パニング（panning）」は、ユーザがオブジェクトを選択せずにドラッグ動作を遂行する場合を示す。パニングは、特定オブジェクトを選択しないので、オブジェクトがページ内で移動されるのではなく、ページ自体が画面内で移動したり、あるいはオブジェクトのグループがページ内で移動する。
【００９０】
「フリック（flick）」は、ユーザが指やタッチツールを利用して、臨界速度（例えば、１００pixel／ｓ）以上にドラッグする動作を示す。指やタッチツールの移動速度が臨界速度（例えば、１００pixel／ｓ）以上であるか否かということを基に、ドラッグ（またはパニング）とフリックとを区別することができる。
【００９１】
「ドラッグ・アンド・ドロップ（drag ＆ drop）」は、ユーザが指やタッチツールを利用して、オブジェクトを画面内所定位置にドラッグした後で放す動作を意味する。
【００９２】
「ピンチ（pinch）」は、ユーザが２本の指を画面の上にタッチした状態で、互いに異なる方向に動かす動作を示す。オブジェクトまたはページの拡大（pinch open）または縮小（pinch close）のためのジェスチャであり、２本の指の距離によって拡大値や縮小値が決定される。
【００９３】
「スワイプ（swipe）」は、指やタッチツールで、画面の上のオブジェクトをタッチした状態で、水平方向または垂直方向に一定距離を動かす動作である。斜線方向の動きは、スワイプ・イベントに認識されないこともある。
【００９４】
メモリ１６０は、音声認識エンジンを利用して、ユーザの音声を認識し、認識された音声を制御部１５０に伝達するための音声認識モジュール（図示せず）を含んでもよい。
【００９５】
アラーム・モジュール１６４は、携帯端末１００のイベント発生を知らせるための信号を発することができる。携帯端末１００で生じるイベントの例としては、コール信号受信、メッセージ受信、キー信号入力、日程お知らせなどがある。アラーム・モジュール１６４は、ディスプレイ部１２１を介して、ビデオ信号形態で、アラーム信号を出力することもでき、音響出力部１２２を介して、オーディオ信号形態で、アラーム信号を出力することもでき、振動モータ１２３を介して、振動信号形態で、アラーム信号を出力することもできる。
【００９６】
一方、アラーム・モジュール１６４は、スヌーズ（snooze）機能を提供することもできる。例えば、ユーザが、アラーム反復回数（例えば、５回）またはアラーム反復間隔（例えば、３分）などを設定した場合、アラーム・モジュール１６４は、アラーム信号を所定回数（例えば、５回）または所定間隔（例えば、３分）で出力することができる。
【００９７】
メモリ１６０に保存されたアプリケーションは、多様である。例えば、アプリケーションＤＢ（database）１６５には、リマインダ（reminder）・アプリケーション、コンタクト（contact）・アプリケーション、地図（map）アプリケーション、音楽（music）アプリケーション、電子ブック（ｅ−book）アプリケーション、健康管理（healthcare）アプリケーション、運動管理（fitness）アプリケーション、育児（baby care）アプリケーションなどがあるが、それらに限定されるものではない。
【００９８】
メモリ１６０は、ＢＬＥデバイス２００の識別情報と、お知らせ情報とをマッピングして保存することができる。本発明の一実施形態によれば、メモリ１６０は、ＢＬＥデバイス２００の識別情報と、複数のお知らせ情報とをマッピングして保存することもできる。
【００９９】
メモリ１６０は、登録ＢＬＥデバイスの識別情報と、携帯端末１００で支援する少なくとも１つの機能とをマッピングして保存することもできる。
【０１００】
図３は、本発明の一実施形態と係わるＳＳＰのデータ通信プロトコルについて説明するための図面である。
【０１０１】
図３に図示されているように、ＳＳＰ ３０は、センサハブ（sensor hub）３１と、ＳＳＰマネージャ（ＳＳＰ manager）３２とを含んでもよい。そのとき、ＢＬＥ通信部１１１は、センサハブ３１に付着され、ＳＳＰマネージャ３２は、ＡＰ １５１のフレームワークに含まれてもよい。
【０１０２】
従って、センサハブ３１は、ＢＬＥ通信部１１１を介して、外部のＢＬＥデバイス２００からブロードキャスティングされるＢＬＥデバイス２００の識別情報（例えば、タグＩＤ（identification）、機器名など）、ＢＬＥデバイス２００でセンシングされた測定値などを受信することができる。そのとき、スリープモードのＡＰ １５１を目覚めさせなければならない状況が生じる場合（例えば、受信されたＢＬＥデバイス２００の識別情報と係わって、所定アプリケーションを実行させなければならない場合）、センサハブ３１は、ＳＳＰマネージャ３２に伝送するデータがあるということを知らせる意味でinterrupt信号を送ることができる［Ｓ１０］。
【０１０３】
ＳＳＰマネージャ３２では、センサハブ３１が伝送するデータ形式（data type）や長さ（length）などを要請する内容の信号を、センサハブ３１に伝送することができる（Start to send data type ＆ length）［Ｓ２０］。その場合、センサハブ３１は、伝送するデータの形式及び長さに係わる内容をＳＳＰマネージャ３２に伝送することができる（Data type ＆ length to send）［Ｓ３０］。ＳＳＰマネージャ３２は、受信準備完了メッセージ（Start to read ＭＳＧ）をセンサハブ３１に伝送し［Ｓ４０］、センサハブ３１は、Start to read ＭＳＧが受信されれば、ＢＬＥ信号強度データなどを、前もって約束されたpacketに加工し、ＳＳＰマネージャ３２に伝送することができる（Send message）［Ｓ５０］。
【０１０４】
図４Ａ及び図４Ｂは、本発明の一実施形態と係わるＢＬＥデバイスについて説明するためのブロック構成図である。
【０１０５】
図４Ａに図示されているように、本発明の一実施形態によるＢＬＥデバイス２００は、電源供給部２１０、ＢＬＥ通信部２２０、制御部２３０を含んでもよい。しかし、図示された構成要素がいずれも必須構成要素であるというわけではない。図示された構成要素より多くの構成要素によって、ＢＬＥデバイス２００が具現され、それより少ない構成要素によっても、ＢＬＥデバイス２００が具現されもする。
【０１０６】
電源供給部２１０は、ＢＬＥデバイス２００に電源を供給するためのものであり、例えば、バッテリがある。電源供給部２１０は、再充電されたり、あるいは交換可能でもある。
【０１０７】
制御部２２０は、所定周期（例えば、１秒）で、ＢＬＥデバイス２００の識別情報を外部にブロードキャスティングすることができる。そのとき、制御部２２０は、ＢＬＥ通信部２３０を介して、メモリに保存されたＢＬＥデバイス２００の識別情報を、携帯端末１００に伝送することができる。ＢＬＥデバイス２００の識別情報は、ＢＬＥデバイス２００を他のデバイスと区別するための固有情報であり、例えば、タグＩＤ、デバイス名、シリアルナンバ、ＭＡＣ（media access control）アドレスなどがある。
【０１０８】
一方、本発明の一実施形態によれば、制御部２２０は、ＢＬＥデバイス２００の識別情報を、advertisingデータパケットを介して外部にブロードキャスティングすることができる。そのとき、本発明の一実施形態による制御部２２０は、advertisingデータパケットのＵＵＩＤフィールドまたはＭＳＤフィールドに、ＢＬＥデバイス２００の識別情報を挿入し、外部にブロードキャスティングすることができる。
【０１０９】
図４Ｂに図示されているように、本発明の一実施形態によるＢＬＥデバイス２００は、センシング部２４０をさらに含んでもよい。
【０１１０】
センシング部２４０は、ＢＬＥデバイス２００の状態、またはＢＬＥデバイス２００が付着された客体の状態を感知し、感知された情報を制御部２２０に伝達することができる。
【０１１１】
センシング部２４０は、温度センサ、湿度センサ、重さセンサ、加速度センサ（acceleration sensor）、勾配センサ（tilt sensor）、ジャイロセンサ（gyro sensor）、磁場センサ（３−axis magnetic sensor）、圧力センサ、照度センサ（illuminance sensor）及び近接センサのうち少なくとも一つを含んでもよい。また、センシング部２４０が、前記センサ以外に、さらに多様なセンサを含んでもよいということは、当業者に自明である。
【０１１２】
一方、ＢＬＥデバイス２００がセンシング部２４０をさらに含む場合、制御部２２０は、ＢＬＥ通信部２３０を介してセンシングされた情報を、既定の周期（例えば、１秒）でブロードキャスティングすることができる。既定の周期は、変更されてもよい。
【０１１３】
本発明の一実施例によれば、ＢＬＥデバイス２００は、センサを介して測定されたセンシング情報を、advertisingデータパケットのＭＳＤフィールドに含め、ブロードキャスティングすることもできる。例えば、ＢＬＥデバイス２００が、温度センサを含んでおり、温度センサによって測定された現在温度が３６℃である場合、ＢＬＥデバイス２００は、manufacturer specific data＜＜sensor＞＞フィールドに、温度が３６℃であることを示すコード（「０Ｘ０６００００２４」）を挿入し、ブロードキャスティングすることができる。
【０１１４】
以下では、携帯端末１００がＢＬＥデバイス２００から受信された情報に基づいて、所定サービスを提供する方法について、図５を参照して概略的に説明する。
【０１１５】
図５は、本発明の一実施形態と係わる携帯端末のＢＬＥデバイスを利用したサービス提供方法について概略的に説明するためのフローチャートである。
【０１１６】
段階５１０で、携帯端末１００は、周辺のＢＬＥデバイス２００を検索することができ、段階５２０で、携帯端末１００は、検索されたＢＬＥデバイス２００を登録することができる。例えば、携帯端末１００は、ＢＬＥ通信を介して、携帯端末１００に登録されていない新たなＢＬＥデバイス２００を検索し、検索されたＢＬＥデバイス２００の情報を、メモリ１６０に登録することができる。そのとき、携帯端末１００は、検索されたＢＬＥデバイス２００を、ユーザから入力されたユーザ追加情報とマッピングして登録することができる。それについては、図６を参照して、追って詳細に説明する。
【０１１７】
段階５３０で、携帯端末１００は、登録されたＢＬＥデバイス２００の識別情報と、制御命令とをマッピングし、メモリ１６０に保存することができる。そのとき、携帯端末１００は、ユーザ入力に基づいて、ＢＬＥデバイス２００の識別情報と制御命令とをマッピングして保存することができる。
【０１１８】
例えば、ユーザが行うこと（例えば、財布確認）を第１ ＢＬＥデバイスの識別情報（例えば、ＩＤ「ＸＸＸ」）とマッピングして入力する場合、携帯端末１００は、第１ ＢＬＥデバイスの識別情報（例えば、ＩＤ「ＸＸＸ」）と、ユーザが行うことに係わるお知らせ命令（または、リマインダ・アプリケーション実行命令）とをマッピングして保存することができる。
【０１１９】
また、ユーザが、第２ ＢＬＥデバイスの識別情報（例えばＩＤ「ＹＹＹ」）と特定音楽とをマッピングして入力する場合、携帯端末１００は、第２ ＢＬＥデバイスの識別情報（例えば、ＩＤ「ＹＹＹ」）と、特定音楽の再生命令（または、音楽アプリケーション実行命令）とをマッピングして保存することができる。
【０１２０】
一方、携帯端末１００は、ＢＬＥデバイス２００の識別情報とモード変更情報とをマッピングして保存することもできる。例えば、第３ ＢＬＥデバイスの識別情報（例えば、ＩＤ「ＡＡＡ」）とＷｉ−Ｆｉモードとをマッピングして保存し、第３ ＢＬＥデバイスの識別情報（例えば、ＩＤ「ＢＢＢ」）とブルートゥース・モードとをマッピングして保存することができる。
【０１２１】
段階５４０で、携帯端末１００は、ＢＬＥデバイス２００の通信半径内に位置する場合、ＢＬＥデバイス２００から識別情報を受信することができる。そのとき、本発明の一実施形態によれば、携帯端末１００は、ＢＬＥデバイス２００からセンシング情報を受信することもできる。
【０１２２】
携帯端末１００は、ＢＬＥデバイス２００から受信された識別情報と、メモリ１６０に保存された登録ＢＬＥデバイス目録とを比較し、識別情報を伝送したＢＬＥデバイス２００が、登録されたデバイスであるか否か判断することができる。また、携帯端末１００は、ＢＬＥデバイス２００から受信された識別情報とマッピングされた制御命令が存在するか否かを判断することもできる。
【０１２３】
もしＢＬＥデバイス２００から受信された識別情報とマッピングされた制御命令が存在する場合、段階５５０で、携帯端末１００は、受信されたＢＬＥデバイスの識別情報を基に、制御命令を遂行することができる。
【０１２４】
例えば、第１ ＢＬＥデバイスから識別情報（例えば、ＩＤ「ＸＸＸ」）が受信される場合、携帯端末１００は、メモリ１６０に保存された制御情報を検索することができる。そのとき、第１ ＢＬＥデバイスの識別情報（例えば、ＩＤ「ＸＸＸ」）と、「財布確認」というお知らせメッセージ出力制御命令とがマッピングされている場合、携帯端末１００は、既定のアプリケーション（例えば、リマインダ・アプリケーション）を実行し、「財布確認」というお知らせメッセージを出力することができる。
【０１２５】
また、第３ ＢＬＥデバイスから識別情報（例えば、ＩＤ「ＡＡＡ」）が受信される場合、携帯端末１００は、メモリ１６０に保存された制御情報を検索し、ＩＤ「ＡＡＡ」とマッピングされた制御命令「Ｗｉ−Ｆｉモード設定」を求めることができる。その場合、携帯端末１００は、Ｗｉ−Ｆｉモジュールを自動的活性化することができる。
【０１２６】
一方、携帯端末１００は、ＢＬＥデバイス２００から受信されたセンシング情報を基に、制御命令を遂行することもできる。ＢＬＥデバイス２００から受信されたセンシング情報は、ＢＬＥデバイス２００でセンシングされるデータ自体でもあり、ＢＬＥデバイス２００でセンシングされるデータを後処理した情報でもある。
【０１２７】
例えば、携帯端末１００は、哺乳瓶に付着されたＢＬＥデバイス２００から、温度センサを介してセンシングされた温度情報を所定周期で受信することにより、哺乳瓶の温度をモニタリングすることができる。モニタリング最中に、哺乳瓶の温度がユーザが設定した温度（例えば、３６．５℃）になる場合、携帯端末１００は、「哺乳瓶温度が適当に合わせられました」というお知らせメッセージを出力することができる。
【０１２８】
また、携帯端末１００は、ＢＬＥデバイス２００から、モーションセンサを介してセンシングされたモーション情報が受信される場合、モーション情報に対応するアプリケーションを実行することができる。例えば、２回振るモーション情報が受信される場合、携帯端末１００は、通話アプリケーションを実行し、２回振るモーションと係わって既設定の他人（例えば、親）のデバイスに電話連結を試みることができる。
【０１２９】
すなわち、本発明の一実施形態による携帯端末１００は、近距離に位置したＢＬＥデバイス２００を利用して、多様なサービス（例えば、リマインダ・サービス、モード変更サービス、モニタリング・サービス、リモートコントロール・サービスなど）を提供することができる。それらについては、追ってさらに詳細に説明する。
【０１３０】
図６は、本発明の一実施形態と係わる携帯端末のＢＬＥデバイス登録方法及び管理方法について説明するためのフローチャートである。図６を参照すれば、本発明の一実施形態によるＢＬＥデバイス登録方法及び管理方法は、図１ないし図３に図示された携帯端末１００で処理される段階によって構成される。従って、以下で省略された内容であるとしても、図１ないし図３に図示された携帯端末１００について、以上で記述された内容は、図６のＢＬＥデバイス登録方法及び管理方法にも適用されるということが分かる。
【０１３１】
段階６１０で、携帯端末１００は、ＢＬＥデバイス２００を検索することができる。例えば、ユーザから新たなＢＬＥデバイス２００に係わる登録または追加の要請が受信された場合、携帯端末１００は、周辺のＢＬＥデバイス２００から、advertising packet形態の識別情報を受信することができる。また、本発明の一実施形態によれば、携帯端末１００は、ユーザの要請と係わりなく、周辺ＢＬＥデバイス２００からadvertising packet形態の識別情報を受信することもできる。
【０１３２】
すなわち、本発明の一実施形態によるＢＬＥデバイス２００は、advertising packetのＵＵＩＤフィールドまたはＭＳＤフィールドに、ＢＬＥデバイス２００の識別情報を挿入してブロードキャスティングすることができる。
【０１３３】
本発明の一実施形態による識別情報には、ＢＬＥデバイス２００の属性情報が含まれてもよい。属性情報とは、当該ＢＬＥデバイスが有している属性（例えば、外観）に係わる情報であり、例えば、色相情報（例えば、赤色、黄色、青色、オレンジ色、紫色、黒色など）、形状情報（例えば、四角形、三角形、円形、ヒトデ形、ハート形）、image情報（例えば、水玉模様、ダイヤモンド模様、チェック模様、熊、ひまわりなど）などがある。また、本発明の一実施形態による属性情報は、ＢＬＥデバイス２００に含まれたセンサに係わるセンサ情報（例えば、センサＩＤ、センサの種類、センサの名称など）を含んでもよい。
【０１３４】
一方、携帯端末１００は、ＢＬＥデバイス２００から、識別情報と別途に属性情報を受信することもできる。すなわち、本発明の一実施形態によるＢＬＥデバイス２００は、識別情報と別途に、属性情報をadvertisingデータパケットのＭＳＤフィールドに挿入し、外部にブロードキャストすることもできる。
【０１３５】
段階６２０で、携帯端末１００は、検索されたＢＬＥデバイスの属性情報が含まれたＢＬＥデバイス目録を表示することができる。
【０１３６】
携帯端末１００は、検索されたＢＬＥデバイスの識別情報を基に、検索されたＢＬＥデバイスが既登録のＢＬＥデバイスであるか否かを判断することができる。そして、携帯端末１００は、検索されたＢＬＥデバイスのうち登録されていない少なくとも１つのＢＬＥデバイスの識別情報を利用して、未登録のＢＬＥデバイス目録を生成することができる。本発明の一実施形態によるＢＬＥデバイス目録には、ＢＬＥデバイスの属性情報（例えば、色相情報、形状情報、image情報、センサ情報など）が表示されるので、ユーザは、さまざまなＢＬＥデバイスを容易に区分することができる。
【０１３７】
段階６３０で、携帯端末１００は、ＢＬＥデバイス目録のうち、少なくとも１つのＢＬＥデバイスに係わるユーザの選択を受信することができる。例えば、ユーザは、検索されたＢＬＥデバイス目録から、登録しようとする少なくとも１つのＢＬＥデバイスを選択することができるのである。そのとき、ユーザは、選択しようとするＢＬＥデバイスが表示されたタッチスクリーンの一定領域をタップしたり、スワイプしたり、あるいはフリックすることにより、ＢＬＥデバイス目録から、少なくとも１つのＢＬＥデバイスを選択することができる。
【０１３８】
段階６４０で、携帯端末１００は、選択されたＢＬＥデバイスに係わるユーザ追加情報を入力される。本発明の一実施形態による携帯端末１００は、ユーザによって選択されたＢＬＥデバイスに係わるユーザ追加情報を入力されるＧＵＩを提供することができる。ユーザは、ＧＵＩを介して、ユーザ追加情報を入力することができる。
【０１３９】
ユーザ追加情報とは、ユーザが入力したＢＬＥデバイス２００に係わる任意情報または詳細情報を意味することができる。また、ユーザ追加情報は、検索されたＢＬＥデバイス２００が携帯端末１００に提供する情報（例えば、ＢＬＥデバイスＩＤなどの固有識別情報、色相情報、センサ情報など）に、ユーザがＧＵＩを介して追加した情報を含んでもよい。
【０１４０】
例えば、ユーザ追加情報には、ユーザが任意に設定したＩＤ、ニックネーム、カテゴリー、メモ、お知らせ情報、ＢＬＥデバイス２００に対応する客体（例えば、ＢＬＥデバイスが付着された客体、またはＢＬＥデバイスが位置する場所）のイメージなどがあるが、それらに限定されるものではない。
【０１４１】
段階６５０で、携帯端末１００は、選択されたＢＬＥデバイス２００を登録することができる。すなわち、携帯端末１００は、ＢＬＥデバイス２００の属性情報（例えば、色相情報、形状情報、image情報、センサ情報）及びユーザ追加情報をマッピングし、メモリ１６０に保存することにより、選択されたＢＬＥデバイス２００に係わる登録処理を行うことができる。
【０１４２】
そのとき、携帯端末１００は、選択されたＢＬＥデバイス２００の属性情報及びユーザ追加情報を、ＢＬＥデバイス２００のプロファイル情報として保存することができる。従って、ユーザは、登録されたＢＬＥデバイス２００のプロファイル情報を確認することにより、ＢＬＥデバイス２００を容易に管理することができる。一方、ＢＬＥデバイス２００にセンサが含まれている場合、プロファイル情報には、センサによって測定された値が自動的に反映されてもよい。
【０１４３】
図７は、本発明の一実施形態と係わるＢＬＥデバイスの色相情報を目録に適用する方法について説明するためのフローチャートである。
【０１４４】
段階７１０で、ＢＬＥデバイス２００は、外観に示される色相情報が含まれた識別情報を、ＢＬＥ通信を介してブロードキャスティングすることができる。例えば、ＢＬＥデバイス２００が青色のＢＬＥタグである場合、ＢＬＥデバイス２００は、色相情報が含まれた識別情報（例えば、「SAMSUNG＿ＴＡＧ００１＿blue」）をadvertisingデータパケットのＵＵＩＤフィールドまたはＭＳＤフィールドに挿入し、外部にブロードキャスティングすることができる。
【０１４５】
段階７２０で、携帯端末１００は、周辺のＢＬＥデバイス２００から、色相情報が含まれた識別情報を受信することができる。
【０１４６】
段階７３０で、携帯端末１００は、受信されたＢＬＥデバイス２００の識別情報と、メモリ１６０に保存された登録ＢＬＥデバイス目録とを比較し、検索されたＢＬＥデバイス２００が、既登録のデバイスであるか否かを判断することができる。
【０１４７】
段階７４０で、検索されたＢＬＥデバイスが登録されていないＢＬＥデバイスである場合、携帯端末１００は、色相を適用し、登録されていないＢＬＥデバイス目録に検索されたデバイスの識別情報を表示することができる。例えば、検索されたＢＬＥデバイスが黄色である場合、携帯端末１００は、黄色を適用し、ＢＬＥデバイス目録に検索されたＢＬＥデバイスの識別情報を追加することができる。
【０１４８】
段階７５０ないし段階７８０は、図６の段階６３０ないし段階６５０に対応するので、具体的な説明は省略し、図８Ａないし図８Ｃ、並びに図９Ａ及び図９Ｂを参照して、さらに詳細に説明する。
【０１４９】
図８Ａないし図８Ｃは、本発明の一実施形態と係わる色相情報が含まれたＢＬＥデバイス目録を示す図面である。
【０１５０】
図８Ａに図示されているように、ユーザがＢＬＥタグ追加メニューを選択する場合、図８Ｂに図示されているように、携帯端末１００は、周辺のＢＬＥタグを検索することができる。その場合、図８Ｃに図示されているように、携帯端末１００は、第１ ＢＬＥタグ８１０から、第１識別情報（「SAMSUNG＿ＢＬＥ＿ＴＡＧ００１＿ｙgreen」）を受信し、第２ ＢＬＥタグ８２０から、第２識別情報（「SAMSUNG＿ＢＬＥ＿ＴＡＧ００２＿sky」）を受信し、第３ ＢＬＥタグ８３０から、第３識別情報（「SAMSUNG＿ＢＬＥ＿ＴＡＧ００３＿red」）を受信することができる。
【０１５１】
第１識別情報、第２識別情報、第３識別情報それぞれには、ＢＬＥタグの色相値（例えば、ｙgreen、sky、red）が含まれているので、携帯端末１００は、第１識別情報には、黄緑色を適用し、第２識別情報には空色を適用し、第３識別情報には赤色を適用し、検索されたＢＬＥデバイス目録を表示することができる。従って、ユーザは、周辺の多くのＢＬＥデバイスの識別情報を区別することができる。
【０１５２】
本発明の一実施形態によれば、携帯端末１００は、ＢＬＥタグから受信された識別情報にimage値が含まれている場合、ＢＬＥデバイス目録にimageを適用して表示することもできる。
【０１５３】
一方、図８Ｃに図示されているように、ユーザがＢＬＥデバイス目録のうち、特定ＢＬＥデバイス８１０を選択した場合、携帯端末１００は、選択されたＢＬＥデバイス８１０について、ユーザ追加情報を入力される入力ウィンドーを提供することができる。それらについては、図９Ａ及び図９Ｂを参照して説明する。
【０１５４】
図９及び図９Ｂは、本発明の一実施形態と係わるユーザ追加情報を入力される入力ウィンドーを示す図面である。
【０１５５】
図９Ａに図示されているように、携帯端末１００は、選択されたＢＬＥデバイス８１０について、ユーザ追加情報を入力される入力ウィンドーを提供することができる。入力ウィンドーには、ＩＤ入力フィールド９１、カテゴリー入力フィールド９２、メモフィールド９３、イメージ挿入フィールド９４、お知らせ提供選択フィールド９５などが含まれてもよい。ＩＤ入力フィールド９１は、使用の便宜のために、ユーザが任意のＩＤを入力することができるフィールドであり、ＢＬＥデバイス８１０の固有識別情報（例えば、ＴＡＧ Ｓ／Ｎ ３Ｃ：Ｄ０：Ｆ８；２６：２２：０Ｄ）が表示されるフィールド９６とは区別されもする。
【０１５６】
図９Ｂに図示されているように、ユーザが事務室机に付着させるためのＢＬＥデバイス９００を選択して登録しようとする場合、ユーザは、連想しやすいように選択されたＢＬＥデバイス９００のＩＤを「desk」に設定し、簡単なメモ（例えば、My desk in the office）を残すことができる。
【０１５７】
また、ユーザは、ＢＬＥデバイス９００が付着される机のイメージ及びＢＬＥデバイス９００のイメージのうち少なくとも一つを挿入することもできる。そのとき、携帯端末１００は、ユーザの要請により、メモリ１６０で既保存のイメージを呼び出すこともでき、写真撮影モードを活性化し、机を撮影することもできる。
【０１５８】
本発明の一実施形態による携帯端末１００は、ＢＬＥデバイス９００の登録時、ユーザによって入力されたユーザ追加情報を、ＢＬＥデバイス９００の属性情報とマッピングし、プロファイル情報として保存することができる。
【０１５９】
図１０は、本発明の一実施形態と係わるセンサ情報が含まれたＢＬＥデバイス目録を表示する方法について説明するためのフローチャートである。
【０１６０】
段階１０１０で、ＢＬＥデバイス２００は、センサ情報が含まれた識別情報をブロードキャスティングすることができる。例えば、ＢＬＥデバイス２００が温度センサを含むＢＬＥタグである場合、ＢＬＥデバイス２００は、センサ情報が含まれた識別情報（例えば、「SAMSUNG＿Ｔｅｍｐ＿ＴＡＧ００１＿blue」）をadvertisingデータパケットのＵＵＩＤフィールドまたはＭＳＤフィールドに挿入し、外部にブロードキャスティングすることができる。
【０１６１】
そのとき、段階１０２０で、携帯端末１００は、ＢＬＥデバイス２００の識別情報を受信することができる。そして、段階１０３０で、携帯端末１００は、センサ情報を含むＢＬＥデバイス目録を生成して表示することができる。
【０１６２】
段階１０４０ないし段階１０７０は、図６の段階６３０ないし段階６５０に対応するので、具体的な説明は省略し、図１１Ａないし図１１Ｃから図１３Ａ及び図１３Ｂを参照する。
【０１６３】
図１１Ａないし図１１Ｃは、本発明の一実施形態と係わるセンサ情報が含まれたＢＬＥデバイス目録を示す図面である。
【０１６４】
図１１Ａに図示されているように、ユーザがＢＬＥタグ追加メニューを選択する場合、図１１Ｂに図示されているように、携帯端末１００は、周辺のＢＬＥタグを検索することができる。その場合、図１１Ｃに図示されているように、携帯端末１００は、第１ ＢＬＥタグ１１１０から、第１識別情報（「SAMSUNG＿Ｔｅｍｐ＿ＴＡＧ００１＿blue」）を受信し、第２ ＢＬＥタグ１１２０から、第２識別情報（「SAMSUNG＿Motion＿ＴＡＧ００２＿sky」）を受信し、第３ ＢＬＥタグ１１３０から、第３識別情報（「SAMSUNG＿Weight＿ＴＡＧ００３＿red」）を受信することができる。
【０１６５】
第１識別情報、第２識別情報、第３識別情報それぞれには、ＢＬＥデバイスに搭載されたセンサ値（例えば、ｔｅｍｐ、motion、weight）が含まれているので、携帯端末１００は、センサ情報（例えば、温度センサ、モーションセンサ、重さセンサ）を含むＢＬＥデバイス目録を表示することができる。従って、ユーザは、ＢＬＥタグのセンサ情報を、ＢＬＥデバイス目録で確認することにより、登録するＢＬＥタグを容易に決定することができる。例えば、哺乳瓶に使用するＢＬＥタグが必要な場合、ユーザは、温度センサが含まれた第１ ＢＬＥタグ１１１０を選択し、携帯端末１００に登録することができるのである。
【０１６６】
図１２は、本発明の一実施形態と係わるカテゴリーを設定する設定ウィンドーを示す図面である。
【０１６７】
ユーザから、少なくとも１つのＢＬＥデバイス２００に係わる選択が受信された場合、携帯端末１００は、カテゴリーを設定する設定ウィンドーを表示することができる。カテゴリーは、ＢＬＥデバイス２００の位置（例えば、家、事務室、車など）、ＢＬＥデバイス２００を介してモニタリングされる客体（object）、ＢＬＥデバイス２００を所持したユーザ（people）などに分類されもするが、それらに限定されるものではない。
【０１６８】
図１３Ａ及び図１３Ｂは、本発明の一実施形態と係わるセンサを含むＢＬＥデバイスのユーザ追加情報を入力される入力ウィンドーを示す図面である。
【０１６９】
図１３Ａに図示されているように、本発明の一実施形態によるユーザ追加入力ウィンドーには、ＩＤ入力フィールド１０１、カテゴリー入力フィールド１０２、イメージ挿入フィールド１０３、お知らせ提供選択フィールド１０４、メモフィールド１０５などが含まれてもよい。
【０１７０】
図１３Ｂに図示されているように、ユーザがＢＬＥデバイス１３００を哺乳瓶に付着させるために、温度センサが含まれたＢＬＥデバイス１３００を登録する場合、ユーザは、ＢＬＥデバイス１３００のＩＤを「baby bottle」として入力し、カテゴリーは、「ベビー用品」に設定し、簡単なメモ（例えば、My baby bottle degree check）を残すことができる。また、ユーザは、ＢＬＥデバイス１３００から受信されるセンサ値が所定値になる場合、お知らせメッセージを表示するように設定することもできる。
【０１７１】
一方、センシング情報表示フィールド１０６には、ユーザの入力と係わりなく、ＢＬＥデバイス１３００から受信されたセンシング情報（例えば、現在温度：６０．５℃）が自動反映されて表示される。
【０１７２】
本発明の一実施形態による、携帯端末１００は、ＢＬＥデバイス１３００の登録時、ユーザによって入力されたユーザ追加情報と、ＢＬＥデバイス１３００の属性情報（例えば、センサ情報、外観色相情報など）とをマッピングして登録することができる。
【０１７３】
図１４は、本発明の一実施形態と係わる登録ＢＬＥデバイスのプロファイル情報を提供する方法について説明するためのフローチャートである。
【０１７４】
段階１４１０で、携帯端末１００は、携帯端末１００にすでに登録された登録ＢＬＥデバイス目録を表示することができる。そのとき、本発明の一実施形態による携帯端末１００は、登録されたＢＬＥデバイスそれぞれのプロファイル情報に基づいて、登録ＢＬＥデバイス目録を表示することもできる。すなわち、携帯端末１００は、ＢＬＥデバイスから受信された識別情報を利用して、登録ＢＬＥデバイス目録を構成することもでき、ユーザによって入力されたユーザ追加情報（例えば、ＩＤ）を利用して、登録ＢＬＥデバイス目録を構成することもできるのである。
【０１７５】
例えば、図１５に図示されているように、登録ＢＬＥデバイス目録を要請するユーザ入力が受信される場合、携帯端末１００は、登録されたＢＬＥデバイスの目録を画面に表示することができる。そのとき、携帯端末１００は、ユーザが登録ＢＬＥデバイスを容易に識別することができるように、ユーザによって入力されたＩＤ、ニックネーム、カテゴリー情報などを含む登録デバイス目録を構成して表示することができる。
【０１７６】
段階１４２０で、携帯端末１００は、登録ＢＬＥデバイス目録のうち少なくとも１つの登録ＢＬＥデバイスに係わるユーザの選択を受信することができる。本発明の一実施形態によれば、ユーザは、タップ・ジェスチャ、スワイプ・ジェスチャ、フリック・ジェスチャまたは音声命令などを介して、少なくとも１つの登録ＢＬＥデバイスを選択することができる。
【０１７７】
段階１４３０で、携帯端末１００は、ユーザによって選択された登録ＢＬＥデバイスのプロファイル情報を提供することができる。プロファイル情報は、選択された登録ＢＬＥデバイスに係わる固有識別情報（例えば、デバイスＩＤ、Ｓ／Ｎ（serial number）、ＭＡＣ addressなど）、属性情報（例えば、外観の色相情報、image情報、センサ情報など）、及びユーザ追加情報（例えば、ユーザによって設定されたＩＤ、ニックネーム、カテゴリー、メモなど）のうち少なくとも一つを含んでもよい。
【０１７８】
例えば、携帯端末１００は、登録ＢＬＥデバイスのＩＤ、ニックネーム、カテゴリー、メモ、お知らせ情報などをプロファイル情報として提供することができる。また、本発明の一実施形態によれば、登録ＢＬＥデバイスがセンサを含んでいる場合、携帯端末１００は、選択された登録ＢＬＥデバイスから、所定周期でセンシング情報を受信し、プロファイル情報として表示することもできる。それについては、図１６Ａないし図１６Ｅを参照する。
【０１７９】
図１６Ａないし図１６Ｅは、本発明の一実施形態と係わる登録ＢＬＥデバイスのプロファイル情報を表示する図面である。
【０１８０】
図１６Ａに図示されているように、登録ＢＬＥデバイス１６１０が温度センサを含んでいる場合、携帯端末１００は、登録ＢＬＥデバイス１６１０に対応するプロファイル情報として、登録時にユーザから入力されたＩＤ（例えば、baby bottle）、カテゴリー（例えば、ベビー用品）、メモ内容（例えば、My baby bottle degree check）、イメージ（例えば、哺乳瓶写真）などのユーザ追加情報外に、温度情報（例えば、６０．５℃）をさらに表示することができる。
【０１８１】
図１６Ｂに図示されているように、登録ＢＬＥデバイス１６２０が重さセンサをさらに含んでいる場合、携帯端末１００は、登録ＢＬＥデバイス１６２０に対応するプロファイル情報として、登録時にユーザから入力されたＩＤ（例えば、Ringer）、カテゴリー（例えば、医療用品）、メモ内容（例えば、Check and injection of Ringer’s solution）、イメージ（例えば、リンゲル写真）などのユーザ追加情報以外に、重さ情報（例えば、５５０ｇ）をさらに表示することができる。
【０１８２】
図１６Ｃに図示されているように、登録ＢＬＥデバイス１６３０が近接センサを含んでいる場合、携帯端末１００は、登録ＢＬＥデバイス１６３０に対応するプロファイル情報として、登録時にユーザから入力されたＩＤ（例えば、baby stroller）、カテゴリー（例えば、ベビー用品）、メモ内容（例えば、My baby’s first stroller）、イメージ（例えば、ベビーカーイメージ）などのユーザ追加情報以外に、携帯端末１００と登録ＢＬＥデバイス１６３０との距離に係わる情報（例えば、１ｍ）をさらに表示することができる。
【０１８３】
本発明の一実施形態によれば、携帯端末１００は、登録ＢＬＥデバイスから受信された信号の強度を基に、登録ＢＬＥデバイス１６３０と携帯端末１００との距離に係わる情報を獲得することもできる。例えば、携帯端末１００は、信号の強度が弱いほど、登録ＢＬＥデバイス１６３０と携帯端末１００との距離が遠く、信号の強度が強いほど、登録ＢＬＥデバイス１６３０と携帯端末１００との距離が近いという相関関係を利用して、登録ＢＬＥデバイス１６３０と携帯端末１００との距離を計算することができる。携帯端末１００は、計算された距離情報を、登録ＢＬＥデバイス１６３０のプロファイル情報として表示することができる。
【０１８４】
図１６Ｄに図示されているように、登録ＢＬＥデバイス（１６４０）がモーションセンサを含んでいる場合、携帯端末１００は、登録ＢＬＥデバイス１６４０に対応するプロファイル情報として、登録時にユーザから入力されたＩＤ（例えば、ｅBook）、カテゴリー（例えば、smart device）、メモ内容（例えば、Read a child to sleep）、イメージ（例えば、人形写真）などのユーザ追加情報以外に、モーション情報（例えば、２０ shakes）をさらに表示することができる。
【０１８５】
図１６Ｅに図示されているように、登録ＢＬＥデバイス１６５０がセンサを含んでいない場合、携帯端末１００は、登録ＢＬＥデバイス１６５０に対応するプロファイル情報として、登録時ユーザから入力されたＩＤ（例えば、desk）、カテゴリー（例えば、office）、メモ内容（例えば、My desk in the office）、イメージ（例えば、机写真）などを表示することができる。
【０１８６】
一方、本発明の一実施形態によれば、携帯端末１００は、登録ＢＬＥデバイスのユーザ追加情報を更新することができる。例えば、登録ＢＬＥデバイスの付着位置が変更された場合、携帯端末１００は、ユーザから登録ＢＬＥデバイスに係わるＩＤ、カテゴリー、メモ内容、イメージなどを新たに入力され、ユーザ追加情報を更新することができるのである。
【０１８７】
また、携帯端末１００は、センシング情報が変更されることにより、登録ＢＬＥデバイスのユーザ追加情報を更新することができる。そのとき、センシング情報は、ＢＬＥデバイス２００から、ブロードキャスティングされるadvertising packetのＭＳＤフィールドに含まれている。
【０１８８】
以下では、携帯端末１００が登録ＢＬＥデバイスの識別情報を利用して、所定サービスを提供する方法について具体的に説明する。説明の便宜上、以下で言及するＢＬＥデバイス２００は、特別な場合（例えば、別途に未登録ＢＬＥデバイスという場合）を除いては、携帯端末１００に既登録のＢＬＥデバイス２００を意味するとする。
【０１８９】
図１７は、本発明の一実施形態に係わる携帯端末が、お知らせ情報をユーザから入力される方法について説明するためのフローチャートである。
【０１９０】
段階１７１０で、携帯端末１００は、携帯端末１００に既登録の登録ＢＬＥデバイス目録を表示することができる。例えば、登録ＢＬＥデバイス目録を要請するユーザ入力が受信される場合、携帯端末１００は、既登録のＢＬＥデバイスの目録を画面に表示することができる。そのとき、携帯端末１００は、ユーザが登録ＢＬＥデバイスを容易に識別することができるように、ユーザによって入力されたＩＤ、ニックネーム、カテゴリー情報などを含む登録デバイス目録を構成して表示することができる。
【０１９１】
段階１７２０で、携帯端末１００は、登録ＢＬＥデバイス目録のうち少なくとも１つの登録ＢＬＥデバイスに係わる選択を受信することができる。例えば、携帯端末１００は、登録ＢＬＥデバイス目録のうち少なくとも１つの登録ＢＬＥデバイス選択のためのユーザのタップ・ジェスチャ、スワイプ・ジェスチャ、フリック・ジェスチャなどを感知したり、あるいはユーザの音声命令を認識することができる。
【０１９２】
段階１７３０で、携帯端末１００は、ユーザによって選択された登録ＢＬＥデバイスについてのお知らせ情報を入力される。
【０１９３】
本発明の一実施形態によるアラーム情報は、携帯端末１００が登録ＢＬＥデバイスの通信半径内に入る場合（または、通信半径から外れる場合）、ユーザが携帯端末１００を介してお知らせを受けようと設定するお知らせメッセージを含んでもよい。
【０１９４】
例えば、お知らせ情報は、ＢＬＥデバイスが位置した場所に係わるお知らせメッセージ、ＢＬＥデバイスが位置した場所に存在する客体に係わるお知らせメッセージ、ＢＬＥデバイスが付着された客体に係わるお知らせメッセージ、及びＢＬＥデバイスを所持した他ユーザについてのお知らせメッセージのうち少なくとも一つを含んでもよいが、それらに限定されるものではない。
【０１９５】
本発明の一実施形態によるお知らせメッセージは、テキストメッセージ、音声メッセージ、静止映像、動画及び地図のうち少なくとも１つの形態を有することができる。すなわち、ユーザは、お知らせメッセージをテキスト形態で入力することもでき、音声形態で入力することもできる。また、ユーザは、お知らせメッセージに、客体のイメージ（例えば、ＢＬＥデバイスが付着された客体のイメージ、またはお知らせメッセージに係わる客体のイメージ）、または客体の位置情報（例えば、客体の位置が表示された地図、客体の位置が表示された平面図のレイアウトなど）を追加することもできる。
【０１９６】
本発明の一実施形態によるお知らせ情報は、お知らせメッセージの出力に係わるお知らせ条件情報を含んでもよい。本発明の一実施形態によるお知らせ条件情報には、お知らせメッセージが出力される時点に係わる条件情報（例えば、携帯端末１００が、ＢＬＥデバイスの通信半径内に入る場合、携帯端末１００がＢＬＥデバイスの通信半径を離脱する場合など）、お知らせメッセージが出力される時間に係わる条件（例えば、朝、昼、夕方、午後３時から５時までなど）、お知らせメッセージが出力される携帯端末１００とＢＬＥデバイスとの距離条件（例えば、３ｍ以内）などがある。本発明の一実施形態によれば、携帯端末１００は、１つのＢＬＥデバイスに係わる１つのお知らせ情報を入力され、二つ以上のＢＬＥデバイスについて、同一のお知らせ情報を入力されてもよい。
【０１９７】
例えば、ユーザは、事務室机に付着された第１ ＢＬＥデバイスと、「インターネット書店で、ＯＯ本の注文」というお知らせメッセージとを１：１にマッピングし、お知らせを設定することができる。また、ユーザは、事務室机に付着された第１ ＢＬＥデバイス及び玄関扉に付着された第２ ＢＬＥデバイスそれぞれに「インターネット書店で、ＯＯ本の注文」というお知らせメッセージをマッピングし、お知らせを設定することもできる。
【０１９８】
一方、携帯端末１００は、１つのＢＬＥデバイスについて、複数のお知らせ情報を入力されてもよい。それらについては、図２６から図２８Ａ及び図２８Ｂを参照し、追って詳細に説明する。
【０１９９】
本発明の一実施形態によれば、携帯端末１００は、住所録アプリケーション、日程アプリケーション、メッセージ・アプリケーション、メモ・アプリケーションなど多様なアプリケーションを介して、ＢＬＥデバイスについてのお知らせ情報を入力される。例えば、携帯端末１００は、住所録アプリケーションを実行し、住所録アプリケーション上に、お知らせメッセージを入力することができるＧＵＩを提供することができる。また、文字メッセージが受信される場合、携帯端末１００は、メッセージ・アプリケーションを実行し、文字メッセージに係わるお知らせを設定することができるＧＵＩを提供することもできる。
【０２００】
段階１７４０で、携帯端末１００は、登録ＢＬＥデバイスの識別情報と、お知らせ情報とをマッピングし、メモリ１６０に保存することができる。本発明の一実施形態によれば、携帯端末１００は、お知らせ情報を、登録ＢＬＥデバイスに係わる固有識別情報（例えば、デバイスＩＤ、Ｓ／Ｎ、ＭＡＣ addressなど）以外に、属性情報（例えば、外観の色相情報、image情報、センサ情報など）、またはユーザ追加情報（例えば、ユーザによって設定されたＩＤ、ニックネーム、カテゴリー、メモなど）とさらにマッピングし、メモリ１６０に保存することもできる。
【０２０１】
一方、ユーザが、登録ＢＬＥデバイスに係わるお知らせメッセージを変更する場合、携帯端末１００は、メモリ１６０に保存された登録ＢＬＥデバイスに係わるお知らせ情報を更新することができる。
【０２０２】
本発明の一実施形態によれば、携帯端末１００は、住所録アプリケーション、日程アプリケーション、メッセージ・アプリケーション、メモ・アプリケーションなどを介して入力された登録ＢＬＥデバイスについてのお知らせ情報を、登録ＢＬＥデバイスの識別情報とマッピングして保存することもできる。
【０２０３】
例えば、「警備室に宅配配達完了」という文字メッセージが、携帯端末１００に受信された場合、携帯端末１００は、メッセージ・アプリケーションを実行し、画面に表示されるメッセージ・ウィンドーにお知らせ設定ボタンをさらに表示することができる。ユーザが、お知らせ設定ボタンを選択する場合、携帯端末１００は、登録ＢＬＥデバイス目録を提供することができる。ユーザが登録ＢＬＥデバイス目録のうち少なくとも１つの登録ＢＬＥデバイス（例えば、玄関扉に付着されたＢＬＥデバイス）を選択する場合、携帯端末１００は、選択されたＢＬＥデバイス（例えば、玄関扉に付着されたＢＬＥデバイス）の識別情報と、前記文字メッセージ（「警備室に宅配配達完了」）とをマッピングし、選択されたＢＬＥデバイス（例えば、玄関扉に付着されたＢＬＥデバイス）に係わるお知らせ情報としてメモリ１６０に保存することができる。
【０２０４】
図１８Ａ及び図１８Ｂ、本発明の一実施形態に係わる登録ＢＬＥデバイスに係わるお知らせを設定する画面を示す図面である。
【０２０５】
図１８Ａに図示されているように、携帯端末１００は、登録ＢＬＥデバイス目録を提供することができる。携帯端末１００は、ユーザの便宜のために、登録ＢＬＥデバイス目録をユーザによって設定されたＩＤ、ニックネーム、カテゴリーなどによって構成して表示することができる。例えば、携帯端末１００は、登録ＢＬＥデバイス目録上に、車に付着された登録ＢＬＥデバイス１８１０は、「car」と表示し、宅内に位置する登録ＢＬＥデバイスは、「home」と表示し、愛玩犬に付着された登録ＢＬＥデバイスは、「puppy」と表示することができる。携帯端末１００は、登録ＢＬＥデバイス目録のうち、車に付着されたＢＬＥデバイス１８１０に係わるユーザの選択を感知することができる。
【０２０６】
その場合、図１８Ｂに図示されているように、携帯端末１００は、車に付着されたＢＬＥデバイス１８１０について、お知らせを設定することができるお知らせ設定ウィンドーを提供することができる。ユーザは、車搭乗時に、お知らせメッセージに出力されたらよいと思う「エンジンオイル交換！」というお知らせメッセージを、お知らせ設定ウィンドーに入力することができる。携帯端末１００は、ユーザが入力した「エンジンオイル交換！」というお知らせメッセージを、車に付着されたＢＬＥデバイス１８１０の識別情報（例えば、デバイスＩＤ、Ｓ／Ｎ、ＭＡＣ addressなど）とマッピングし、車に付着されたＢＬＥデバイス１８１０に係わるお知らせ情報としてメモリ１６０に保存することができる。
【０２０７】
図１９Ａないし図１９Ｃは、本発明の一実施形態に係わる登録ＢＬＥデバイスに係わるお知らせを設定する画面を示す図面である。
【０２０８】
図１９Ａに図示されているように、携帯端末１００は、通話アプリケーションを実行し、外部の通話連結要請に係わるユーザの受信拒否入力を受信することができる。例えば、ユーザが業務会議中であるので、電話を受けることができない場合、ユーザは、当該通話連結要請に係わる受信を拒否することができるのである。受信を拒否し、受信拒否に係わるお知らせを設定することができる。
【０２０９】
図１９Ｂに図示されているように、携帯端末１００は、ユーザの受信拒否入力に回答し、外部端末とのコールパス（call path）を形成せず、受信拒否に係わるお知らせを設定することができるお知らせ設定ウィンドーを画面に表示することができる。
【０２１０】
本発明の一実施形態による携帯端末１００は、お知らせ設定ウィンドーに、携帯端末１００の現位置で検索される登録ＢＬＥデバイスに係わる情報を表示することができる。例えば、ユーザが、ＡＢＣ会議室で業務会議中である場合、携帯端末１００は、ＡＢＣ会議室内に付着された登録ＢＬＥデバイスのＩＤ（例えば、ＡＢＣ meeting room）を表示することができる。そのとき、携帯端末１００は、ＡＢＣ会議室を外れる場合（例えば、ＡＢＣ会議室内に付着された登録ＢＬＥデバイスの通信半径を外れる場合）、受信拒否に係わるお知らせメッセージが表示されるお知らせ条件１９１０を入力される。
【０２１１】
一方、携帯端末１００は、お知らせ設定ウィンドーを介して、受信拒否に係わるお知らせメッセージが出力される時間条件を入力される。例えば、ユーザは、１時間後に受信拒否に係わるお知らせメッセージが出力されるように、設定することができる。
【０２１２】
図１９Ｃに図示されているように、ユーザから入力されたお知らせ条件（例えば、ＡＢＣ会議室内に付着された登録ＢＬＥデバイスの通信半径を外れるとき）を満足する場合、携帯端末１００は、受信拒否に係わるお知らせメッセージを出力することができる。受信拒否に係わるお知らせメッセージには、通話連結を要請した相手方情報、受信拒否視覚などが表示される。そのとき、ユーザが、通話アイコン（図示せず）、または通話連結を要請した相手方のイメージ１９２０を選択する場合、携帯端末１００は、相手方のデバイスにすぐ通話連結を試みることができる。
【０２１３】
一方、図１９Ａないし図１９Ｃに図示されていないが、本発明の一実施形態による携帯端末１００は、お知らせ設定ウィンドーを介して、登録ＢＬＥデバイス目録を提供し、登録ＢＥＬデバイス目録のうち少なくとも１つの登録ＢＬＥデバイスに係わる選択を受信することができる。例えば、ユーザが、業務会議中に受信を拒否した場合、ユーザは、自分の机に戻ったとき、受信拒否に係わるお知らせメッセージが出力されることを願うことができる。その場合、携帯端末１００は、登録ＢＬＥデバイス目録において、机に付着されたＢＬＥデバイスに係わるユーザの選択を受信することができる。携帯端末１００は、机に付着されたＢＬＥデバイスの識別情報と、受信拒否に係わるお知らせメッセージとをマッピングし、机に付着されたＢＬＥデバイスについてのお知らせ情報として保存することができる。
【０２１４】
図２０は、本発明の一実施形態に係わる複数のお知らせ情報目録を示す図面である。
【０２１５】
図２０に図示されているように、携帯端末１００は、お知らせ情報目録に係わるユーザの要請が感知される場合、お知らせ情報目録を画面に出力することができる。本発明の一実施形態による携帯端末１００は、登録ＢＬＥデバイス２０１０，２０２０，２０３０，２０４０それぞれについて設定されたお知らせメッセージを、お知らせ情報目録に表示することができる。そのとき、携帯端末１００は、区別便宜のために、ユーザによって設定されたＩＤ、ニックネーム、カテゴリーなどで、登録ＢＬＥデバイス２０１０，２０２０，２０３０，２０４０を表示することができる。
【０２１６】
図２１は、本発明の一実施形態に係わる携帯端末の情報提供方法について説明するためのフローチャートである。
【０２１７】
段階２１１０で、携帯端末１００は、携帯端末１００が登録ＢＬＥデバイスの通信半径内に位置する場合、登録ＢＬＥデバイスから識別情報を受信することができる。例えば、ユーザが、携帯端末１００を所持した状態で、登録ＢＬＥデバイスの通信半径内に接近する場合、携帯端末１００は、第１登録ＢＬＥデバイスがブロードキャスティングする第１登録ＢＬＥデバイスの識別情報（例えば、デバイスＩＤ、Ｓ／Ｎ、ＭＡＣ address）を受信することができる。
【０２１８】
そのとき、本発明の一実施形態による登録ＢＬＥデバイスは、advertising packetのＵＵＩＤフィールドまたはＭＳＤフィールドに、登録ＢＬＥデバイスの識別情報を挿入し、advertising packetをブロードキャスティングすることができる。
【０２１９】
本発明の一実施形態による携帯端末１００は、ＢＬＥデバイスの識別情報が受信される場合、受信されたＢＬＥデバイスの識別情報と、メモリ１６０に既保存の登録ＢＬＥデバイス目録とを比較し、識別情報を伝送したＢＬＥデバイスが、登録ＢＬＥデバイスであるか否かを判断することもできる。
【０２２０】
段階２１２０で、携帯端末１００は、登録ＢＬＥデバイスの識別情報に対応するお知らせ情報を抽出することができる。例えば、携帯端末１００は、登録ＢＬＥデバイスの識別情報を利用して、お知らせ情報目録を検索することができる。そのとき、携帯端末１００は、登録ＢＬＥデバイスの識別情報とマッピングされて保存されたお知らせ情報を抽出することができる。
【０２２１】
本発明の一実施形態による携帯端末１００は、登録ＢＬＥデバイスの識別情報に対応するお知らせ情報を、メモリ１６０から抽出することもでき、携帯端末１００と連繋された外部サーバ（例えば、クルラウドサーバ）からお知らせ情報を受信することもできる。
【０２２２】
段階２１３０で、携帯端末１００は、抽出されたお知らせ情報を基に、お知らせメッセージを出力することができる。本発明の一実施形態によるお知らせ情報には、お知らせメッセージ、お知らせ条件情報などが含まれてもよい。すなわち、携帯端末１００は、お知らせ条件情報を確認し、お知らせ情報に含まれたお知らせメッセージを出力することができる。
【０２２３】
例えば、携帯端末１００が、登録ＢＬＥデバイスの通信半径内に入り、登録ＢＬＥデバイスの識別情報を受信する場合、識別情報が受信された時点から既設定の時間（例えば、３秒）内に、お知らせメッセージが出力されるように、お知らせ条件が設定されている。その場合、携帯端末１００は、登録ＢＬＥデバイスの識別情報が受信されるとき、登録ＢＬＥデバイスの識別情報とマッピングされているお知らせメッセージを画面に出力することができる。
【０２２４】
また、携帯端末１００が登録ＢＬＥデバイスの通信半径を外れる場合、お知らせメッセージが出力されるように、お知らせ条件が設定されている。その場合、携帯端末１００は、登録ＢＬＥデバイスの通信半径を外れ、登録ＢＬＥデバイスの識別情報がそれ以上受信されないとき、登録ＢＬＥデバイスの識別情報に対応するお知らせメッセージを出力することもできる。
【０２２５】
一方、本発明の一実施形態によれば、ユーザが、お知らせ条件（例えば、お知らせメッセージが出力される時点に係わる条件）を設定しない場合、携帯端末１００は、登録ＢＬＥデバイスの識別情報が受信されるとき、すぐお知らせメッセージを出力することもできる。本発明の一実施形態による携帯端末１００は、携帯端末１００と、登録ＢＬＥデバイスとの距離が、既設定の距離（例えば、３ｍ）未満である場合、お知らせメッセージを出力することもできる。すなわち、携帯端末１００がＢＬＥデバイスの通信半径内にあっても、距離条件（例えば、携帯端末１００と登録ＢＬＥデバイスとの距離が３ｍ未満）を満足してこそ、お知らせメッセージを出力することができる。既設定の距離（例えば、３ｍ）は、ユーザまたはシステムによって変更される。一方、携帯端末１００とＢＬＥデバイスとの距離を測定する方法（例えば、登録ＢＬＥデバイスから受信された信号の強度を利用する方法など）は、公知の技術であるので、具体的な説明は省略する。
【０２２６】
一方、携帯端末１００は、携帯端末１００と登録ＢＬＥデバイスとの距離が既設定の距離以上である場合、お知らせメッセージを出力することもできる。例えば、愛玩犬に付着されたＢＬＥデバイスから受信される信号の強度に基づいて、愛玩犬に付着されたＢＬＥデバイスと携帯端末との距離が、既設定の距離（例えば、７ｍ）以上にある場合、携帯端末１００は、「愛玩犬が周辺にいません。捜してください」というお知らせメッセージを出力することができる。
【０２２７】
携帯端末１００は、お知らせメッセージを、ビデオ信号、オーディオ信号及び振動信号のうち少なくとも一つを利用して出力することができる。例えば、携帯端末１００は、お知らせメッセージを画面に表示することができる。また、携帯端末１００は、お知らせメッセージが音声で入力された場合、音声メッセージを出力することもできる。一方、携帯端末１００は、お知らせメッセージを、ビデオ信号または音声信号として出力しながら、振動信号を発生させることもできる。
【０２２８】
一方、携帯端末１００は、スヌーズ（snooze）機能を提供することもできる。例えば、ユーザがお知らせ反復回数（例えば、５回）またはお知らせ反復間隔（例えば、３分）などを設定した場合、携帯端末１００は、お知らせメッセージを、所定回数（例えば、５回）または所定間隔（例えば、３分）で出力することができる。
【０２２９】
従って、本発明の一実施形態による携帯端末１００は、ユーザが既登録のＢＬＥデバイスの近傍を通過するとき、あらかじめ入力しておいたすべきことの目録などを知らせる。
【０２３０】
図２２Ａないし図２２Ｃは、本発明の一実施形態に係わるお知らせメッセージ出力画面を示す図面である。
【０２３１】
図２２Ａを参照すれば、車に付着された第１ ＢＬＥデバイス２２１０の識別情報と、「エンジンオイル交換」というお知らせ情報とがマッピングされ、携帯端末１００のメモリ１６０に保存されている。そのとき、携帯端末１００を所持したユーザが車に接近する場合、携帯端末１００は、車に付着された第１ ＢＬＥデバイス２２１０から識別情報（例えば、ＢＬＥ＿ＴＡＧ＿００１）を受信することができる。本発明の一実施形態による識別情報（例えば、ＢＬＥ＿ＴＡＧ＿００１）は、第１ ＢＬＥデバイス２２１０からブロードキャスティングされるadvertising packetのＵＵＩＤフィールドまたはＭＳＤフィールドに含まれている。
【０２３２】
携帯端末１００は、受信された第１ ＢＬＥデバイス２２１０の識別情報（例えば、ＢＬＥ＿ＴＡＧ＿００１）に対応するお知らせ情報を抽出することができる。携帯端末１００は、抽出されたお知らせ情報に含まれたお知らせ条件情報を確認し、お知らせメッセージを出力することができる。例えば、お知らせ情報に、特別なお知らせ条件が含まれていない場合、携帯端末１００は、「エンジンオイル交換」というお知らせメッセージを、識別情報受信時に、即座に出力することができる。
【０２３３】
前述のような方法で、図２２Ｂに図示されているように、ユーザが家の近くに来た場合、携帯端末１００は、家の玄関扉に付着された第２ ＢＬＥデバイス２２２０の識別情報（例えば、ＢＬＥ＿ＴＡＧ＿００２）を受信することができる。そのとき、携帯端末１００は、第２ ＢＬＥデバイス２２２０の識別情報（例えば、ＢＬＥ＿ＴＡＧ＿００２）に対応するお知らせメッセージ（例えば、洗濯物干し）を出力することができる。
【０２３４】
また、図２２Ｃに図示されているように、ユーザが事務室に到着した場合、携帯端末１００は、事務室机に位置する第３ ＢＬＥデバイス２２３０から、識別情報（例えば、ＢＬＥ＿ＴＡＧ＿００３）を受信することができる。そのとき、携帯端末１００は、第３ ＢＬＥデバイス２２３０の識別情報（例えば、ＢＬＥ＿ＴＡＧ＿００３）に対応するお知らせメッセージ（例えば、「事業者登録証スキャン送り！」）を出力することができる。
【０２３５】
従って、本発明の一実施形態による携帯端末１００は、ユーザが意図的にＢＬＥデバイスをタッチしなくとも、ユーザがＢＬＥデバイスの通信半径内に接近する場合、ユーザに既設定のお知らせメッセージを提供することができる。
【０２３６】
図２３は、本発明の一実施形態に係わるＢＬＥデバイスを所持した他ユーザに係わるお知らせを提供する方法について説明するためのフローチャートである。
【０２３７】
段階２３１０で、携帯端末１００は、他ユーザのＢＥＬデバイスの識別情報と、お知らせ情報とをマッピングして保存することができる。すなわち、ユーザから、他ユーザのＢＬＥデバイスに係わるお知らせ情報が入力される場合、携帯端末１００は、他ユーザのＢＬＥデバイスの識別情報と、ユーザから入力されたお知らせ情報とをマッピングし、メモリ１６０に保存することができる。本発明の一実施形態による携帯端末１００は、住所録アプリケーションを介して、他ユーザのＢＬＥデバイスに係わるお知らせ情報を入力される。それについては、図２４Ａないし図２４Ｃを参照して、追って詳細に説明する。
【０２３８】
段階２３２０で、携帯端末１００は、他ユーザのＢＬＥデバイスから識別情報を受信することができる。例えば、携帯端末１００が、他ユーザのＢＬＥデバイスの通信半径内に接近する場合、携帯端末１００は、他ユーザのＢＬＥデバイスからブロードキャスティングされる識別情報を受信することができる。
【０２３９】
段階２３３０で、携帯端末１００は、他ユーザのＢＬＥデバイスの識別情報に対応するお知らせ情報を抽出することができる。例えば、携帯端末１００は、住所録アプリケーションを実行し、他ユーザのＢＬＥデバイスの識別情報とマッピングされたお知らせ情報を抽出することができる。本発明の一実施形態による他ユーザのＢＬＥデバイスの識別情報は、他ユーザのＢＬＥデバイスからブロードキャスティングされるadvertising packetのＵＵＩＤフィールドまたはＭＳＤフィールドに含まれている。
【０２４０】
段階２３４０で、携帯端末１００は、抽出されたお知らせ情報を基に、他ユーザについてのお知らせメッセージを出力することができる。例えば、携帯端末１００が、他ユーザに会えば、返してもらわなければならない品物に係わる情報を、他ユーザのＢＬＥデバイスに係わるお知らせ情報として保存した場合、携帯端末１００は、他ユーザのＢＬＥデバイスから識別情報が受信されるとき、他ユーザから返してもらわなければならない品物の名称、品物のイメージなどを知らせメッセージに出力することができる。
【０２４１】
本発明の一実施形態による携帯端末１００は、他ユーザのＢＬＥデバイスから、識別情報が受信されるとき、他ユーザが利用中であるＳＮＳ（social networking service）に係わる情報を提供することもできる。例えば、携帯端末１００は、他ユーザがＳＮＳサーバに最近掲示した文やイメージ、他ユーザがＳＮＳサーバに設定した感情状態情報などを画面に表示することができる。そのとき、本発明の一実施形態による携帯端末１００は、ＳＮＳに係わる情報をＳＮＳサーバまたは他ユーザのＢＬＥデバイスから受信することができる。
【０２４２】
本発明の一実施形態によれば、携帯端末１００は、他ユーザのＢＬＥデバイスから識別情報が受信されるとき、他ユーザのＢＬＥデバイスと携帯端末との通信履歴情報を出力することもできる。例えば、携帯端末１００は、他ユーザとの最近通話履歴、最近送受信した文字メッセージ内容などを表示することができる。
【０２４３】
図２４Ａないし図２４Ｃは、本発明の一実施形態に係わるＢＬＥデバイスを所持した他ユーザに係わるお知らせを設定する画面を示す。
【０２４４】
図２４Ａに図示されているように、携帯端末１００は、住所録アプリケーションを実行することができる。そのとき、携帯端末１００は、住所録に含まれた他ユーザ（例えば、「Sam」）に係わるユーザの選択を感知することができる。
【０２４５】
図２４Ｂに図示されているように、携帯端末１００は、住所録アプリケーションを介してユーザが選択した他ユーザ（例えば、「Sam」）に係わる情報を提供することができる。例えば、携帯端末１００は、選択された他ユーザに係わる基本情報（例えば、氏名、職業、年齢、写真、ユーザとの関係、他ユーザが使用中のＳＮＳサーバアドレス、ＳＮＳアカウント情報）、及び他ユーザが所持したＢＬＥデバイスの識別情報（例えば、ＴＡＧ Ｓ／Ｎ：SAMSUNG＿ＢＬＥ＿ＳＡＭ００１）などを表示することができる。
【０２４６】
一方、ユーザは、画面に表示されたお知らせ設定ボタン２４１０を選択することができる。すなわち、携帯端末１００は、ユーザのタップ・ジェスチャ、フリック・ジェスチャ、スワイプ・ジェスチャ、音声命令などを認識し、お知らせ設定ボタン２４１０に係わるユーザの選択を感知することができる。
【０２４７】
図２４Ｃに図示されているように、携帯端末１００は、お知らせ設定ボタン２４１０に係わるユーザの選択に応答し、お知らせ設定ウィンドーを提供することができる。そのとき、携帯端末１００は、他ユーザについてのお知らせメッセージ（例えば、公演衣装受け取り）を知らせ設定ウィンドーを介して入力される。携帯端末１００は、他ユーザについてのお知らせメッセージ（例えば、公演衣装受け取り）に他ユーザが所持したＢＬＥデバイスの識別情報（例えば、ＴＡＧ Ｓ／Ｎ：SAMSUNG＿ＢＬＥ＿ＳＡＭ００１）とマッピングし、他ユーザ（例えば、「Sam」についてのお知らせ情報として保存することができる。
【０２４８】
図２５は、本発明の一実施形態に係わるＢＬＥデバイスを所持した他ユーザについてのお知らせメッセージを出力する画面を示す。
【０２４９】
図２５に図示されているように、携帯端末１００を所持したユーザが、ＢＬＥデバイス２５１０）を所持した他ユーザと、近距離（例えば、３ｍ以内）に位置する場合、携帯端末１００は、他ユーザのＢＬＥデバイス２５１０から、識別情報（例えば、ＴＡＧ Ｓ／Ｎ：SAMSUNG＿ＢＬＥ＿ＳＡＭ００１）を受信することができる。本発明の一実施形態による識別情報（例えば、ＴＡＧ Ｓ／Ｎ：SAMSUNG＿ＢＬＥ＿ＳＡＭ００１）は、他ユーザのＢＬＥデバイス２５１０からブロードキャスティングされるadvertising packetのＵＵＩＤフィールドまたはＭＳＤフィールドに含まれている。
【０２５０】
そのとき、携帯端末１００は、他ユーザのＢＬＥデバイス２５１０の識別情報（例えば、ＴＡＧ Ｓ／Ｎ：SAMSUNG＿ＢＬＥ＿ＳＡＭ００１）に対応するお知らせ情報を抽出することができる。
【０２５１】
そして、図２５に図示されているように、携帯端末１００は、抽出されたお知らせ情報に含まれたお知らせメッセージ（例えば、公演衣装受け取り）を画面に出力することができる。また、図２５に図示されているように、携帯端末１００は、他ユーザ（例えば、「Sam」）が利用中であるＳＮＳの状態情報（例えば、「４月２８日結婚します」）、他ユーザ（例えば、「Sam」）との最近通話履歴（例えば、ＣＡＬＬ ４．１３ ０８：００ＰＭ）、他ユーザ（例えば、「Sam」）との最近の出会い情報（例えば、「ＴＥＤ conference」 ４．１８． ０２：００ＰＭ）などをさらに出力することができる。
【０２５２】
従って、本発明の一実施形態による携帯端末１００は、ユーザが登録ＢＬＥデバイスを所持した他ユーザに会う前に、あらかじめ他ユーザについて既設定のお知らせメッセージまたは他ユーザの最近近況情報などを確認する。
【０２５３】
図２６は、本発明の一実施形態に係わる１つのＢＬＥデバイスを利用して、複数のお知らせを提供する方法について説明するためのフローチャートである。
【０２５４】
段階２６１０で、携帯端末１００は、登録ＢＬＥデバイスに係わる複数のお知らせ情報を入力される。すなわち、ユーザは、１つの登録ＢＬＥデバイスについて、少なくとも２以上のお知らせを設定することができる。
【０２５５】
本発明の一実施形態によれば、携帯端末１００は、１つの登録ＢＬＥデバイスに係わる複数のお知らせ情報を、時間によって区別して入力される。例えば、ユーザは、１つの登録ＢＬＥデバイスに係わる複数のお知らせを、午前／午後、朝／昼／夕方、午前７〜９時／午前１１〜１２時／午後３〜５時／午後８〜１０などに区別して設定することができるが、それらに限定されるものではない。
【０２５６】
段階２６２０で、携帯端末１００は、登録ＢＬＥデバイスの識別情報と、複数のお知らせ情報とをマッピングし、メモリ１６０に保存することができる。
【０２５７】
段階２６３０で、携帯端末１００は、登録ＢＬＥデバイスから識別情報を受信することができる。すなわち、携帯端末１００が、登録ＢＬＥデバイスの通信半径内に位置する場合、登録ＢＬＥデバイスからブロードキャスティングされる識別情報を受信することができる。本発明の一実施形態による携帯端末１００は、既設定の周期（例えば、１秒ごと）で、識別情報を受信することもできる。また、本発明の一実施形態による携帯端末１００は、ＵＵＩＤフィールドまたはＭＳＤフィールドに識別情報が挿入されたadvertising packetを登録ＢＬＥデバイスから受信することもできる。
【０２５８】
段階２６４０で、携帯端末１００は、受信された登録ＢＬＥデバイスの識別情報及び受信された時間情報に基づいて、登録ＢＬＥデバイスの識別情報に対応するお知らせ情報を抽出することができる。例えば、携帯端末１００は、登録ＢＬＥデバイスから識別情報が受信される場合、受信された識別情報を利用して、登録ＢＬＥデバイスに係わるお知らせ情報を検索することができる。そのとき、登録ＢＬＥデバイスに係わるお知らせ情報が複数個存在する場合、携帯端末１００は、登録ＢＬＥデバイスから識別情報が受信された時間情報をさらに考慮し、登録ＢＬＥデバイスに係わる複数個のお知らせ情報のうち１つのお知らせ情報を抽出することができる。
【０２５９】
段階２６５０で、携帯端末１００は、抽出されたお知らせ情報を基に、お知らせメッセージを出力することができる。段階２６５０は、図２１の段階２１３０に対応するので、具体的な説明は省略する。
【０２６０】
図２７Ａないし図２７Ｃは、本発明の一実施形態に係わる１つのＢＬＥデバイスについて、複数のお知らせ情報を入力される画面を示す。
【０２６１】
図２７Ａに図示されているように、携帯端末１００は、ユーザの要請により、登録ＢＬＥデバイス目録を画面に表示することができる。携帯端末１００は、ユーザの便宜のために、登録ＢＬＥデバイス目録をユーザによって設定されたＩＤ、ニックネーム、カテゴリーなどによって構成して表示することができる。例えば、玄関扉に付着された登録ＢＬＥデバイス２７１０）は、「Door＿ＴＡＧ Item１０１」と表示することができる。携帯端末１００は、登録ＢＬＥデバイス目録のうち、玄関扉に付着されたＢＬＥデバイス２７１０に係わるユーザの選択を感知することができる。
【０２６２】
その場合、図２７Ｂに図示されているように、携帯端末１００は、玄関扉に付着されたＢＬＥデバイス２７１０についてお知らせを設定することができるお知らせ設定ウィンドーを提供することができる。そのとき、携帯端末１００は、時間別に区分し、玄関扉に付着されたＢＬＥデバイス２７１０に係わる複数のお知らせ情報を入力される。そして、携帯端末１００は、複数のお知らせ情報を、玄関扉に付着されたＢＬＥデバイス２７１０の識別情報とマッピングし、メモリ１６０に保存することができる。
【０２６３】
例えば、図２７Ｃに図示されているように、携帯端末１００は、第１お知らせ情報（午前７時３０分に識別情報が受信される場合、「傘持参」を出力）、第２お知らせ情報（午前１１時３０分に識別情報が受信される場合、「マートへ買い物籠持参」出力）、第３お知らせ情報（午後４時に識別情報が受信される場合「窓開けて換気」出力）、第４お知らせ情報（午後１０時３０分に識別情報が受信される場合、「鍵ロック確認」を出力）を玄関扉に付着されたＢＬＥデバイス２７１０の識別情報（例えば、ＴＡＧ Ｓ／Ｎ：SAMSUNG＿ＢＬＥ＿Item１０１）とマッピングして保存することができる。
【０２６４】
そのとき、図２８Ａに図示されているように、ユーザが、朝７時３０分に出勤するために、玄関扉近くに来る場合、携帯端末１００は、玄関扉に付着されたＢＬＥデバイス２７１０から、識別情報（例えば、ＴＡＧ Ｓ／Ｎ：SAMSUNG＿ＢＬＥ＿Item１０１）を受信する。本発明の一実施形態によれば、識別情報（例えば、ＴＡＧ Ｓ／Ｎ：SAMSUNG＿ＢＬＥ＿Item１０１）は、玄関扉に付着されたＢＬＥデバイス２７１０からブロードキャスティングされるadvertising packetのＵＵＩＤフィールドまたはＭＳＤフィールドに含まれている。
【０２６５】
携帯端末１００は、玄関扉に付着されたＢＬＥデバイス２７１０の識別情報（例えば、ＴＡＧ Ｓ／Ｎ：SAMSUNG＿ＢＬＥ＿Item１０１）及び識別情報が受信された時間情報（朝７時３０分）を基に、玄関扉に付着されたＢＬＥデバイス２７１０に対応する複数のお知らせ情報のうち、第１お知らせ情報（午前７時３０分に識別情報が受信される場合、「傘持参」を出力）を抽出することができる。そして、携帯端末１００は、第１お知らせ情報によって、「傘持参」というお知らせメッセージを出力することができる。
【０２６６】
また、図２８Ｂに図示されているように、携帯端末１００が、午後１０時３０分に玄関扉に付着されたＢＬＥデバイス２７１０から、識別情報（例えば、ＴＡＧ Ｓ／Ｎ：SAMSUNG＿ＢＬＥ＿Item１０１）を受信する場合、携帯端末１００は、玄関扉に付着されたＢＬＥデバイス２７１０の識別情報（例えば、ＴＡＧ Ｓ／Ｎ：SAMSUNG＿ＢＬＥ＿Item１０１）、及び識別情報が受信された時間情報（午後１０時３０分）を基に、玄関扉に付着されたＢＬＥデバイス２７１０に対応する複数のお知らせ情報のうち、第４お知らせ情報（午後１０時３０分に識別情報が受信される場合、「戸閉まり確認」を出力）を抽出することができる。そして、携帯端末１００は、第４お知らせ情報によって「戸閉まり確認」というお知らせメッセージを出力することができる。
【０２６７】
図２９は、本発明の一実施形態に係わるお知らせメッセージを、他のＢＬＥデバイスとマッピングする方法について説明するためのフローチャートである。
【０２６８】
段階２９１０で、携帯端末１００は、携帯端末１００が登録ＢＬＥデバイスの通信半径内に位置することにより、登録ＢＬＥデバイスから識別情報（例えば、デバイスＩＤ、Ｓ／Ｎ、ＭＡＣ address）を受信することができる。そのとき、登録ＢＬＥデバイスの識別情報は、登録ＢＬＥデバイスからブロードキャスティングされるadvertising packetのＵＵＩＤフィールドまたはＭＳＤフィールドに含まれている。
【０２６９】
段階２９２０で、携帯端末１００は、登録ＢＬＥデバイスの識別情報に対応するお知らせ情報を抽出することができる。段階２９３０で、携帯端末１００は、抽出されたお知らせ情報を基に、お知らせメッセージを出力することができる。段階２９１０ないし段階２９３０は、図２１の段階２１１０ないし段階２１３０に対応するので、具体的な説明は省略する。
【０２７０】
段階２９４０で、携帯端末１００は、お知らせメッセージ共有要請をユーザから受信することができる。例えば、携帯端末１００は、登録ＢＬＥデバイスについてのお知らせメッセージを出力するウィンドーに、共有ボタンを出力することができる。そのとき、ユーザは、共有ボタンを選択し、現在出力中であるお知らせメッセージが、他のＢＬＥデバイスの識別情報が受信される場合にも出力されるように、お知らせメッセージ共有要請を携帯端末１００に行うことができる。
【０２７１】
段階２９５０で、携帯端末１００は、お知らせメッセージ共有要請に応答し、登録ＢＬＥデバイス目録を表示することができる。段階２９６０で、携帯端末１００は、登録ＢＬＥデバイス目録から、他の登録ＢＬＥデバイスに係わるユーザの選択を感知することができる。すなわち、携帯端末１００は、現在出力されているお知らせメッセージとマッピングされている登録ＢＬＥデバイス以外に、他の登録ＢＬＥデバイスに係わるユーザの選択を感知することができる。
【０２７２】
段階２９７０で、携帯端末１００は、出力されたお知らせメッセージを、他の登録ＢＬＥデバイスの識別情報とマッピングし、他の登録ＢＬＥデバイスに係わるお知らせ情報として保存することができる。その後、携帯端末１００が、他の登録ＢＬＥデバイスの通信半径内に接近する場合、携帯端末１００は、共有要請されたお知らせメッセージを出力することができる。
【０２７３】
図３０Ａないし図３０Ｃは、本発明の一実施形態に係わるお知らせメッセージを、他のＢＬＥデバイスとマッピングする画面を示す図面である。
【０２７４】
図３０Ａに図示されているように、携帯端末１００が、図書館が位置する第１登録ＢＬＥデバイスから識別情報を受信する場合、携帯端末１００は、図書館に位置する第１登録ＢＬＥデバイスの識別情報に対応するお知らせ情報（例えば、ＯＯ本返却日お知らせメッセージ出力）を抽出することができる。携帯端末１００は、抽出されたお知らせ情報に基づいて、お知らせメッセージ（例えば、「ＯＯ本イメージ＋返却日−３日」）を出力することができる。そのとき、携帯端末１００は、お知らせメッセージ出力ウィンドーに、共有ボタン３０１０をさらに表示することができる。
【０２７５】
ユーザが共有ボタン３０１０をタッチする場合、図３０Ｂに図示されているように、携帯端末１００は、登録ＢＬＥデバイス目録を表示することができる。本発明の一実施形態によれば、携帯端末１００は、登録ＢＬＥデバイス目録から、ユーザの部屋に位置する第２登録ＢＬＥデバイスに係わる選択を入力される。携帯端末１００は、第２登録ＢＬＥデバイスの識別情報と、現在出力中であるお知らせメッセージ（例えば、「ＯＯ本イメージ＋返却日−３日」）をマッピングし、第２登録ＢＬＥデバイスに係わる新たなお知らせ情報として保存することができる。
【０２７６】
図３０Ｃに図示されているように、ユーザが家に帰る場合、携帯端末１００は、第２登録ＢＬＥデバイスの識別情報を受信し、第２登録ＢＬＥデバイスの識別情報とマッピングして保存されたお知らせメッセージ（例えば、「ＯＯ本イメージ＋返却日−３日」）を出力することができる。
【０２７７】
そのとき、第２登録ＢＬＥデバイスの識別情報は、第２登録ＢＬＥデバイスからブロードキャスティングされるadvertising packetのＵＵＩＤフィールドまたはＭＳＤフィールドに含まれている。
【０２７８】
図３１は、本発明の一実施形態と係わる携帯端末が、お知らせメッセージ及び基準センシング情報を、ユーザから入力される方法について説明するためのフローチャートである。
【０２７９】
段階３１１０で、携帯端末１００は、登録ＢＬＥデバイス目録を表示することができる。登録ＢＬＥデバイス目録には、センサを含む登録ＢＬＥデバイス、及びセンサを含まない登録ＢＬＥデバイスの識別情報が表示される。
【０２８０】
例えば、登録ＢＬＥデバイス目録を要請するユーザ入力が受信される場合、携帯端末１００は、既登録のＢＬＥデバイスの目録を画面に表示することができる。そのとき、携帯端末１００は、ユーザが登録ＢＬＥデバイスを容易に識別することができるように、ユーザによって入力されたＩＤ、ニックネーム、カテゴリー情報などを含む登録ＢＬＥデバイス目録を構成して表示することができる。
【０２８１】
本発明の一実施形態による携帯端末１００は、登録ＢＬＥデバイス目録に、登録ＢＬＥデバイスの属性情報（例えば、色相情報、形状情報、image情報、センサ情報など）を表示することもできる。例えば、携帯端末１００は、登録ＢＬＥデバイスの外観に係わる情報として、色相情報（例えば、赤色、黄色、青色、オレンジ色、紫色、黒色など）、形状情報（例えば、四角形、三角形、円形、ヒトデ形、ハート形など）、image情報（例えば、水玉模様、ダイヤモンド模様、チェック模様、熊、ひまわりなど）などを登録ＢＬＥデバイス目録に表示することができる。また、携帯端末１００は、センサ基盤ＢＬＥデバイスに含まれたセンサに係わるセンサ情報（例えば、センサＩＤ、センサの種類、センサの名称など）を登録ＢＬＥデバイス目録に表示することもできる。
【０２８２】
段階３１２０で、携帯端末１００は、登録ＢＬＥデバイス目録のうち少なくとも１つの登録ＢＬＥデバイスに係わる選択を受信することができる。例えば、携帯端末１００は、登録ＢＬＥデバイス目録のうち少なくとも１つの登録ＢＬＥデバイス選択のためのユーザのタップ・ジェスチャ、スワイプ・ジェスチャ、フリック・ジェスチャなどを感知したり、あるいはユーザの音声命令を認識することができる。そのとき、ユーザによって選択された登録ＢＬＥデバイスは、センサを含むＢＬＥデバイスでもある。以下では、説明の便宜上、センサを含む登録ＢＬＥデバイスを、「センサ基盤ＢＬＥデバイス」と呼ぶ。
【０２８３】
段階３１３０で、携帯端末１００は、ユーザによって選択されたセンサ基盤ＢＬＥデバイスに係わるお知らせメッセージ及び基準センシング情報を入力される。
【０２８４】
基準センシング情報は、携帯端末１００で、お知らせメッセージを出力するための基準になるセンシング値（臨界値）に係わる情報を意味する。すなわち、ユーザは、お知らせメッセージの出力を求めるセンシング値を、基準センシング情報と設定することができる。例えば、本発明の一実施形態による基準センシング情報は、基準温度値（例えば、３６．５℃）、基準ウェート値（例えば、５ｇ）、基準照度値（例えば、１００ｌｕｘ）及び基準近接値（例えば、５０ｃｍ以内）のうち少なくとも一つを含んでもよいが、それらに限定されるものではない。
【０２８５】
本発明の一実施形態によるお知らせメッセージは、登録ＢＬＥデバイスから受信されたセンシング情報と、ユーザによって既設定の基準センシング情報とを比較し、同一である場合、ユーザが、携帯端末１００を介して、お知らせを受けようと設定するメッセージを意味する。
【０２８６】
例えば、お知らせメッセージは、センサ基盤ＢＬＥデバイスが位置した場所と係わるお知らせメッセージ、センサ基盤ＢＬＥデバイスが位置した場所に存在する客体と係わるお知らせメッセージ、センサ基盤ＢＬＥデバイスが付着された客体と係わるお知らせメッセージ、及びセンサ基盤ＢＬＥデバイスを所持した他のユーザに係わるお知らせメッセージのうち少なくとも一つを含んでもよいが、それらに限定されるものではない。
【０２８７】
本発明の一実施形態によるお知らせメッセージは、テキストメッセージ、音声メッセージ、静止映像、動画及び地図のうち少なくとも１つの形態を有することができる。すなわち、ユーザは、お知らせメッセージをテキスト形態で入力することもでき、音声形態で入力することもできる。また、ユーザは、お知らせメッセージに、客体のイメージ（例えば、センサ基盤ＢＬＥデバイスが付着された客体のイメージ、またはお知らせメッセージと係わる客体のイメージ）、または客体の位置情報（例えば、客体の位置が表示された地図、客体の位置が表示された平面図のレイアウトなど）を追加することもできる。
【０２８８】
一方、本発明の一実施形態による携帯端末１００は、センサ基盤ＢＬＥデバイスに係わる複数のお知らせメッセージ、及び複数の基準センシング情報を入力されてもよい。それについては、追って図４２から図４５Ａないし図４５Ｃを参照して、詳細に説明する。
【０２８９】
本発明の一実施形態によれば、携帯端末１００は、医療アプリケーション、運動アプリケーション、育児アプリケーションなど多様なアプリケーションを介して、センサ基盤ＢＬＥデバイスに係わるお知らせメッセージ及び基準センシング情報を入力される。例えば、携帯端末１００が運動アプリケーションを実行すれば、運動アプリケーションは、運動管理メッセージ（例えば、デッドリフト２０回完了）、及び基準センシング情報（例えば、motion：２０ shakes）を入力することができるＧＵＩを提供することができる。
【０２９０】
段階３１４０で、携帯端末１００は、センサ基盤ＢＬＥデバイスの識別情報（例えば、デバイスＩＤ、Ｓ／Ｎ、ＭＡＣ addressなど）、お知らせメッセージ及び基準センシング情報をマッピングし、センサ基盤ＢＬＥデバイスに係わるお知らせ情報として、メモリ１６０に保存することができる。そのとき、本発明の一実施形態によれば、携帯端末１００は、お知らせメッセージ及び基準センシング情報を、センサ基盤ＢＬＥデバイスの属性情報（例えば、外観の色相情報、image情報、センサ情報など）とさらにマッピングし、メモリ１６０に保存することができる。また、携帯端末１００は、お知らせメッセージ及び基準センシング情報を、センサ基盤ＢＬＥデバイスに係わるユーザ追加情報（例えば、ユーザによって設定されたＩＤ、ニックネーム、カテゴリー、メモなど）とさらにマッピングし、メモリ１６０に保存することもできる。
【０２９１】
一方、ユーザが、センサ基盤ＢＬＥデバイスに係わるお知らせメッセージまたは基準センシング情報を変更する場合、携帯端末１００は、メモリ１６０に保存されたセンサ基盤ＢＬＥデバイスに係わるお知らせ情報を更新することができる。
【０２９２】
図３２Ａないし図３２Ｃは、本発明の一実施形態に係わるセンサ基盤ＢＬＥデバイスに係わるお知らせを設定する画面を示す図面である。
【０２９３】
ユーザは、お知らせを設定するのに利用するための少なくとも１つのセンサ基盤ＢＬＥデバイス（one sensor based BLE device）を選択することができる。そのとき、ユーザは、携帯端末１００に既登録のＢＬＥデバイスの目録から、少なくとも１つのセンサ基盤ＢＬＥデバイスを選択することもでき、センサ基盤ＢＬＥデバイスの識別情報を直接入力することにより、少なくとも１つのセンサ基盤ＢＬＥデバイスを選択することもできる。以下では、ユーザが携帯端末１００に既登録のＢＬＥデバイスの目録から、少なくとも１つのセンサ基盤ＢＬＥデバイスを選択する場合について、例を挙げて説明する。しかし、ユーザがセンサ基盤ＢＬＥデバイスを選択する方法は、それに限定されるものではなく、多様である。
【０２９４】
図３２Ａに図示されているように、携帯端末１００は、登録ＢＬＥデバイス目録を提供することができる。携帯端末１００は、ユーザの便宜のために、登録ＢＬＥデバイス目録を、ユーザによって設定されたＩＤ、ニックネーム、カテゴリーなどによって構成して表示することができる。例えば、携帯端末１００は、ベビーカーに付着された登録ＢＬＥデバイスを「baby stroller」と表示し、リンゲルに付着された登録ＢＬＥデバイスを「ringer」と表示し、電子ブック端末機に付着された登録ＢＬＥデバイスを「ｅBook」と表示し、哺乳瓶に付着された登録ＢＬＥデバイスを「baby bottle」と表示することができる。
【０２９５】
携帯端末１００は、登録ＢＬＥデバイス目録のうち、哺乳瓶に付着されたＢＬＥデバイスに係わるユーザの選択を感知することができる。哺乳瓶に付着されたＢＬＥデバイスは、温度センサを含んでもよい。説明の便宜上、以下では、温度センサを含むＢＬＥデバイスを温度センサ基盤ＢＬＥデバイスと呼ぶ。
【０２９６】
その場合、図３２Ｂに図示されているように、携帯端末１００は、哺乳瓶に付着される温度センサ基盤ＢＬＥデバイスについて、お知らせを設定することができるお知らせ設定ウィンドーを提供することができる。本発明の一実施形態によるお知らせ設定ウィンドーは、基準センシング情報を入力することができるフィールド３２１０、及びお知らせメッセージを入力することができるフィールド３２２０のうち少なくとも一つを含んでもよい。
【０２９７】
図３２Ｃに図示されているように、ユーザは、ミルクが入った哺乳瓶の温度が３６．５になる場合、お知らせメッセージが出力されるように、基準センシング情報（例えば、温度：３６．５）、及びお知らせメッセージ（例えば、哺乳瓶温度が適度に合わされました）を入力することができる。
【０２９８】
携帯端末１００は、ユーザが入力した基準センシング情報（例えば、温度：３６．５）及びお知らせメッセージ（例えば、哺乳瓶温度が適度に合わされました）を哺乳瓶に付着される温度センサ基盤ＢＬＥデバイスの識別情報（例えば、デバイスＩＤ、Ｓ／Ｎ、ＭＡＣ addressなど）とマッピングし、温度センサ基盤ＢＬＥデバイスに係わるお知らせ情報でメモリ１６０に保存することができる。
【０２９９】
図３３は、本発明の一実施形態に係わるセンサ基盤ＢＬＥデバイスを利用した携帯端末の情報提供方法について説明するためのフローチャートである。
【０３００】
段階３３１０で、携帯端末１００は、携帯端末１００がセンサ基盤ＢＬＥデバイスの通信半径内に位置する場合、センサ基盤ＢＬＥデバイスから、識別情報及びセンシング情報を受信することができる。例えば、ユーザが携帯端末１００を所持した状態で、センサ基盤ＢＬＥデバイスの通信半径内に接近する場合、携帯端末１００は、センサ基盤ＢＬＥデバイスがブロードキャスティングするセンサ基盤ＢＬＥデバイスの識別情報（例えば、デバイスＩＤ、Ｓ／Ｎ、ＭＡＣ address）及びセンシング情報を受信することができる。
【０３０１】
センシング情報とは、センサ基盤ＢＬＥデバイスが、センサを介して感知した情報を意味する。例えば、センシング情報は、温度情報、湿度情報、モーション情報、ウェート情報、近接情報、加速度情報及び照度情報のうち少なくとも一つを含んでもよいが、それらに限定されるものではない。
【０３０２】
一方、ＢＬＥデバイス２００から受信されるセンシング情報は、ＢＬＥデバイス２００がセンシングしたデータ自体でもあり、ＢＬＥデバイス２００がセンシングしたデータを後処理した情報でもある。
【０３０３】
本発明の一実施による携帯端末１００は、既設定の周期によって、センサ基盤ＢＬＥデバイスからセンシング情報を受信することができる。そのとき、既設定の周期は、変更される。本発明の一実施による携帯端末１００は、センサ基盤ＢＬＥデバイスの識別情報と、センシング情報とを所定時間内（例えば、１秒以内）で共に受信することもでき、センサ基盤ＢＬＥデバイスの識別情報とセンシング情報とをそれぞれ別途の時間に受信することもできる。
【０３０４】
一方、本発明の一実施による携帯端末１００は、センサ基盤ＢＬＥデバイスの識別情報とセンシング情報とをadvertising packet形態で受信することもできる。例えば、センサ基盤ＢＬＥデバイスが温度センサを含む青色のタッグである場合、携帯端末１００は、advertising packetのＵＵＩＤ（universally unique identifier）フィールドまたはＭＳＤ（manufacturer specific data）フィールドに挿入されたセンサ基盤ＢＬＥデバイスの識別情報（例えば、「SAMSUNG＿Ｔｅｍｐ＿ＴＡＧ００１＿blue」）を受信することができる。また、携帯端末１００は、advertising packetのＭＳＤ（manufacturer specific data）フィールドに挿入されたセンシング情報（例えば、温度センサによって測定された現在温度が３６℃である場合、「０Ｘ０６００００２４」）を受信することもできる。
【０３０５】
本発明の一実施形態による携帯端末１００は、センサ基盤ＢＬＥデバイスの識別情報が受信される場合、受信されたセンサ基盤ＢＬＥデバイスの識別情報と、メモリ１６０に既保存の登録ＢＬＥデバイス目録とを比較し、識別情報を伝送したセンサ基盤ＢＬＥデバイスが、登録ＢＬＥデバイスであるか否かを判断することもできる。
【０３０６】
段階３３２０で、携帯端末１００は、受信されたセンサ基盤ＢＬＥデバイスの識別情報に対応するお知らせ情報を抽出することができる。例えば、携帯端末１００は、センサ基盤ＢＬＥデバイスの識別情報を利用して、お知らせ情報目録を検索することができる。そのとき、携帯端末１００は、センサ基盤ＢＬＥデバイスの識別情報とマッピングされて保存されたお知らせ情報を抽出することができる。本発明の一実施形態によるお知らせ情報には、お知らせメッセージ、基準センシング情報などが含まれてもよい。
【０３０７】
本発明の一実施形態による携帯端末１００は、センサ基盤ＢＬＥデバイスの識別情報に対応するお知らせ情報をメモリ１６０から抽出することもでき、携帯端末１００と連携された外部サーバ（例えば、クラウドサーバ）からお知らせ情報を受信することもできる。
【０３０８】
段階３３３０で、携帯端末１００は、お知らせ情報に含まれた既設定の基準センシング情報と、センサ基盤ＢＬＥデバイスから受信されたセンシング情報とを比較することができる。そして、段階３３４０で、携帯端末１００は、比較結果に基づいて、お知らせ情報に含まれたお知らせメッセージを出力することができる。
【０３０９】
例えば、携帯端末１００は、基準センシング情報と、所定周期に受信されたセンシング情報とを続けて比較し、基準センシング情報と、受信されたセンシング情報との差が、既設定の範囲以内（例えば、温度差が±０．０１℃）になる場合、お知らせメッセージを出力することができる。既設定の範囲は、誤差範囲を意味するものであり、ユーザまたはシステムによって変更される。すなわち、携帯端末１００は、基準センシング情報と、受信されたセンシング情報とが一致する場合、お知らせメッセージを出力することもでき、基準センシング情報と、受信されたセンシング情報との差が既設定の誤差範囲以内である場合、お知らせメッセージを出力することもできる。
【０３１０】
携帯端末１００は、お知らせメッセージを、ビデオ信号、オーディオ信号及び振動信号のうち少なくとも一つを利用して出力することができる。そのとき、携帯端末１００は、スヌーズ（snooze）機能を提供することもできる。例えば、ユーザが、お知らせ反復回数（例えば、５回）、またはお知らせ反復間隔（例えば、３分）などを設定した場合、携帯端末１００は、お知らせメッセージを、所定回数（例えば、５回）または所定間隔（例えば、３分）で出力することができる。
【０３１１】
一方、本発明の一実施形態によるお知らせメッセージは、運動管理メッセージ、医療管理メッセージ及び育児管理メッセージのうち少なくとも一つを含んでもよいが、それらに限定されるものではない。
【０３１２】
図３４Ａ及び図３４Ｂは、本発明の一実施形態に係わるセンシング情報に基づいて、お知らせメッセージを出力する画面を示す図面である。
【０３１３】
哺乳瓶に付着された温度センサ基盤ＢＬＥデバイス３４１０の識別情報（例えば、ＢＬＥ＿Ｔｅｍｐ＿００１）と、「基準センシング情報（例えば、３６．５℃）」及びお知らせメッセージ（例えば、「take the bottle、哺乳瓶温度が適度に合わされました」）を含むお知らせ情報がマッピングされ、携帯端末１００のメモリ１６０に保存されている。
【０３１４】
図３４Ａに図示されているように、温度センサ基盤ＢＬＥデバイス３４１０は、哺乳瓶に付着され、哺乳瓶の温度情報をセンシングすることができる。そして、温度センサ基盤ＢＬＥデバイス３４１０は、センシングした温度情報及び識別情報（例えば、ＢＬＥ＿Ｔｅｍｐ＿００１）を、advertisingデータパッケージ形態でブロードキャスティングすることができる。例えば、温度センサ基盤ＢＬＥデバイス３４１０は、温度情報をＭＳＤ（manufacturer specific data）フィールドに挿入し、識別情報（例えば、ＢＬＥ＿Ｔｅｍｐ＿００１）をＵＵＩＤ（universally unique identifier）フィールドまたはＭＳＤ（manufacturer specific data）フィールドに挿入し、温度情報及び識別情報をブロードキャスティングすることができる。
【０３１５】
そのとき、温度センサ基盤ＢＬＥデバイス３４１０の通信半径内に位置した携帯端末１００は、温度センサ基盤ＢＬＥデバイス３４１０がブロードキャスティングした温度情報及び識別情報（例えば、ＢＬＥ＿Ｔｅｍｐ＿００１）を受信することができる。携帯端末１００は、受信された識別情報（例えば、ＢＬＥ＿Ｔｅｍｐ＿００１）に対応するお知らせ情報を抽出して確認することができる。
【０３１６】
携帯端末１００は、抽出されたお知らせ情報に「３６．５℃」という基準センシング情報が既設定である場合、温度センサ基盤ＢＬＥデバイス３４１０から受信される温度情報と、基準センシング情報（例えば、３６．５℃）とを比較することができる。
【０３１７】
図３４Ｂに図示されているように、もし温度センサ基盤ＢＬＥデバイス３４１０から受信されるセンシング情報が「３６．５℃」になる場合、携帯端末１００は、お知らせ情報に含まれた「take the bottle、哺乳瓶温度が適度に合わされました」というお知らせメッセージを出力することができる。
【０３１８】
一方、誤差範囲が既設定である場合、携帯端末１００は、温度センサ基盤ＢＬＥデバイス３４１０から受信される温度情報が、正確に３６．５℃ではないとしても誤差範囲内に属すれば、お知らせメッセージを出力することができる。例えば、既設定の誤差範囲が±０．０５℃である場合、携帯端末１００は、温度センサ基盤ＢＬＥデバイス３４１０から受信される温度情報が「３６．５５℃〜３６．４５℃」範囲内に属すれば、お知らせメッセージ（例えば、「take the bottle、哺乳瓶温度が適度に合わされました」）を出力することができる。
【０３１９】
従って、ユーザは、哺乳瓶の温度を直接チェックせずにも、も哺乳瓶の温度が既設定の適正温度になる場合、携帯端末１００を介して、お知らせを受けることができる。
【０３２０】
図３５は、本発明の一実施形態に係わる携帯端末が運動管理情報を提供する方法について説明するためのフローチャートである。
【０３２１】
段階３５１０において、携帯端末１００は、モーションセンサを含むＢＬＥデバイス（以下、「モーションセンサ基盤ＢＬＥデバイス」とする）に係わる運動管理メッセージ及び基準モーション情報を入力される。そのとき、本発明の一実施形態による携帯端末１００は、運動管理アプリケーションを介して、モーションセンサ基盤ＢＬＥデバイスに係わるお知らせ情報を入力される。
【０３２２】
運動管理メッセージは、ユーザの運動スケジュール、運動量などを管理するためのメッセージであり、モーションセンサ基盤ＢＬＥデバイスが付着された運動器具名、運動の種類、運動回数、次にしなければならない運動情報などを含んでもよいが、それらに限定されるものではない。基準モーション情報は、動きが感知される回数（例えば、シェークモーション２０回）、動きが感知される時間（例えば、１０分）などと設定されもするが、それらに限定されるものではない。
【０３２３】
段階３５２０で、携帯端末１００は、モーションセンサ基盤ＢＬＥデバイスの識別情報、運動管理メッセージ及び基準モーション情報をマッピングし、メモリ１６０に運動お知らせ情報として保存することができる。
【０３２４】
段階３５３０で、携帯端末１００は、モーションセンサ基盤ＢＬＥデバイスから、識別情報及びモーションセンサ基盤ＢＬＥデバイスが感知したモーション情報を受信することができる。例えば、携帯端末１００が、モーションセンサ基盤ＢＬＥデバイスの通信半径内に位置する場合、携帯端末１００は、モーションセンサ基盤ＢＬＥデバイスからブロードキャスティングされる識別情報及びモーション情報を受信することができる。
【０３２５】
そのとき、本発明の一実施による携帯端末１００は、モーションセンサ基盤ＢＬＥデバイスの識別情報とモーション情報とを、advertising packet形態で受信することもできる。例えば、携帯端末１００は、advertising packetのＵＵＩＤフィールドまたはＭＳＤフィールドに挿入されたモーションセンサ基盤ＢＬＥデバイスの識別情報を受信することができる。また、携帯端末１００は、advertising packetのＭＳＤフィールドに挿入されたモーション情報を受信することもできる。
【０３２６】
段階３５４０で、携帯端末１００は、受信されたモーションセンサ基盤ＢＬＥデバイスの識別情報に対応するお知らせ情報を、メモリ１６０から抽出することができる。抽出されたお知らせ情報には、既設定の運動管理メッセージ及び基準モーション情報が含まれている。
【０３２７】
段階３５５０で、携帯端末１００は、既設定の基準モーション情報と、モーションセンサ基盤ＢＬＥデバイスから受信されたモーション情報とを比較することができる。もし基準モーション情報と、受信されたモーション情報との差が既設定の誤差範囲を外れる場合、携帯端末１００は、お知らせメッセージを出力せず、再びモーション情報をモーションセンサ基盤ＢＬＥデバイスから受信することができる。
【０３２８】
段階３５６０で、基準モーション情報と、受信されたモーション情報との差が既設定の誤差範囲内である場合、携帯端末１００は、抽出されたお知らせ情報に含まれた運動管理メッセージを出力することができる。本発明の一実施形態による運動管理メッセージは、テキスト、音声及び振動のうち少なくとも１つの形態で出力される。図３６Ａないし図３６Ｃ、並びに図３７Ａ及び図３７Ｂを参照し、さらに詳細に説明する。
【０３２９】
図３６Ａないし図３６Ｃは、本発明の一実施形態に係わる携帯端末が運動管理メッセージ及び基準モーション情報を入力される画面を示す図面である。
図３６Ａに図示されているように、携帯端末１００は、登録ＢＬＥデバイス目録を提供することができる。携帯端末１００は、ユーザの便宜のために、登録ＢＬＥデバイス目録をユーザによって設定されたＩＤ、ニックネーム、カテゴリーなどによって構成して表示することができる。
【０３３０】
携帯端末１００は、登録ＢＬＥデバイス目録のうち、ダンベルに付着されたモーションセンサ基盤ＢＬＥデバイスに係わるユーザの選択を感知することができる。
【０３３１】
図３６Ｂに図示されているように、携帯端末１００は、モーションセンサ基盤ＢＬＥデバイスについて、お知らせを設定することができるお知らせ設定ウィンドーを提供することができる。本発明の一実施形態によるお知らせ設定ウィンドーは、基準モーション情報を入力することができるフィールド３６１０、及び運動管理メッセージを入力することができるフィールド３６２０のうち少なくとも一つを含んでもよい。
【０３３２】
図３６Ｃに図示されているように、ユーザは、ダンベルを利用して、ダンベルカールを２０回完了する場合、お知らせメッセージが出力されるように、基準モーション情報（例えば、モーション：２０ shakes）及び運動管理メッセージ（例えば、ダンベルカールを２０回完了しました；次は、フラフープ回し５０回を始めます）を入力することができる。本発明の一実施形態によれば、ユーザは、運動管理メッセージをテキストで入力することもでき、音声で入力することもできる。
【０３３３】
携帯端末１００は、ユーザが入力した基準モーション情報（例えば、モーション：２０ shakes）、及び運動管理メッセージ（例えば、ダンベルカールを２０回完了しました；次はフラフープ回し５０回を始めます）をダンベルに付着されるモーションセンサ基盤ＢＬＥデバイスの識別情報（例えば、ＢＬＥ＿motion＿００２）とマッピングし、ダンベルに付着されるモーションセンサ基盤ＢＬＥデバイスに係わるお知らせ情報としてメモリ１６０に保存することができる。
【０３３４】
図３７Ａ及び図３７Ｂは、本発明の一実施形態に係わる運動管理メッセージを出力する画面を示す図面である。
【０３３５】
図３７Ａに図示されているように、ダンベルに付着されたモーションセンサ基盤ＢＬＥデバイス３７１０は、ユーザがダンベルを利用して運動を行う間、モーションセンサを介してダンベルに係わるモーション情報をセンシングすることができる。
【０３３６】
そしてモーションセンサ基盤ＢＬＥデバイス３７１０は、センシングしたモーション情報及び識別情報（例えば、ＢＬＥ＿motion＿００２）をブロードキャスティングすることができる。そのとき、本発明の一実施形態によるモーションセンサ基盤ＢＬＥデバイス３７１０は、センシングしたモーション情報及び識別情報（例えば、ＢＬＥ＿motion＿００２）を、advertisingデータパッケージ形態でブロードキャスティングすることができる。例えば、モーションセンサ基盤ＢＬＥデバイス３７１０は、モーション情報をＭＳＤフィールドに挿入し、識別情報（例えば、例えば、ＢＬＥ＿motion＿００２）をＵＵＩＤフィールドまたはＭＳＤフィールドに挿入し、モーション情報及び識別情報をブロードキャスティングすることができる。
【０３３７】
そのとき、モーションセンサ基盤ＢＬＥデバイス３７１０の通信半径内に位置した携帯端末１００は、モーションセンサ基盤ＢＬＥデバイス３７１０がブロードキャスティングするモーション情報及び識別情報（例えば、ＢＬＥ＿motion＿００２）を受信することができる。携帯端末１００は、受信された識別情報（例えば、ＢＬＥ＿motion＿００２）に対応するお知らせ情報を抽出して確認することができる。
【０３３８】
携帯端末１００は、抽出されたお知らせ情報に「モーション：２０ shakes」という基準モーション情報が既設定である場合、モーションセンサ基盤ＢＬＥデバイス３７１０から受信されるモーション情報と、基準モーション情報（例えば、２０ shakes）とを比較することができる。
【０３３９】
そのとき、本発明の一実施形態による携帯端末１００は、現在のモーション状態情報を出力することができる。例えば、携帯端末１００は、「今は１５回です；あと５回残りました」というメッセージを提供することもできる。
【０３４０】
図３７Ｂに図示されているように、もしモーションセンサ基盤ＢＬＥデバイス３７１０から受信されるモーション情報が「２０ shakes」になる場合、携帯端末１００は、お知らせ情報に含まれた「ダンベルカールを２０回完了しました；次はフラフープ回し５０回を始めます」という運動管理メッセージを出力することができる。
【０３４１】
一方、ユーザがフラフープ回しを始める場合、携帯端末１００は、フラフープに付着された他のモーションセンサ基盤ＢＬＥデバイスから、識別情報（例えば、ＢＬＥ＿motion＿００３）、及び他のモーションセンサ基盤ＢＬＥデバイスが感知するモーション情報を受信することができる。
【０３４２】
そのとき、本発明の一実施による携帯端末１００は、他のモーションセンサ基盤ＢＬＥデバイスの識別情報（例えば、ＢＬＥ＿motion＿００３）とモーション情報とをadvertising packet形態で受信することもできる。例えば、携帯端末１００は、advertising packetのＵＵＩＤフィールドまたはＭＳＤフィールドに挿入されたモーションセンサ基盤ＢＬＥデバイスの識別情報（例えば、ＢＬＥ＿motion＿００３）を受信することができる。また、携帯端末１００は、advertising packetのＭＳＤフィールドに挿入されたモーション情報を受信することもできる。
【０３４３】
そして、携帯端末１００は、他のモーションセンサ基盤ＢＬＥデバイスの識別情報（例えば、ＢＬＥ＿motion＿００３）に対応されるお知らせ情報を抽出し、抽出されたお知らせ情報に含まれた基準モーション情報（例えば、５０ rotation）と受信されるモーション情報とを比較することができる。
【０３４４】
もし他のモーションセンサ基盤ＢＬＥデバイスから受信されるモーション情報が「５０ rotation」になる場合、携帯端末１００は、お知らせ情報に含まれた「フラフープ回し５０回を完了しました；次は『ランニングマシン（treadmill）で１０分間歩き』です」というお知らせメッセージを出力することができる。
【０３４５】
従って、本発明の一実施形態による携帯端末１００は、モーションセンサ基盤ＢＬＥデバイスを利用して、ユーザの運動スケジュール、運動量などを管理することができる。
【０３４６】
図３８は、本発明の一実施形態に係わる携帯端末が医療管理情報を提供する方法について説明するためのフローチャートである。
【０３４７】
段階３８１０で、携帯端末１００は、ウェートセンサを含むＢＬＥデバイス（以下、「ウェートセンサ基盤ＢＥＬデバイス」とする）に係わる医療管理メッセージ及び基準ウェート情報を入力される。そのとき、本発明の一実施形態による携帯端末１００は、医療管理アプリケーションを介して、センサ基盤ＢＬＥデバイスに係わるお知らせ情報を入力される。
【０３４８】
医療管理メッセージは、ＢＬＥデバイスが付着された客体名（例えば、リンゲル、尿バッグなど）、溶液タイプ、診断対象、診断用途、溶液投与完了メッセージなどを含んでもよいが、それらに限定されるものではない。
【０３４９】
段階３８２０で、携帯端末１００は、ウェートセンサ基盤ＢＬＥデバイスの識別情報、ユーザから入力された医療管理メッセージ及び基準ウェート情報をマッピングし、メモリ１６０にお知らせ情報として保存することができる。
【０３５０】
段階３８３０で、携帯端末１００は、ウェートセンサ基盤ＢＬＥデバイスから、識別情報及びウェートセンサ基盤ＢＬＥデバイスが感知したウェート情報を受信することができる。例えば、携帯端末１００がウェートセンサ基盤ＢＬＥデバイスの通信半径内に位置する場合、携帯端末１００は、ウェートセンサ基盤ＢＬＥデバイスからブロードキャスティングされる識別情報及びウェート情報を受信することができる。
【０３５１】
そのとき、本発明の一実施による携帯端末１００は、ウェートセンサ基盤ＢＬＥデバイスの識別情報と、モーション情報とをadvertising packet形態で受信することもできる。例えば、携帯端末１００は、advertising packetのＵＵＩＤフィールドまたはＭＳＤフィールドに挿入されたウェートセンサ基盤ＢＬＥデバイスの識別情報を受信することができる。また、携帯端末１００は、advertising packetのＭＳＤフィールドに挿入されたウェート情報を受信することもできる。
【０３５２】
段階３８４０で、携帯端末１００は、受信されたウェートセンサ基盤ＢＬＥデバイスの識別情報に対応するお知らせ情報を、メモリ１６０から抽出することができる。抽出されたお知らせ情報には、既設定の医療管理メッセージ及び基準ウェート情報が含まれている。
【０３５３】
段階３８５０で、携帯端末１００は、既設定の基準ウェート情報と、ウェートセンサ基盤ＢＬＥデバイスから受信されたウェート情報とを比較することができる。もし基準ウェート情報と、受信されたウェート情報との差が既設定の誤差範囲を外れる場合、携帯端末１００は、お知らせメッセージを出力せず、またモーション情報をモーションセンサ基盤ＢＬＥデバイスから受信することができる。
【０３５４】
段階３８６０で、基準ウェート情報と、受信されたウェート情報との差が既設定の誤差範囲内である場合、携帯端末１００は、抽出されたお知らせ情報に含まれた医療管理メッセージを出力することができる。本発明の一実施形態による医療管理メッセージは、テキスト、音声及び振動のうち少なくとも１つの形態で出力される。図３９Ａないし図３９Ｃを参照して、さらに詳細に説明する。
【０３５５】
図３９Ａないし図３９Ｃは、本発明の一実施形態に係わる医療管理メッセージを出力する画面を示す図面である。
【０３５６】
図３９Ａに図示されているように、携帯端末１００は、登録ＢＬＥデバイス目録を提供することができる。そのとき、携帯端末１００は、登録ＢＬＥデバイス目録のうちリンゲルに付着されたウェートセンサ基盤ＢＬＥデバイスに係わるユーザの選択を感知することができる。
【０３５７】
図３９Ｂに図示されているように、携帯端末１００は、リンゲルに付着されるウェートセンサ基盤ＢＬＥデバイスについて、お知らせを設定することができるお知らせ設定ウィンドーを提供することができる。本発明の一実施形態によるお知らせ設定ウィンドーは、基準ウェート情報を入力することができるフィールド３９１０、及び医療管理メッセージを入力することができるフィールド３９２０のうち少なくとも一つを含んでもよい。
【０３５８】
ユーザは、リンゲルを介して溶液がいずれも投与される場合、お知らせメッセージが出力されるように、基準ウェート情報及び医療管理メッセージ（例えば、Injection complete！リンゲル投薬が終わりました；針を抜いてください」を入力することができる。もしウェートセンサ基盤ＢＬＥデバイスが溶液のウェートのみをセンシングする場合、ユーザは、溶液に係わる基準ウェート情報を「０ｇ」として入力することができる。一方、ウェートセンサ基盤ＢＬＥデバイスが溶液のウェートだけではなく、リンゲルバッグのウェートもセンシングする場合、ユーザは、基準ウェート情報をリンゲルバッグのウェートである「１０ｇ」と入力することもできる。
【０３５９】
本発明の一実施形態によれば、ユーザは、運動管理メッセージをテキストで入力することもでき、音声で入力することもできる。
【０３６０】
携帯端末１００は、ユーザが入力した溶液に係わる基準ウェート情報（例えば、０ｇ）、及び医療管理メッセージ（例えば、「Injection complete！リンゲル投薬が終わりました；針を抜いてください」）をリンゲルに付着されるウェートセンサ基盤ＢＬＥデバイスの識別情報（例えば、ＢＬＥ＿ｗｅｉｇｈｔ＿００４）とマッピングし、リンゲルに付着されるウェートセンサ基盤ＢＬＥデバイスに係わるお知らせ情報としてメモリ１６０に保存することができる。
【０３６１】
一方、リンゲルに付着されたウェートセンサ基盤ＢＬＥデバイスは、溶液が投与される間、ウェート情報をセンシングすることができる。そして、ウェートセンサ基盤ＢＬＥデバイスは、センシングしたウェート情報及び識別情報（例えば、ＢＬＥ＿ｗｅｉｇｈｔ＿００４）をブロードキャスティングすることができる。
【０３６２】
本発明の一実施形態によるウェートセンサ基盤ＢＬＥデバイスは、センシングしたウェート情報及び識別情報（例えば、ＢＬＥ＿ｗｅｉｇｈｔ＿００４）をadvertisingデータパッケージ形態でブロードキャスティングすることができる。例えば、ウェートセンサ基盤ＢＬＥデバイスは、ウェート情報をＭＳＤフィールドに挿入し、識別情報（例えば、ＢＬＥ＿weight＿００４）をＵＵＩＤフィールドまたはＭＳＤフィールドに挿入し、ウェート情報及び識別情報をブロードキャスティングすることができる。
【０３６３】
そのとき、ウェートセンサ基盤ＢＬＥデバイスの通信半径内に位置した携帯端末１００は、ウェートセンサ基盤ＢＬＥデバイスがブロードキャスティングするウェート情報及び識別情報（例えば、ＢＬＥ＿weight＿００４）を受信することができる。携帯端末１００は、受信された識別情報（例えば、ＢＬＥ＿weight＿００４）に対応するお知らせ情報を抽出して確認することができる。
【０３６４】
携帯端末１００は、抽出されたお知らせ情報に「ウェート：０ｇ」という溶液に係わる基準ウェート情報が既設定である場合、ウェートセンサ基盤ＢＬＥデバイスから受信されるウェート情報と、溶液に係わる基準ウェート情報（例えば、０ｇ）とを比較することができる。
【０３６５】
そのとき、本発明の一実施形態による携帯端末１００は、現在の重み状態情報を出力することもできる。例えば、携帯端末１００は、「現在ウェートは、１００ｇです」というメッセージを提供することもできる。
【０３６６】
図３９Ｃに図示されているように、もしウェートセンサ基盤ＢＬＥデバイスから受信される溶液に係わるウェート情報が５００ｇから０ｇになる場合、携帯端末１００は、お知らせ情報に含まれた「Injection complete！リンゲル投薬が終わりました；針を抜いてください」という医療管理メッセージを出力することができる。そのとき、本発明の一実施形態によれば、携帯端末１００は、ウェートセンサ基盤ＢＬＥデバイスから受信される溶液に係わるウェート情報が正確に「０ｇ」ではないとしても、所定誤差範囲内（例えば、５ｇ）である場合、医療管理メッセージを出力することができる。
【０３６７】
一方、前記のような方法で、携帯端末１００は、尿バッグに付着されたウェートセンサ基盤ＢＬＥデバイスから受信されるウェート情報を利用して、患者の尿量をチェックすることもできる。すなわち、携帯端末１００は、尿バッグに集まった尿量が、既設定の基準ウェート（例えば、１００ｍｌ）を超える場合、お知らせメッセージ（例えば、尿バッグを空にしてください）を出力することができる。従って、本発明の一実施形態による携帯端末１００は、センサ基盤ＢＬＥデバイスを利用して、医療管理サービスを提供することもできる。
【０３６８】
図４０は、本発明の一実施形態に係わる携帯端末が、近接情報に基づいて、お知らせメッセージを出力する方法について説明するためのフローチャートである。
【０３６９】
段階４０１０で、携帯端末１００は、近接センサを含むＢＬＥデバイス（以下、「近接センサ基盤ＢＬＥデバイス」とする）に係わるお知らせメッセージ、及び外部客体の基準近接情報を入力される。外部客体は、近接センサ基盤ＢＬＥデバイスに接近する人や、同伴動物、ロボット清掃機などにもなるが、それらに限定されるものではない。基準近接情報は、近接センサ基盤ＢＬＥデバイスの外部客体感知いかん、近接センサ基盤ＢＬＥデバイスと外部客体との距離（例えば、１ｍ）、近接センサ基盤ＢＬＥデバイスで、外部客体が感知される時間（例えば、３分）などと設定されもするが、それらに限定されるものではない。
【０３７０】
段階４０２０で、携帯端末１００は、近接センサ基盤ＢＬＥデバイスの識別情報、お知らせメッセージ及び基準近接情報をマッピングし、メモリ１６０にお知らせ情報として保存することができる。
【０３７１】
段階４０３０で、携帯端末１００は、近接センサ基盤ＢＬＥデバイスから、識別情報及び近接センサ基盤ＢＬＥデバイスが感知した外部客体の近接情報を受信することができる。例えば、携帯端末１００が近接センサ基盤ＢＬＥデバイスの通信半径内に位置する場合、携帯端末１００は、近接センサ基盤ＢＬＥデバイスからブロードキャスティングされる識別情報、及び外部客体の近接情報を受信することができる。
【０３７２】
そのとき、本発明の一実施による携帯端末１００は、近接センサ基盤ＢＬＥデバイスの識別情報と、外部客体の近接情報とを、advertising packet形態で受信することもできる。例えば、携帯端末１００は、advertising packetのＵＵＩＤフィールドまたはＭＳＤフィールドに挿入された近接センサ基盤ＢＬＥデバイスの識別情報を受信することができる。また、携帯端末１００は、advertising packetのＭＳＤフィールドに挿入された外部客体の近接情報を受信することもできる。
【０３７３】
本発明の一実施形態による近接センサ基盤ＢＥＬデバイスは、赤外線などを利用して、外部客体の接近を感知することができる。
【０３７４】
外部客体の近接情報は、外部客体が感知されているという情報、感知されている外部客体と近接センサ基盤ＢＬＥデバイスとの距離情報、外部客体が感知されている時間情報などを含んでもよいが、それらに限定されるものではない。
【０３７５】
段階４０４０で、携帯端末１００は、近接センサ基盤ＢＬＥデバイスの識別情報に対応するお知らせ情報を抽出することができる。抽出されたお知らせ情報には、既設定のお知らせメッセージ及び基準近接情報が含まれている。
【０３７６】
段階４０５０で、携帯端末１００は、既設定の基準近接情報と、近接センサ基盤ＢＬＥデバイスから受信された外部客体の近接情報とを比較することができる。もし基準近接情報と、受信された外部客体の近接情報との差が既設定の誤差範囲を外れる場合、携帯端末１００は、お知らせメッセージを出力せず、また外部客体の近接情報をセンサ基盤ＢＬＥデバイスから受信することができる。
【０３７７】
段階４０６０で、基準近接情報と、受信された外部客体の近接情報との差が既設定の誤差範囲（例えば、±５ｍ）内である場合、携帯端末１００は、抽出されたお知らせ情報に含まれたお知らせメッセージを出力することができる。
【０３７８】
例えば、基準近接情報に、外部客体とＢＬＥデバイスとの距離条件（例えば、５０ｍ以内）が設定されている場合、外部客体とＢＬＥデバイスとの距離が、既設定の距離（例えば、５０ｍ）以下であるか、あるいは既設定の誤差範囲内である場合（例えば、５５ｍ〜４５ｍ）、携帯端末１００は、お知らせメッセージを出力することができる。
【０３７９】
また、基準近接情報に、ＢＬＥデバイスが外部客体を感知する時間条件が設定されている場合、携帯端末１００は、ＢＬＥデバイスで、外部客体が既設定の時間以上感知される場合、お知らせメッセージを出力することもできる。
【０３８０】
一方、本発明の一実施形態によれば、基準近接情報が「外部客体感知」に設定されている場合、携帯端末１００は、センサ基盤ＢＬＥデバイスで外部客体が感知されさえすれば、直ちにお知らせメッセージを出力することもできる。図４１を参照して、さらに詳細に説明する。
【０３８１】
図４１は、本発明の一実施形態に係わる幼児管理メッセージを出力する画面を示す図面である。
【０３８２】
ベランダ窓に付着された近接センサ基盤ＢＬＥデバイス４１１０の識別情報（例えば、ＢＬＥ＿ｐｒｏｘｉ＿００５）、既設定の基準近接情報（例えば、１ｍ以下）」、及びお知らせメッセージ（例えば、「Be careful！気を付けてください！子供がベランダ近くにいます」）がマッピングされ、携帯端末１００のメモリ１６０に保存されている場合を例であげて説明する。
【０３８３】
図４１に図示されているように、ベランダ窓に付着された近接センサ基盤ＢＬＥデバイス４１１０は、近接センサを介して、外部客体を感知することができる。もし外部客体がベランダ窓の近くに接近する場合、近接センサ基盤ＢＬＥデバイス４１１０は、外部客体の接近を感知することができる。そのとき、近接センサ基盤ＢＬＥデバイス４１１０は、外部客体の近接情報及び識別情報（例えば、ＢＬＥ＿ｐｒｏｘｉ＿００５）をブロードキャスティングすることができる。
【０３８４】
本発明の一実施形態によれば、近接センサ基盤ＢＬＥデバイス４１１０は、外部客体が感知されているという情報のみをブロードキャスティングすることもでき、外部客体との距離情報、外部客体が感知されている時間情報などをブロードキャスティングすることもできる。
【０３８５】
本発明の一実施形態による近接センサ基盤ＢＬＥデバイス４１１０は、外部客体の近接情報及び識別情報（例えば、ＢＬＥ＿ｐｒｏｘｉ＿００５）を、advertisingデータパッケージ形態でブロードキャスティングすることができる。例えば、近接センサ基盤ＢＬＥデバイス４１１０は、外部客体の近接情報をＭＳＤフィールドに挿入し、識別情報（例えば、ＢＬＥ＿ｐｒｏｘｉ＿００５）をＵＵＩＤフィールドまたはＭＳＤフィールドに挿入し、外部客体の近接情報及び識別情報（例えば、ＢＬＥ＿ｐｒｏｘｉ＿００５）をブロードキャスティングすることができる。
【０３８６】
そのとき、近接センサ基盤ＢＬＥデバイス４１１０の通信半径内に位置した携帯端末１００は、近接センサ基盤ＢＬＥデバイス４１１０がブロードキャスティングした外部客体の近接情報及び識別情報（例えば、ＢＬＥ＿ｐｒｏｘｉ＿００５）を受信することができる。携帯端末１００は、受信された識別情報（例えば、ＢＬＥ＿ｐｒｏｘｉ＿００５）に対応するお知らせ情報を抽出することができる。
【０３８７】
携帯端末１００は、抽出されたお知らせ情報に、「１ｍ以下」という基準近接情報が既設定である場合、近接センサ基盤ＢＬＥデバイス４１１０から受信される外部客体の近接情報と、基準近接情報（例えば、１ｍ以下）とを比較することができる。
【０３８８】
近接センサ基盤ＢＬＥデバイス４１１０は、近接センサを介してセンシングされた近接値自体をブロードキャスティングすることもでき、外部客体と、近接センサ基盤ＢＬＥデバイス４１１０との距離を計算し、距離情報をブロードキャスティングすることもできる。本発明の一実施形態による近接センサ基盤ＢＬＥデバイス４１１０は、距離情報をadvertisingデータパッケージ形態でブロードキャスティングすることができる。
【０３８９】
携帯端末１００は、近接センサ基盤ＢＬＥデバイス４１１０から近接値が受信される場合、近接値を基に、外部客体と近接センサ基盤ＢＬＥデバイス４１１０との距離を直接計算することができる。近接センサ基盤ＢＬＥデバイス４１１０と外部客体との距離を計算する方法は、公知の技術であり、具体的な説明は省略する。
【０３９０】
図４１に図示されているように、もし近接センサ基盤ＢＬＥデバイス４１１０と、外部客体との距離が「１ｍ」以下になる場合、携帯端末１００は、お知らせ情報に含まれた「Be careful！気を付けてください！子供がベランダ近くにいます」というお知らせメッセージを出力することができる。
【０３９１】
一方、誤差範囲が既設定である場合、携帯端末１００は、ベランダ窓に付着された近接センサ基盤ＢＬＥデバイス４１１０と、外部客体（例えば、子供）との距離が正確に１ｍ以下ではないとしても、誤差範囲内に属すれば、お知らせメッセージを出力することができる。例えば、既設定の誤差範囲が０．０１である場合、携帯端末１００は、第５ ＢＬＥデバイス４１１０から受信される近接情報に基づいて、近接センサ基盤ＢＬＥデバイス４１１０と、外部客体（例えば、子供）との距離が１．０１ｍ以下である場合、お知らせメッセージ（例えば、「Be careful！気を付けてください！子供がベランダ近くにいます」）を出力することができる。
【０３９２】
図４２は、本発明の一実施形態に係わる１つのセンサ基盤ＢＬＥデバイスを利用して、複数のお知らせ情報を提供する方法について説明するためのフローチャートである。１つのセンサ基盤ＢＬＥデバイスは、一種類のセンサを含み、複数個のセンサを含んでもよい。説明の便宜上、複数のセンサを含む１つのセンサ基盤ＢＬＥデバイスを「多重センサ基盤ＢＬＥデバイス（multiplex sensor based BLE device）」と呼ぶ。
【０３９３】
段階４２１０で、携帯端末１００は、１つのセンサ基盤ＢＬＥデバイスに係わる複数のお知らせメッセージ、及び複数の基準センシング情報を入力される。本発明の一実施形態によれば、携帯端末１００は、１つの単一センサ基盤ＢＬＥデバイス（one single sensor-based ＢＬＥ device）に係わる複数のお知らせ情報を、基準センシング情報によって区別して入力される。例えば、ユーザは、基準モーション情報を、１０回／２０回／３０回、基準温度情報を、３０℃／３１℃／３２℃、基準近接情報を、１ｍ／２ｍ／３ｍ、基準照度情報を、５０ｌｕｘ／１００ｌｕｘ／２００ｌｕｘなどに区別して設定し、複数の基準センシング情報それぞれに対応するお知らせメッセージを設定することができる。
【０３９４】
また、携帯端末１００は、１つのセンサを含むセンサ基盤ＢＬＥデバイスに係わる複数のお知らせ情報を、時間によって区別して入力されてもよい。例えば、ユーザは、午前には、基準モーション情報を３０回と入力し、夕方には、基準モーション情報を５０回と入力し、それぞれの基準モーション情報に対応するお知らせメッセージを設定することができる。
【０３９５】
本発明の他の実施形態によれば、携帯端末１００は、複数個のセンサを含む１つの多重センサ基盤ＢＬＥデバイスに係わる複数のお知らせ情報を、センサ種類によって区別して入力される。例えば、１つの多重センサ基盤ＢＬＥデバイスに、温度センサ、モーションセンサ及びウェートセンサが含まれている。その場合、携帯端末１００は、温度センサに係わる第１お知らせ情報（基準温度情報、及び基準温度情報に対応するお知らせメッセージ）、モーションセンサに係わる第２お知らせ情報（基準モーション情報、及び基準モーション情報に対応するお知らせメッセージ）、及びウェートセンサに係わる第３お知らせ情報（基準ウェート情報、及び基準ウェート情報に対応するお知らせメッセージ）などをユーザから入力される。
【０３９６】
段階４２２０で、携帯端末１００は、１つのセンサ基盤ＢＬＥデバイスの識別情報、複数のお知らせメッセージ、及び複数の基準センシング情報をマッピングし、メモリ１６０に保存することができる。
【０３９７】
段階４２３０で、携帯端末１００は、１つのセンサ基盤ＢＬＥデバイスから、識別情報及びセンシング情報を受信することができる。例えば、携帯端末１００が、１つの単一センサ基盤ＢＬＥデバイスの通信半径内に位置する場合、携帯端末１００は、１つの単一センサ基盤ＢＬＥデバイスからブロードキャスティングされる識別情報、及びセンシング情報を受信することができる。本発明の一実施形態による識別情報は、１つの単一センサ基盤ＢＬＥデバイスからブロードキャスティングされるadvertising packetのＵＵＩＤ（universally unique identifier）フィールドまたはＭＳＤ（manufacturer specific data）フィールドに含まれている。本発明の一実施形態によるセンシング情報は、１つの単一センサ基盤ＢＬＥデバイスからブロードキャスティングされるadvertising packetのＭＳＤフィールドに含まれている。
【０３９８】
また、携帯端末１００が、１つの多重センサ基盤ＢＬＥデバイス（one multiplex sensor-based ＢＬＥ device）の通信半径内に位置する場合、携帯端末１００は、１つの多重センサ基盤ＢＬＥデバイスからブロードキャスティングされる識別情報、及び複数のセンシング情報を受信することもできる。そのとき、本発明の一実施形態による複数のセンシング情報は、１つの多重センサ基盤ＢＬＥデバイスからブロードキャスティングされるadvertising packetのＭＳＤフィールドに含まれている。
【０３９９】
段階４２４０で、携帯端末１００は、受信された１つのセンサ基盤ＢＬＥデバイスの識別情報及びセンシング情報に基づいて、お知らせメッセージを出力することができる。例えば、携帯端末１００は、１つのセンサ基盤ＢＬＥデバイスから識別情報が受信される場合、受信された識別情報を利用して、１つのセンサ基盤ＢＬＥデバイスについてのお知らせ情報を検索することができる。そのとき、１つのセンサ基盤ＢＬＥデバイスについてのお知らせ情報が複数個存在する場合、携帯端末１００は、受信されたセンシング情報によって、複数のお知らせメッセージのうち１つのお知らせメッセージを選択して出力することができる。以下では、１つのセンサ基盤ＢＬＥデバイスが１つのセンサを含む場合について、図４３Ａないし図４３Ｃ、及び図４４Ａないし図４４Ｃを参照してまず説明し、１つのセンサ基盤ＢＬＥデバイスが複数のセンサを含む場合について、図４５Ａないし図４５Ｃを参照して後で説明する。
【０４００】
図４３Ａないし図４３Ｃは、本発明の一実施形態に係わる１つのセンサ基盤ＢＬＥデバイスについて、複数のお知らせ情報を入力される画面を示す図面である。
【０４０１】
図４３Ａに図示されているように、携帯端末１００は、ユーザの要請によって、登録ＢＬＥデバイス目録を画面に表示することができる。携帯端末１００は、ユーザの便宜のために、登録ＢＬＥデバイス目録を、ユーザによって設定されたＩＤ、ニックネーム、カテゴリーなどによって構成して表示することができる。携帯端末１００は、登録ＢＬＥデバイス目録のうち、哺乳瓶に付着された温度センサ基盤ＢＬＥデバイス４３００についてのユーザの選択を感知することができる。
【０４０２】
図４３Ｂに図示されているように、携帯端末１００は、哺乳瓶に付着された温度センサ基盤ＢＬＥデバイス４３００について、お知らせを設定することができるお知らせ設定ウィンドーを提供することができる。そのとき、携帯端末１００は、温度センサ基盤ＢＬＥデバイス４３００に係わる複数のお知らせ情報（複数の基準センシング情報、及び複数のお知らせメッセージ）を入力される。そして、携帯端末１００は、複数のお知らせ情報を、哺乳瓶に付着された温度センサ基盤ＢＬＥデバイス４３００の識別情報とマッピングし、メモリ１６０に保存することができる。
【０４０３】
例えば、図４３Ｃに図示されているように、携帯端末１００は、第１お知らせ情報４３１０（例えば、「第１基準センシング情報：３８℃、第１お知らせメッセージ：Wait a moment」）、第２お知らせ情報４３２０（例えば、第２基準センシング情報：３６．５℃、第２お知らせメッセージ：Take the bottle）、第３お知らせ情報４３３０（例えば、第３基準センシング情報：３５℃、第３お知らせメッセージ：Reheat the milk）を、温度センサ基盤ＢＬＥデバイス４３００の識別情報（例えば、ＴＡＧＳ／Ｎ：SAMSUNG＿ＢＬＥ＿Ｔｅｍｐ＿００１）とマッピングして保存することができる。
【０４０４】
図４４Ａないし図４４Ｃは、本発明の一実施形態に係わる１つのセンサ基盤ＢＬＥデバイスについて、複数のお知らせメッセージを出力する画面を示す図面である。
【０４０５】
携帯端末１００は、４５℃の牛乳が入った哺乳瓶に付着された温度センサ基盤ＢＬＥデバイス４３００から、識別情報（例えば、ＴＡＧＳ／Ｎ：SAMSUNG＿ＢＬＥ＿Ｔｅｍｐ＿００１）、及びセンシングした温度情報を受信することができる。
【０４０６】
そのとき、本発明の一実施による携帯端末１００は、温度センサ基盤ＢＬＥデバイス４３００の識別情報（例えば、ＴＡＧＳ／Ｎ：SAMSUNG＿ＢＬＥ＿Ｔｅｍｐ＿００１）と温度情報とを、advertising packet形態で受信することもできる。例えば、携帯端末１００は、advertising packetのＵＵＩＤフィールドまたはＭＳＤフィールドに挿入された温度センサ基盤ＢＬＥデバイス４３００の識別情報（例えば、ＴＡＧＳ／Ｎ：SAMSUNG＿ＢＬＥ＿Ｔｅｍｐ＿００１）を受信することができる。また、携帯端末１００は、advertising packetのmanufacturer specific data＜＜sensor＞＞フィールドに挿入された温度情報（例えば、「０Ｘ０６００００２４」）を受信することもできる。
【０４０７】
そのとき、携帯端末１００は、哺乳瓶に付着された温度センサ基盤ＢＬＥデバイス４３００の識別情報（例えば、ＴＡＧＳ／Ｎ：SAMSUNG＿ＢＬＥ＿Ｔｅｍｐ＿００１）に対応する複数のお知らせ情報（第１お知らせ情報、第２お知らせ情報、第３お知らせ情報）を抽出することができる。そして、携帯端末１００は、抽出された複数のお知らせ情報に含まれた複数の基準センシング情報（３８℃／３６．５℃／３５℃）と、哺乳瓶に付着された温度センサ基盤ＢＬＥデバイス４３００から受信される温度情報とを比較し、１つのお知らせメッセージを出力することができる。
【０４０８】
図４４Ａに図示されているように、４５℃の牛乳が徐々に冷め、哺乳瓶に付着された温度センサ基盤ＢＬＥデバイス４３００から受信される温度情報が「３８℃」である場合、携帯端末１００は、第１お知らせメッセージ「Wait a moment；しばらくお待ちください」を出力することができる。
【０４０９】
また、図４４Ｂに図示されているように、哺乳瓶に付着された温度センサ基盤ＢＬＥデバイス４３００から受信される温度情報が、「３６．５℃」になる場合、携帯端末１００は、第２お知らせメッセージ「Take the bottle；哺乳瓶温度が適度に合わされました」を出力することができる。
【０４１０】
そして、図４４Ｃに図示されているように、哺乳瓶に付着された温度センサ基盤ＢＬＥデバイス４３００から受信される温度情報が「３５℃」になる場合、携帯端末１００は、第３お知らせメッセージ「Reheat the milk；また温めてください」を出力することができる。
【０４１１】
一方、本発明の一実施形態による複数の基準センシング情報は、前述のように、１つのセンサ（例えば、温度センサ）によってセンシングされる互いに異なるセンシング値（（３８℃／３６．５℃／３５℃）を含み、互いに異なる少なくとも二種類のセンサ（例えば、温度センサ及び照度センサ）によってセンシングされる互いに異なる種類のセンシング値を含んでもよい。後者の場合について、図４５Ａないし図４５Ｃを参照し、さらに説明する。
【０４１２】
図４５Ａないし図４５Ｃは、本発明の一実施形態に係わる２以上のセンサを含む１つのＢＬＥデバイスについて、複数のお知らせ情報を入力される画面を示す図面である。
【０４１３】
図４５Ａに図示されているように、携帯端末１００は、少なくとも１つの登録ＢＬＥデバイスを選択するためのユーザの要請によって、登録ＢＬＥデバイス目録を画面に表示することができる。そのとき、携帯端末１００は、登録ＢＬＥデバイス目録のうち、哺乳瓶に付着された１つの多重センサ基盤ＢＬＥデバイス４５００についてのユーザの選択を感知することができる。本発明の一実施形態による１つの多重センサ基盤ＢＬＥデバイス４５００は、互いに異なる少なくとも二種類のセンサを含んでもよい。例えば、１つの多重センサ基盤ＢＬＥデバイス４５００は、温度センサ及び照度センサを含んでもよい。
【０４１４】
図４５Ｂに図示されているように、携帯端末１００は、１つの多重センサ基盤ＢＬＥデバイス４５００について、お知らせを設定することができるお知らせ設定ウィンドーを提供することができる。そのとき、携帯端末１００は、１つの多重センサ基盤ＢＬＥデバイス４５００の温度センサ及び照度センサに係わる複数のお知らせ情報（複数の基準センシング情報、及び複数のお知らせメッセージ）を入力される。携帯端末１００は、複数のお知らせ情報を、１つの多重センサ基盤ＢＬＥデバイス４５００の識別情報とマッピングし、メモリ１６０に保存することができる。
【０４１５】
例えば、図４５Ｃに図示されているように、携帯端末１００は、１つの多重センサ基盤ＢＬＥデバイス４５００の温度センサに係わる第１お知らせ情報４５１０（例えば、哺乳瓶温度が３６．５℃になる場合、「Take the bottle」出力）、及び１つの多重センサ基盤ＢＬＥデバイス４５００の照度センサに係わる第２お知らせ情報４５２０（照度が１００ｌｕｘになる場合、「Turn on the lights」出力）を、１つの多重センサ基盤ＢＬＥデバイスの識別情報（例えば、ＴＡＧＳ／Ｎ：SAMSUNG＿ＢＬＥ＿Ｔｅｍｐ＿００１）とマッピングして保存することができる。
【０４１６】
本発明の一実施形態によれば、１つの多重センサ基盤ＢＬＥデバイス４５００で測定される温度情報及び／または照度情報は、advertising packetのＭＳＤフィールドに挿入され、外部にブロードキャスティングされる。
【０４１７】
以下では、ＢＬＥデバイス２００を利用して、携帯端末１００を遠隔で制御する方法について説明する。まず、図４６から図４９Ａないし図４９Ｅを参照し、ユーザが携帯端末で支援する少なくとも１つの機能と、携帯端末１００に既登録のＢＬＥデバイスとを連結させる過程について説明する。
【０４１８】
図４６は、本発明の一実施形態に係わる登録ＢＬＥデバイスと、携帯端末の機能とをマッピングする方法について説明するためのフローチャートである。
【０４１９】
ユーザは、携帯端末１００の少なくとも１つの機能を、遠隔で制御するのに利用するためのＢＬＥデバイスを選択することができる。そのとき、ユーザは、携帯端末１００に既登録のＢＬＥデバイスの目録から、少なくとも１つの登録ＢＬＥデバイスを選択することもでき、登録ＢＬＥデバイスの識別情報を直接入力することにより、少なくとも１つの登録ＢＬＥデバイスを選択することもできる。以下では、ユーザが携帯端末１００に既登録のＢＬＥデバイスの目録から、少なくとも１つの登録ＢＬＥデバイスを選択する場合について、例を挙げて説明する。しかし、ユーザが登録ＢＬＥデバイスを選択する方法は、それに限定されるものではなく、多様である。段階４６１０で、携帯端末１００は、登録ＢＬＥデバイス目録を表示することができる。登録ＢＬＥデバイス目録には、センサを含むセンサ基盤ＢＬＥデバイスの識別情報、及びセンサを含まない登録ＢＬＥデバイスの識別情報が表示される。
【０４２０】
例えば、登録ＢＬＥデバイス目録を要請するユーザ入力が受信される場合、携帯端末１００は、登録ＢＬＥデバイス目録を画面に表示することができる。そのとき、携帯端末１００は、ユーザが登録ＢＬＥデバイスを容易に識別することができるように、ユーザによって入力されたＩＤ、ニックネーム、カテゴリー情報などを含む登録ＢＬＥデバイス目録を構成して表示することができる。
【０４２１】
段階４６２０で、携帯端末１００は、少なくとも１つの登録ＢＬＥデバイスに係わる選択を受信することができる。例えば、携帯端末１００は、登録ＢＬＥデバイス目録のうち、少なくとも１つの登録ＢＬＥデバイス選択のためのユーザのタップ・ジェスチャ、スワイプ・ジェスチャ、フリック・ジェスチャなどを感知したり、あるいはユーザの音声命令を認識することができる。
【０４２２】
段階４６３０で、携帯端末１００は、選択された登録ＢＬＥデバイスと、携帯端末１００で支援する少なくとも１つの機能とを連結させるユーザ入力を受信することができる。携帯端末１００で支援する機能は、多様である。例えば、携帯端末１００の機能には、文字送信機能、通話連結機能、コンデンツ再生機能、モード自動設定機能、ウェプページ接続機能、ゲーム実行機能、キャプチャ機能、検索機能などがあるが、それらに限定されるものではない。
【０４２３】
本発明の一実施形態による携帯端末１００は、携帯端末１００で支援する機能についての機能目録を提供し、機能目録のうち、少なくとも１つの機能に対するユーザの選択を受信することができる。本発明の一実施形態によれば、携帯端末１００は、機能目録をＧＵＩ（graphical user interface）形態で提供することができる。
【０４２４】
段階４６４０で、携帯端末１００は、登録ＢＬＥデバイスの識別情報と、携帯端末１００の少なくとも１つの機能とをマッピングし、メモリ１６０に保存することができる。すなわち、携帯端末１００は、登録ＢＬＥデバイスの識別情報（例えば、デバイスＩＤ、Ｓ／Ｎ、ＭＡＣ（media access control） addressなど）と、ユーザによって選択された携帯端末１００の機能とをマッピングし、メモリ１６０に保存することができる。
【０４２５】
そのとき、本発明の一実施形態によれば、携帯端末１００は、ユーザによって選択された少なくとも１つの機能を、登録ＢＬＥデバイスの属性情報（例えば、外観の色相情報、image情報、センサ情報など）とさらにマッピングし、メモリ１６０に保存することができる。また、携帯端末１００は、ユーザによって選択された少なくとも１つの機能を、登録ＢＬＥデバイスに係わるユーザ追加情報（例えば、ユーザによって設定されたＩＤ、ニックネーム、カテゴリー、メモなど）とさらにマッピングし、メモリ１６０に保存することもできる。
【０４２６】
一方、本発明の一実施形態によれば、携帯端末１００は、１つの登録ＢＬＥデバイスと複数の機能とをマッピングし、メモリ１６０に保存することもできる。例えば、携帯端末１００は、１つの登録ＢＬＥデバイスに対応する複数の機能を、時間別に区別して保存することができる。すなわち、ユーザは、午前／午後、朝／昼／夕方、午前７〜９時／午前１１〜１２時／午後３〜５時／午後８〜１０時などに区別し、１つの登録ＢＬＥデバイスに対応する複数の機能を設定することができる。
【０４２７】
他の実施形態によれば、携帯端末１００は、１つの登録ＢＬＥデバイスに対応する複数の機能を、センシング情報によって区別し、メモリ１６０に保存することもできる。例えば、１つの多重センサ基盤ＢＬＥデバイスに、温度センサ、モーションセンサ、ウェートセンサが含まれている場合、携帯端末１００は、多重センサ基盤ＢＬＥデバイスの識別情報に、温度センサに係わる第１機能／モーションセンサに係わる第２機能／ウェートセンサに係わる第３機能をマッピングし、メモリ１６０に保存することができる。
【０４２８】
本発明の一実施形態によれば、ユーザは、登録ＢＬＥデバイスとマッピングされた携帯端末１００の既設定の機能を変更することもできる。その場合、携帯端末１００は、メモリ１６０に保存された登録ＢＬＥデバイスについての機能情報を更新することができる。
【０４２９】
図４７Ａないし図４７Ｅは、本発明の一実施形態に係わる携帯端末が、登録ＢＬＥデバイスと、携帯端末の機能とを連結させるユーザ入力を受信する過程を示す図面である。
【０４３０】
図４７Ａに図示されているように、携帯端末１００は、登録ＢＬＥデバイス目録を提供することができる。携帯端末１００は、ユーザの便宜のために、登録ＢＬＥデバイス目録を、ユーザによって設定されたＩＤ、ニックネーム、カテゴリーなどによって構成して表示することができる。本発明の一実施形態による携帯端末１００は、住所録アプリケーションを介して、登録ＢＬＥデバイス目録を提供することもできる。例えば、携帯端末１００は、登録ＢＬＥデバイスを所持したユーザの識別情報目録を、登録ＢＬＥデバイス目録として提供することができる。
【０４３１】
本発明の一実施形態による携帯端末１００は、住所録アプリケーションを介して、他のユーザ（例えば、ミッシェル）が所持した登録ＢＬＥデバイス４７１０に対するユーザの選択を感知することができる。
【０４３２】
図４７Ｂに図示されているように、携帯端末１００は、住所録アプリケーションを介して選択された登録ＢＬＥデバイス４７１０を所持した他のユーザ（例えば、「Michelle」）についての情報を提供することができる。例えば、携帯端末１００は、選択された他のユーザについての基本情報（例えば、氏名、職業、年齢、写真、ユーザとの関係、他のユーザが使用中であるＳＮＳサーバアドレス、ＳＮＳアカウント情報）、及び他のユーザが所持した登録ＢＬＥデバイス４７１０の識別情報（例えば、ＴＡＧＳ／Ｎ：SAMSUNG＿ＢＬＥ＿MICHELLE００１）などを表示することができる。
【０４３３】
一方、携帯端末１００は、画面に表示された機能設定ボタン４７２０に対するユーザの選択を感知することができる。例えば、携帯端末１００は、ユーザのタッチ・ジェスチャ（例えば、タップ・ジェスチャ、フリック・ジェスチャなど）、音声命令などを認識し、機能設定ボタン４７２０に対するユーザの選択を感知することができる。
【０４３４】
図４７Ｃに図示されているように、携帯端末１００は、機能設定ボタン４７２０に対するユーザの選択に応答し、携帯端末１００で支援する機能についての機能目録を提供することができる。本発明の一実施形態による携帯端末１００は、機能目録に、それぞれの機能を遂行するアプリケーションの識別情報を表示することもできる。例えば、携帯端末１００は、機能目録に、メッセージ・アプリケーション、ＳＮＳ（例えば、フェースブック）アプリケーション、日程管理アプリケーション、写真アプリケーションなどを表示することができる。
【０４３５】
本発明の一実施形態による携帯端末１００は、メッセージ送信機能４７３０に対するユーザの選択を感知することができる。すなわち、携帯端末１００のユーザは、他のユーザ（例えば、ミッシェル）が所持した登録ＢＬＥデバイス４７１０と連動される機能として、メッセージ伝送機能４７３０を選択することができる。そのとき、ユーザは、タップ・ジェスチャ、フリック・ジェスチャ、スワイプ・ジェスチャ、音声命令などを介して、メッセージ伝送機能４７３０を選択することができる。
【０４３６】
図４７Ｄに図示されているように、本発明の一実施形態による携帯端末１００は、メッセージ伝送機能４７３０に対する選択に応答し、住所録を提供することができる。ユーザは、住所録から、ミッシェルのお母さん（Michelle’ｓ ｍｏｍ」）をメッセージを伝送するための相手として選択することができる。
【０４３７】
図４７Ｅに図示されているように、携帯端末１００は、追ってミッシェルのお母さん（Michelle’ｓ ｍｏｍ」）のデバイスに伝送するメッセージ内容（例えば、ミッシェルが幼稚園に到着）をユーザから入力される。
【０４３８】
そのとき、本発明の一実施形態による携帯端末１００は、他のユーザ（例えば、ミッシェル）が所持した登録ＢＬＥデバイス４７１０の識別情報（例えば、ＴＡＧＳ／Ｎ：SAMSUNG＿ＢＬＥ＿MICHELLE００１）と、メッセージ伝送機能（例えば、相手方デバイス：Michelle’ｓ ｍｏｍ；メッセージ内容：ミッシェルが幼稚園に到着）とをマッピングし、登録ＢＬＥデバイス４７１０に係わる機能情報として、メモリ１６０に保存することができる。
【０４３９】
図４８Ａないし図４８Ｅは、本発明の一実施形態に係わるセンサ基盤ＢＬＥデバイスと、携帯端末の機能とをマッピングする過程を示す図面である。
【０４４０】
ユーザは、携帯端末１００の少なくとも１つの機能を、遠隔で制御するのに利用するためのセンサ基盤ＢＬＥデバイスを選択することができる。以下では、ユーザが携帯端末１００に既登録のＢＬＥデバイスの目録から、少なくとも１つのセンサ基盤ＢＬＥデバイスを選択する場合について、例を挙げて説明する。しかし、ユーザがセンサ基盤ＢＬＥデバイスを選択する方法は、それに限定されるものではなく、多様である。
【０４４１】
図４８Ａに図示されているように、携帯端末１００は、登録ＢＬＥデバイス目録を提供することができる。携帯端末１００は、ユーザの便宜のために、登録ＢＬＥデバイス目録を、ユーザによって設定されたＩＤ、ニックネーム、カテゴリーなどによって構成して表示することができる。例えば、携帯端末１００は、リンゲルに付着された登録ＢＬＥデバイスを「ringer」と表示し、電子ブック端末機に付着された登録ＢＬＥデバイスを「ｅBook」と表示し、哺乳瓶に付着された登録ＢＬＥデバイスを「baby bottle」と表示し、人形に付着された登録ＢＬＥデバイスを「doll」と表示することができる。携帯端末１００は、登録ＢＬＥデバイス目録のうち、人形に付着されたモーションセンサ基盤ＢＬＥデバイス４８００についてのユーザの選択を感知することができる。
【０４４２】
図４８Ｂに図示されているように、携帯端末１００は、モーションセンサ基盤ＢＬＥデバイス４８００に対するユーザの選択に応答し、基準センシング値を設定することができるセンシング情報設定ウィンドー４８１０を提供することができる。基準センシング値は、センサ基盤ＢＬＥデバイスと対応する少なくとも１つの機能が、携帯端末１００で自動的に遂行されるための基準になるセンシング値を意味する。
【０４４３】
本発明の一実施形態によるユーザは、モーションセンサ基盤ＢＬＥデバイス４８００が付着された人形を２回振る場合、モーションセンサ基盤ＢＬＥデバイス４８００に対応する機能が携帯端末１００で実行されるように、基準センシング値を「２shakes」に設定することができる。
【０４４４】
一方、携帯端末１００は、画面に表示された機能設定ボタン４８２０に対するユーザの選択を感知することができる。例えば、携帯端末１００は、ユーザのタッチ・ジェスチャ（例えば、タップ・ジェスチャ、フリック・ジェスチャなど）、音声命令などを認識し、機能設定ボタン４８２０に対するユーザの選択を感知することができる。
【０４４５】
図４８Ｃに図示されているように、携帯端末１００は、機能設定ボタン４８２０に対するユーザの選択に応答し、携帯端末１００で支援する機能についての機能目録を提供することができる。本発明の一実施形態による携帯端末１００は、機能目録に、それぞれの機能を遂行するアプリケーションの識別情報を表示することもできる。
【０４４６】
本発明の一実施形態による携帯端末１００は、通話連結機能４８３０に対するユーザの選択を感知することができる。すなわち、携帯端末１００のユーザは、他のユーザ（例えば、お母さん）が所持した登録ＢＬＥデバイス４８００と連動される機能として、通話連結機能４８３０を選択することができる。そのとき、ユーザは、タップ・ジェスチャ、フリック・ジェスチャ、スワイプ・ジェスチャ、音声命令などを介して、通話連結機能４８３０を選択することができる。
【０４４７】
図４８Ｄに図示されているように、本発明の一実施形態による携帯端末１００は、通話連結機能４８３０に対するユーザの選択に応答し、住所録を提供することができる。ユーザは、住所録でお母さん（mother）を通話連結相手として選択することができる。
【０４４８】
図４８Ｅに図示されているように、本発明の一実施形態による携帯端末１００は、人形に付着されたモーションセンサ基盤ＢＬＥデバイス４８００の識別情報（例えば、ＴＡＧＳ／Ｎ：SAMSUNG＿ＢＬＥ＿Motion＿００５）、基準センシング値（例えば、モーション：０２shakes）及び通話連結機能４８３０をマッピングし、モーションセンサ基盤ＢＬＥデバイス４８００についての機能情報として、メモリ１６０に保存することができる。
【０４４９】
具現例により、携帯端末１００は、センサ基盤ＢＬＥデバイスに係わる基準センシング値をまず入力された後、センサ基盤ＢＬＥデバイスに対応する機能を設定され、センサ基盤ＢＬＥデバイスに対応する機能をまず設定された後、センサ基盤ＢＬＥデバイスに係わる基準センシング値を入力されてもよい。
【０４５０】
図４９Ａないし図４９Ｅは、本発明の他の実施形態に係わるセンサ基盤ＢＬＥデバイスと、携帯端末の機能とをマッピングする過程を示す図面である。
【０４５１】
図４９Ａに図示されているように、携帯端末１００は、ユーザが少なくとも１つのセンサ基盤ＢＬＥデバイスを選択するように、登録ＢＬＥデバイス目録を提供することができる。携帯端末１００は、ユーザの便宜のために、登録ＢＬＥデバイス目録を、ユーザによって設定されたＩＤ、ニックネーム、カテゴリーなどによって構成して表示することができる。携帯端末１００は、登録ＢＬＥデバイス目録のうち、人形に付着された照度センサ基盤ＢＬＥデバイス４９００についてのユーザの選択を感知することができる。
【０４５２】
図４９Ｂに図示されているように、携帯端末１００は、照度センサ基盤ＢＬＥデバイス４９００に対するユーザの選択に応答し、基準センシング値を設定することができるセンシング情報設定ウィンドー４９１０を提供することができる。
【０４５３】
本発明の一実施形態によるユーザは、周辺環境が暗くなる場合、照度センサ基盤ＢＬＥデバイス４９００に対応する機能が、携帯端末１００で実行されるように、基準センシング値を「darkness」に設定することができる。
【０４５４】
一方、携帯端末１００は、画面に表示された機能設定ボタン４９２０に対するユーザの選択を感知することができる。例えば、携帯端末１００は、ユーザのタッチ・ジェスチャ（例えば、タップ・ジェスチャ、フリック・ジェスチャなど）、音声命令などを認識し、機能設定ボタン４９２０に対するユーザの選択を感知することができる。
【０４５５】
図４９Ｃに図示されているように、携帯端末１００は、機能設定ボタン４９２０に対するユーザの選択に応答し、携帯端末１００で支援する機能についての機能目録を提供することができる。本発明の一実施形態による携帯端末１００は、機能目録に、それぞれの機能を遂行するアプリケーションの識別情報を表示することもできる。
【０４５６】
本発明の一実施形態による携帯端末１００は、コンデンツ再生機能４９３０に対するユーザの選択を感知することができる。すなわち、携帯端末１００のユーザは、照度センサ基盤ＢＬＥデバイス４９００と連動される機能として、コンデンツ再生機能４９３０を選択することができる。そのとき、ユーザは、タップ・ジェスチャ、フリック・ジェスチャ、スワイプ・ジェスチャ、音声命令などを介して、コンデンツ再生機能４９３０を選択することができる。
【０４５７】
図４９Ｄに図示されているように、本発明の一実施形態による携帯端末１００は、コンデンツ再生機能４９３０に対するユーザの選択に応答し、再生可能なコンデンツ目録を提供することができる。ユーザは、コンデンツ目録から、「白雪姫（Snow White）を選択することができる。
【０４５８】
図４９Ｅに図示されているように、本発明の一実施形態による携帯端末１００は、人形に付着された照度センサ基盤ＢＬＥデバイス４９００の識別情報（例えば、ＴＡＧＳ／Ｎ：SAMSUNG＿ＢＬＥ＿ILLUMINANCE＿００５）、基準センシング値（例えば、「darkness」）及びコンデンツ（例えば、白雪姫）再生機能４９３０をマッピングし、照度センサ基盤ＢＬＥデバイス４９００に対する機能情報として、メモリ１６０に保存することができる。
【０４５９】
図５０は、本発明の一実施形態に係わる機能情報目録を示す図面である。
【０４６０】
図５０に図示されているように、携帯端末１００は、機能情報目録に対するユーザの要請が感知される場合、機能情報目録を画面に出力することができる。本発明の一実施形態による携帯端末１００は、登録ＢＬＥデバイス５０１０，５０２０，５０３０）それぞれについて設定された機能を機能情報目録に表示することができる。そのとき、携帯端末１００は、区別便宜のためにユーザによって設定されたＩＤ、ニックネーム、カテゴリーなどで登録ＢＬＥデバイス５０１０，５０２０，５０３０を表示することができる。
【０４６１】
本発明の一実施形態による機能情報目録を参照すれば、携帯端末１００のユーザは、ミッシェルが所持した登録ＢＬＥデバイス５０１０に係わり、文字メッセージ伝送機能を設定し、人形１に付着されたモーションセンサ基盤ＢＬＥデバイス５０２０に係わり、電話通話連結機能を設定し、人形２に付着された照度センサ基盤ＢＬＥデバイス５０３０に係わり、コンデンツ再生機能を設定したことを確認することができる。
【０４６２】
図５１は、本発明の一実施形態に係わる登録ＢＬＥデバイスを利用して、携帯端末を制御する方法について説明するためのフローチャートである。
【０４６３】
段階５１１０で、携帯端末１００は、携帯端末１００が登録ＢＬＥデバイスの通信半径内に位置する場合、登録ＢＬＥデバイスから識別情報を受信することができる。例えば、ユーザが、携帯端末１００を所持した状態で、登録ＢＬＥデバイスの通信半径内に近付く場合、携帯端末１００は、登録ＢＬＥデバイスがブロードキャスティングする登録ＢＬＥデバイスの識別情報（例えば、デバイスＩＤ、Ｓ／Ｎ、ＭＡＣ address）を受信することができる。また、登録ＢＬＥデバイスを所持した他のユーザが、携帯端末１００に近付く場合にも、携帯端末１００は、登録ＢＬＥデバイスから識別情報を受信することができる。
【０４６４】
本発明の一実施形態による登録ＢＬＥデバイスの識別情報は、登録ＢＬＥデバイスからブロードキャスティングされるadvertising packetのＵＵＩＤフィールドまたはＭＳＤフィールドに含まれている。
【０４６５】
段階５１２０で、携帯端末１００は、登録ＢＬＥデバイスの識別情報に対応する機能情報を抽出することができる。本発明の一実施形態による携帯端末１００は、メモリ１６０、または携帯端末１００と連携された外部サーバ（例えば、クラウドサーバ）から、登録ＢＬＥデバイスの識別情報に対応する機能情報を抽出することができる。例えば、携帯端末１００は、既設定の機能情報目録から、登録ＢＬＥデバイスの識別情報に対応する機能情報を検索することができる。
【０４６６】
本発明の一実施形態による機能情報は、登録ＢＬＥデバイスの識別情報とマッピングされた少なくとも１つの既設定の機能を含んでもよい。本発明の一実施形態による既設定の機能は、文字伝送機能、通話連結機能、コンデンツ再生機能などがあるが、それらに限定されるものではない。
【０４６７】
段階５１３０で、携帯端末１００は、登録ＢＬＥデバイスの識別情報とマッピングされた既設定の機能を遂行することができる。本発明の一実施形態による携帯端末１００は、既設定の機能を遂行するためのアプリケーションを抽出することができる。そして、携帯端末１００は、抽出されたアプリケーションを実行することができる。本発明の一実施形態によるアプリケーションは、通話アプリケーション、メッセージ・アプリケーション、電子ブック・アプリケーション、ゲーム・アプリケーション、動画再生アプリケーション、地図アプリケーション、放送アプリケーションなどがあるが、それらに限定されるものではない。
【０４６８】
一方、１つの登録ＢＬＥデバイスの識別情報に対応する機能情報に、複数の既設定の機能が含まれて場合、携帯端末１００は、登録ＢＬＥデバイスの識別情報以外に、登録ＢＬＥデバイスの識別情報が受信される時間をさらに考慮し、既設定の機能を遂行することもできる。例えば、登録ＢＬＥデバイスの識別情報（例えば、ＢＬＥ＿ITEM＿００１）が受信された時間が午前である場合、携帯端末１００は、メッセージ伝送機能を遂行することができ、登録ＢＬＥデバイスの識別情報（例えば、ＢＬＥ＿ITEM＿００１）が受信された時間が午後である場合、携帯端末１００は、コンデンツ再生機能を遂行することができる。
【０４６９】
本発明の一実施形態によれば、ユーザは、直接携帯端末１００を操作せずとも、携帯端末１００が登録ＢＬＥデバイスの通信半径内にある場合、携帯端末１００で既設定の機能（例えば、通話連結、文字メッセージ伝送、動画再生など）が自動的に遂行される。これについて、図５２Ａないし図５２Ｃを参照し、さらに説明する。
【０４７０】
図５２Ａないし図５２Ｃは、本発明の一実施形態に係わる登録ＢＬＥデバイスを利用して、自動的に文字メッセージを伝送する方法について説明するための図面である。
【０４７１】
図５２Ａないし図５２Ｃに図示されているように、本発明の一実施形態による携帯端末５２１０のユーザ（例えば、幼稚園の先生）が、他のユーザ（例えば、幼稚園児ミッシェル）の登録ＢＬＥデバイス５２２０、メッセージ伝送機能（例えば、相手方デバイス：ミッシェルのお母さんのデバイス５１３０）、メッセージ内容：ミッシェルが幼稚園に到着）をマッピングし、他のユーザ（例えば、幼稚園児ミッシェル）の登録ＢＬＥデバイス５２２０に係わる機能情報として設定した場合について、例を挙げて説明する。
【０４７２】
図５２Ａに図示されているように、他のユーザ（例えば、幼稚園児ミッシェル）が登録ＢＬＥデバイス５２２０を所持した状態で幼稚園へ来る場合、幼稚園の先生の携帯端末５２１０は、幼稚園児ミッシェルが所持した登録ＢＬＥデバイス５２２０から識別情報を受信することができる。そのとき、登録ＢＬＥデバイス５２２０の識別情報は、登録ＢＬＥデバイス５２２０からブロードキャスティングされるadvertising packetのＵＵＩＤフィールドまたはＭＳＤフィールドに含まれている。
【０４７３】
図５２Ｂに図示されているように、幼稚園の先生の携帯端末５２１０は、登録ＢＬＥデバイス５２２０の識別情報を、既設定の機能情報目録と比較し、ミッシェルが所持した登録ＢＬＥデバイス５２２０の識別情報に対応する既設定の機能情報（例えば、ミッシェルのお母さんのデバイス５２３０にメッセージ伝送）を抽出することができる。その場合、幼稚園の先生の携帯端末５２１０は、ミッシェルのお母さんのデバイス５２３０に「ミッシェルが幼稚園に到着」という既設定のメッセージを自動的に伝送することができる。
【０４７４】
従って、本発明の一実施形態によれば、幼稚園の先生は、自分の携帯端末５２１０を特別に操作せずとも、登録ＢＬＥデバイス５２２０を所持した幼稚園児が登園する場合、幼稚園児の親のデバイス５２３０に、幼稚園児の到着お知らせメッセージを伝送することができる。
【０４７５】
一方、本発明の一実施形態によれば、ユーザは、登録ＢＬＥデバイスに係わる機能を設定するとき、時間条件情報をさらに追加することができる。例えば、幼稚園の先生は、ミッシェルが所持した登録ＢＬＥデバイス５２２０の識別情報が、午前９〜１２時に受信される場合にのみ、自分の携帯端末５２１０がミッシェルのお母さんのデバイス５２３０にメッセージを伝送するように時間条件を付け加えることができる。
【０４７６】
従って、本発明の一実施形態による携帯端末５２１０は、登録ＢＬＥデバイス５２２０の識別情報が受信される時点を考慮し、登録ＢＬＥデバイス５２２０の識別情報に対応する機能を遂行することもできる。
【０４７７】
図５２Ｃに図示されているように、家でミッシェルを幼稚園に送ったミッシェルのお母さんは、自分のデバイス５２３０を介して、幼稚園の先生の携帯端末５２１０から自動的に送られてきたメッセージ（例えば、「ミッシェルが幼稚園に到着」）を確認することができる。
【０４７８】
図５３は、本発明の一実施形態に係わるセンサ基盤ＢＬＥデバイスを利用して、携帯端末を制御する方法について説明するためのフローチャートである。
【０４７９】
段階５３１０で、携帯端末１００は、センサ基盤ＢＬＥデバイスから、識別情報及びセンシング情報を受信することができる。すなわち、携帯端末１００が、センサ基盤ＢＬＥデバイスの通信半径内に位置する場合、携帯端末１００は、センサ基盤ＢＬＥデバイスから識別情報（例えば、デバイスＩＤ、Ｓ／Ｎ、ＭＡＣ address）及びセンシング情報を受信することができる。
【０４８０】
センシング情報とは、センサ基盤ＢＬＥデバイスがセンサを介して感知した情報を意味する。本発明の一実施形態によるセンシング情報には、モーション情報、ウェート情報、照度情報、温度情報、湿度情報、加速度情報、近接情報などがあるが、それらに限定されるものではない。また、本発明の一実施形態によるモーション情報は、モーション・パターン、モーション回数、モーション発生時間、モーション速度、モーション方向などを含んでもよいが、それらに限定されるものではない。
【０４８１】
本発明の一実施による携帯端末１００は、既設定の周期によって、センサ基盤ＢＬＥデバイスからセンシング情報を受信することができる。そのとき、既設定の周期は、変更される。
【０４８２】
一方、本発明の一実施による携帯端末１００は、センサ基盤ＢＬＥデバイスの識別情報とセンシング情報とを、advertising packet形態で受信することもできる。例えば、センサ基盤ＢＬＥデバイスが、温度センサを含む青色のタグである場合、携帯端末１００は、advertising packetのＵＵＩＤフィールドまたはＭＳＤフィールドに挿入されたセンサ基盤ＢＬＥデバイスの識別情報（例えば、「SAMSUNG＿Ｔｅｍｐ＿TAG００１＿blue」）を受信することができる。また、携帯端末１００は、advertising packetのＭＳＤフィールドに挿入されたセンシング情報（例えば、温度センサによって測定された現在温度が３６℃である場合、「０Ｘ０６００００２４」）を受信することもできる。
【０４８３】
本発明の一実施形態による携帯端末１００は、センサ基盤ＢＬＥデバイスの識別情報が受信される場合、受信されたセンサ基盤ＢＬＥデバイスの識別情報と、メモリ１６０に既保存の登録ＢＬＥデバイス目録とを比較し、識別情報を伝送したセンサ基盤ＢＬＥデバイスが、登録ＢＬＥデバイスであるか否かを判断することもできる。
【０４８４】
段階５３２０で、携帯端末１００は、センサ基盤ＢＬＥデバイスの識別情報及びセンシング情報に対応する機能情報を抽出することができる。例えば、携帯端末１００は、受信されたセンサ基盤ＢＬＥデバイスの識別情報及びセンシング情報を、メモリ１６０に保存された既設定の機能情報目録と比較し、機能情報を抽出することができる。本発明の一実施形態による既設定の機能情報目録は、センサ基盤ＢＬＥデバイスの識別情報（例えば、ＢＬＥ＿ｔｅｍｐ＿ITEM＿００１）、基準センシング値（例えば、２回回転）、既設定の機能（例えば、通話連結機能）、相手方電話番号（例えば、０１０−１２３４−１２３４）などがマッピングされているマッピングテーブル形態でもある（図５０参照）。
【０４８５】
段階５３３０で、携帯端末１００は、センサ基盤ＢＬＥデバイスの識別情報及びセンシング情報に対応する既設定の機能を遂行することができる。そのとき、携帯端末１００は、既設定の機能を遂行するためのアプリケーションを抽出することができる。そして、携帯端末１００は、抽出されたアプリケーションを実行し、既設定の機能を遂行することができる。
【０４８６】
従って、本発明の一実施形態によれば、ユーザは、携帯端末１００を直接操作せずとも、センサ基盤ＢＬＥデバイスを利用して、携帯端末１００が既設定の機能を遂行するように、遠隔で携帯端末１００を制御することができる。これについて、図５４Ａ及び図５４Ｂ、並びに図５５Ａ及び図５５Ｂを参照してさらに説明する。
【０４８７】
図５４Ａ及び図５４Ｂは、本発明の一実施形態に係わるセンサ基盤ＢＬＥデバイスを利用して、自動的に電話を連結する方法について説明するための図面である。
【０４８８】
図５４Ａ及び図５４Ｂに図示されているように、ユーザ（例えば、ミッシェル）が、モーションセンサ基盤ＢＬＥデバイス５４２０が付着された人形を２回振る場合、ユーザ（例えば、ミッシェル）の携帯端末５４１０が、既設定の外部デバイス（例えば、ミッシェルのお母さんのデバイス５４３０）に通話を連結するように、モーションセンサ基盤ＢＬＥデバイス５４２０の識別情報（例えば、ＢＬＥ＿motion＿００１）及び基準モーション値（例えば、２shakes）が通話連結機能とマッピングされ、ユーザ（例えば、ミッシェル）の携帯端末５４１０に保存されている場合について、例を挙げて説明する。
【０４８９】
図５４Ａに図示されているように、人形に付着されたモーションセンサ基盤ＢＬＥデバイス５４２０は、モーションセンサを介して、人形の動きを感知することができる。そして、モーションセンサ基盤ＢＬＥデバイス５４２０は、感知したモーション情報及び識別情報（例えば、ＢＬＥ＿motion＿００１）を、advertisingデータパッケージ形態でブロードキャスティングすることができる。すなわち、モーションセンサ基盤ＢＬＥデバイス５４２０は、モーション情報をＭＳＤフィールドに挿入し、識別情報（例えば、ＢＬＥ＿motion＿００１）をＵＵＩＤフィールドまたはＭＳＤフィールドに挿入し、モーション情報及び識別情報をブロードキャスティングすることができる。
【０４９０】
例えば、ユーザ（例えば、ミッシェル）が人形を２回振る場合、モーションセンサ基盤ＢＬＥデバイス５４２０の通信半径内に位置したユーザ（例えば、ミッシェル）の携帯端末５４１０は、モーションセンサ基盤ＢＬＥデバイス５４２０がブロードキャスティングするモーション情報（例えば、２shakes）及び識別情報（例えば、ＢＬＥ＿motion＿００１）を受信することができる。そのとき、ユーザ（例えば、ミッシェル）の携帯端末５４１０は、受信されたモーション情報（例えば、２shakes）及び識別情報（例えば、ＢＬＥ＿motion＿００１）に対応する「通話連結機能」を、既設定の機能情報目録から抽出することができる。
【０４９１】
図５４Ｂに図示されているように、ユーザ（例えば、ミッシェル）の携帯端末５４１０は、抽出された通話連結機能を遂行することができる。従って、ユーザ（例えば、ミッシェル）の携帯端末５４１０は、通話アプリケーションを実行し、既保存の電話番号を利用して、ミッシェルのお母さんのデバイス５４３０に通話連結を要請することができる。本発明の一実施形態によれば、携帯端末５４１０の使用に不慣れであったり、あるいは携帯端末５４１０の使用を苦にするユーザであるとしても、遠隔で携帯端末５４１０の機能を手軽に制御することができる。
【０４９２】
図５５Ａ及び図５５Ｂは、本発明の一実施形態に係わる照度センサ基盤ＢＬＥデバイスを利用して、自動的にコンデンツを再生する方法について説明するための図面である。
【０４９３】
図５５Ａ及び図５５Ｂに図示されているように、ユーザが照度センサ基盤ＢＬＥデバイス５５１０が付着された人形の周辺を暗くする場合、ユーザの携帯端末１００が、既設定のコンデンツ（例えば、白雪姫の動画）を再生するように、照度センサ基盤ＢＬＥデバイス５５１０の識別情報（例えば、ＢＬＥ＿light＿ITEM００５）及び基準照度値（例えば、１００ｌｕｘ以下）が、「白雪姫動画の再生機能」とマッピングされ、携帯端末１００に保存されている場合について、例を挙げて説明する。
【０４９４】
図５５Ａに図示されているように、人形に付着された照度センサ基盤ＢＬＥデバイス５５１０は、照度センサを介して、周辺の照度を感知することができる。そして、照度センサ基盤ＢＬＥデバイス５５１０は、感知した照度情報及び識別情報（例えば、ＢＬＥ＿light＿ITEM００５）を、advertisingデータパッケージ形態でブロードキャスティングする。すなわち、照度センサ基盤ＢＬＥデバイス５５１０は、照度情報をＭＳＤフィールドに挿入し、識別情報（例えば、ＢＬＥ＿light＿ITEM００５）をＵＵＩＤフィールドまたはＭＳＤフィールドに挿入し、照度情報及び識別情報をブロードキャスティングすることができる。
【０４９５】
例えば、ユーザ（例えば、ミッシェルのお母さん）が部屋の中の明かりを消す場合、照度センサ基盤ＢＬＥデバイス５５１０の通信半径内に位置したユーザ（例えば、ミッシェルのお母さん）の携帯端末１００は、照度センサ基盤ＢＬＥデバイス５５１０がブロードキャスティングする照度情報（例えば、５０ｌｕｘ）及び識別情報（例えば、ＢＬＥ＿light＿ITEM００５）を受信することができる。そのとき、ユーザ（例えば、ミッシェルのお母さん）の携帯端末１００は、受信された照度情報（例えば、５０ｌｕｘ）及び識別情報（例えば、ＢＬＥ＿light＿ITEM００５）に対応する「白雪姫動画の再生機能」を既設定の機能情報目録から抽出することができる。
【０４９６】
図５５Ｂに図示されているように、ユーザ（例えば、ミッシェルのお母さん）の携帯端末１００は、電子ブック・アプリケーションを実行し、白雪姫動画コンデンツを自動的に再生することができる。すなわち、本発明の一実施形態によるユーザ（例えば、ミッシェルのお母さん）の携帯端末１００は、ユーザ（例えば、ミッシェルのお母さん）の特別な操作がなくとも、ユーザ（例えば、ミッシェルのお母さん）が部屋の中の明かりを消して照度が基準照度値以下に低くなれば、自動的に動画を再生することができる。
【０４９７】
本発明の一実施形態による携帯端末１００は、照度センサ基盤ＢＬＥデバイス５５１０の識別情報及びセンシング情報が受信される時間情報をさらに考慮して、コンデンツを再生することもできる。例えば、部屋の中の明かりを消し、照度センサ基盤ＢＬＥデバイス５５１０から受信される照度情報が１００ｌｕｘ以下であるとしても、携帯端末１００は、２０時から２２時の間でのみコンデンツを再生することができる。
【０４９８】
一方、携帯端末１００は、照度センサ基盤ＢＬＥデバイス５５１０の識別情報及びセンシング情報が受信される時間が、２０時から２１時の間である場合「白雪姫」動画を再生し、照度センサ基盤ＢＬＥデバイス５５１０の識別情報及びセンシング情報が受信される時間が２１時から２２時の間である場合、「眠る森の中の美女（Sleeping beauty）」動画を再生することもできる。
【０４９９】
図５６は、本発明の一実施形態に係わる登録ＢＬＥデバイスを利用して、音声ファイルを実行する方法について説明するためのフローチャートである。
【０５００】
段階５６１０で、第１携帯端末は、ユーザから入力された音声を録音し、音声ファイルを生成することができる。そして、段階５６２０で、第１携帯端末は、生成された音声ファイルを外部サーバにアップロードすることができる。段階５６３０で、第１携帯端末は、外部サーバにアップロードされた音声ファイルについてのリンク情報（例えば、ＵＲＩ：uniform resource identifier）を獲得することができる。そのとき、段階５６４０で、第１携帯端末１００は、音声ファイルについてのリンク情報を、登録ＢＬＥデバイスに伝送することができる。
【０５０１】
段階５６５０で、登録ＢＬＥデバイスは、第１携帯端末から受信された音声ファイルについてのリンク情報を、メモリに保存することができる。そして、段階５６６０で、登録ＢＬＥデバイスは、識別情報及び音声ファイルについてのリンク情報を、advertising packet形態でブロードキャスティングすることができる。例えば、登録ＢＬＥデバイスは、識別情報及び音声ファイルについてのリンク情報を、advertising packetのＵＵＩＤフィールドまたはＭＳＤフィールドに挿入し、ブロードキャスティングすることができる。
【０５０２】
そのとき、第２携帯端末が登録ＢＬＥデバイスの通信半径内に位置する場合、第２携帯端末は、登録ＢＬＥデバイスがブロードキャスティングする識別情報及び音声ファイルに係わるリンク情報を受信することができる。
【０５０３】
段階５６７０で、第２携帯端末は、登録ＢＬＥデバイスから受信されたリンク情報を介して、音声ファイルにアクセスすることができる。そして、段階５６８０で、第２携帯端末は、音声ファイルを実行することができる。第２携帯端末は、外部サーバにアップロードされた音声ファイルをダウンロード方式で実行することもでき、ストリーミング方式で実行することもできる。
【０５０４】
図５７Ａないし図５７Ｃは、本発明の一実施形態に係わる登録ＢＬＥデバイスを利用して、他人が録音した音声ファイルを実行する過程について説明するための図面である。
【０５０５】
図５７Ａに図示されているように、第１携帯端末５７１０のユーザ（例えば、ミッシェルのお母さん）は、第１携帯端末５７１０に音声を入力することができる。例えば、ミッシェルのお母さんは、自分の携帯端末５７１０に「ミッシェルに風邪薬を渡して飲ませてください」という音声を入力することができる。その場合、第１携帯端末５７１０は、ミッシェルのお母さんから入力された音声を録音し、音声ファイルを生成し、生成された音声ファイルを、外部サーバにアップロードすることができる。そして、第１携帯端末５７１０は、外部サーバにアップロードされた音声ファイルについてのリンク情報（例えば、ＵＲＩ）を獲得し、ミッシェルが所持した登録ＢＬＥデバイス５７２０に記録することができる。
【０５０６】
図５７Ｂに図示されているように、登録ＢＬＥデバイス５７２０を所持したミッシェルが幼稚園に到着した場合、幼稚園の先生が所持した第２携帯端末５７３０は、ミッシェルの登録ＢＬＥデバイス５７２０から、ミッシェルのお母さんが録音した音声ファイルについてのリンク情報を受信することができる。
【０５０７】
そのとき、本発明の一実施による第２携帯端末５７３０は、ミッシェルの登録ＢＬＥデバイス５７２０の識別情報と、ミッシェルのお母さんが録音した音声ファイルについてのリンク情報とを、advertising packet形態で受信することもできる。例えば、第２携帯端末５７３０は、advertising packetのＵＵＩＤフィールドまたはＭＳＤフィールドに挿入された登録ＢＬＥデバイス５７２０の識別情報及びリンク情報を受信することができる。
【０５０８】
図５７Ｃに図示されているように、幼稚園の先生が所持した第２携帯端末５７３０は、登録ＢＬＥデバイス５７２０から受信されたリンク情報を利用して、外部サーバにアップロードされた音声ファイルにアクセスすることができる。そして、第２携帯端末５７３０は、ミッシェルのお母さんが録音した「ミッシェルに風邪薬を渡して飲ませてください」という音声ファイルを再生することができる。そのとき、第２携帯端末５７３０は、外部サーバにアップロードされた音声ファイルを、ダウンロード方式またはストリーミング方式で再生することができる。
【０５０９】
図５８は、本発明の一実施形態に係わる携帯端末のモード設定方法について説明するためのフローチャートである。
【０５１０】
段階５８１０で、携帯端末１００は、登録ＢＬＥデバイス目録を表示することができる。例えば、登録ＢＬＥデバイス目録を要請するユーザ入力が受信される場合、携帯端末１００は、既登録のＢＬＥデバイスの目録を画面に表示することができる。そのとき、携帯端末１００は、ユーザが登録ＢＬＥデバイスを容易に識別することができるように、登録ＢＬＥデバイス目録を、ユーザによって設定されたＩＤ、ニックネーム、カテゴリーなどによって構成して表示することができる。
【０５１１】
段階５８２０で、携帯端末１００は、登録ＢＬＥデバイス目録のうち少なくとも１つの登録ＢＬＥデバイスに係わる選択を受信することができる。例えば、携帯端末１００は、登録ＢＬＥデバイス目録のうち、少なくとも１つの登録ＢＬＥデバイス選択のためのユーザのタップ・ジェスチャ、スワイプ・ジェスチャ、フリック・ジェスチャなどを感知したり、あるいはユーザの音声命令を認識することができる。
【０５１２】
段階５８３０で、携帯端末１００は、ユーザによって選択された登録ＢＬＥデバイスに係わるモード情報を入力される。
【０５１３】
本発明の一実施形態によるモード情報は、携帯端末１００が登録ＢＬＥデバイスの通信半径内に入る場合（または、通信半径から外れる場合）、携帯端末１００に設定されるモードについての情報を意味することができる。本発明の一実施形態によるモードには、Ｗｉ−Ｆｉ ON／OFFモード、ブルートゥースON／OFFモード、サウンドON／OFFモード、マナーモード、飛行機搭乗モード、運転モード、データ送受信モード（例えば、同期化モード）、明るさ調節モードなどがあるが、それらに限定されるものではない。
【０５１４】
本発明の一実施形態によれば、携帯端末１００は、１つの登録ＢＬＥデバイスについて、１つのモード情報を入力され、複数の登録ＢＬＥデバイスについて、同一のモード情報を入力されてもよい。一方、携帯端末１００は、１つの登録ＢＬＥデバイスについて、複数のモード情報を入力されてもよい。そのとき、本発明の一実施形態によれば、携帯端末１００は、１つの登録ＢＬＥデバイスに係わる複数のモード情報を、時間によって区別して入力される。例えば、ユーザは、１つの登録ＢＬＥデバイスに係わる複数のモード情報を、午前／午後、朝／昼／夕方、午前７〜９時／午前１１〜１２時／午後３〜５時／午後８〜１０などに区別して設定することができるが、それらに限定されるものではない。
【０５１５】
段階５８４０で、携帯端末１００は、登録ＢＬＥデバイスの識別情報とモード情報とをマッピングし、メモリ１６０に保存することができる。本発明の一実施形態によれば、携帯端末１００は、モード情報を登録ＢＬＥデバイスの属性情報（例えば、外観の色相情報、image情報、センサ情報など）とさらにマッピングし、メモリ１６０に保存することができる。また、携帯端末１００は、モード情報を、ユーザ追加情報（例えば、ユーザによって設定されたＩＤ、ニックネーム、カテゴリー、メモなど）とさらにマッピングし、メモリ１６０に保存することもできる。
【０５１６】
一方、ユーザが登録ＢＬＥデバイスに係わるモード設定を変更する場合、携帯端末１００は、メモリ１６０に保存された登録ＢＬＥデバイスについてのモード情報を更新することができる。
段階５８５０で、携帯端末１００は、携帯端末１００が登録ＢＬＥデバイスの通信半径内に位置する場合、登録ＢＬＥデバイスから識別情報を受信することができる。例えば、ユーザが携帯端末１００を所持した状態で、登録ＢＬＥデバイスの通信半径内に近付く場合、携帯端末１００は、登録ＢＬＥデバイスがブロードキャスティングする登録ＢＬＥデバイスの識別情報（例えば、デバイスＩＤ、Ｓ／Ｎ、ＭＡＣ address）を受信することができる。
【０５１７】
そのとき、本発明の一実施による携帯端末１００は、登録ＢＬＥデバイスの識別情報をadvertising packet形態で受信することもできる。例えば、携帯端末１００は、advertising packetのＵＵＩＤフィールドまたはＭＳＤフィールドに挿入された登録ＢＬＥデバイスの識別情報（例えば、ＢＬＥ＿motion＿００３）を受信することができる。
【０５１８】
段階５８６０で、携帯端末１００は、登録ＢＬＥデバイスの識別情報に対応するモード情報を確認することができる。例えば、携帯端末１００は、登録ＢＬＥデバイスの識別情報を利用して、モード情報目録を検索することができる。そのとき、携帯端末１００は、登録ＢＬＥデバイスの識別情報とマッピングされて保存された少なくとも１つのモード情報を抽出することができる。
【０５１９】
本発明の一実施形態による携帯端末１００は、登録ＢＬＥデバイスの識別情報に対応するモード情報を、メモリ１６０で抽出することもでき、携帯端末１００と連携された外部サーバ（例えば、クラウドサーバ）からモード情報を受信することもできる。
【０５２０】
段階５８７０で、携帯端末１００は、確認されたモード情報によって、携帯端末１００のモードを自動的に設定することができる。本発明の一実施形態による携帯端末１００は、確認されたモード情報によって、通信モードを変更することができる。本発明の一実施形態による通信モードにはＷｉ−Ｆｉモード、ブルートゥース・モード、ＧＰＳ（global positioning system）モードなどがあるが、それらに限定されるものではない。
【０５２１】
例えば、家の玄関扉に付着された登録ＢＬＥデバイスの識別情報と、Ｗｉ−Ｆｉ活性化モードとがマッピングされている場合、携帯端末１００は、家の玄関扉に付着された登録ＢＬＥデバイスの識別情報が受信されれば、Ｗｉ−Ｆｉモジュールを活性化することができる。
【０５２２】
一方、家の玄関扉に付着された登録ＢＬＥデバイスの識別情報と、Ｗｉ−Ｆｉ非活性化モードとがマッピングされている場合、携帯端末１００は、家の玄関扉に付着された登録ＢＬＥデバイスの識別情報が受信されれば、Ｗｉ−Ｆｉモジュールを非活性化することができる。
【０５２３】
また、家の玄関扉に付着された登録ＢＬＥデバイスの識別情報と、ブルートゥース活性化モードまたはＧＰＳ非活性化モードとがマッピングされている場合、携帯端末１００は、家の玄関扉に付着された登録ＢＬＥデバイスの識別情報が受信されれば、ブルートゥース・モジュールを活性化したり、あるいはＧＰＳモジュールを非活性化することができる。
【０５２４】
一方、本発明の一実施形態による携帯端末１００は、登録ＢＬＥデバイスの識別情報だけではなく、携帯端末１００の位置情報（例えば、ＧＰＳ情報またはＷｉ−Ｆｉ情報など）を利用して、携帯端末１００のモードをさらに正確なモードに変更することができる。
【０５２５】
本発明の一実施形態による携帯端末１００は、確認されたモード情報によって、携帯端末１００の音響出力モードまたは振動モードを調節することもできる。例えば、事務室の机に付着された登録ＢＬＥデバイスの識別情報と振動モードとがマッピングされている場合、携帯端末１００は、事務室の机に付着された登録ＢＬＥデバイスの識別情報が受信されれば、音響出力モードを振動モードに変更することができる。また、携帯端末１００は、確認されたモード情報を基に、携帯端末１００の音響出力強度または振動強度を調節することもできる。
【０５２６】
本発明の一実施形態による携帯端末１００は、確認されたモード情報を基に、携帯端末１００のモードを、飛行機搭乗モードまたは運転モードに設定することもできる。飛行機搭乗モードである場合、携帯端末１００は、外部と通信連結を自動的に遮断することができる。運転モードである場合、携帯端末１００は、ナビゲーション・アプリケーションを自動的に実行することができる。
【０５２７】
本発明の一実施形態による携帯端末１００は、確認されたモード情報を基に、既定の外部機器とデータを送受信するデータ送受信モードを設定することもできる。例えば、書斎に付着された登録ＢＬＥデバイスの識別情報と、データ送受信モードとがマッピングされている場合、携帯端末１００は、書斎に付着された登録ＢＬＥデバイスの識別情報が受信されれば、既定の外部機器（例えば、個人化サーバ）とデータを送受信し、自動的にデータを同期化することができる。
【０５２８】
一方、１つの登録ＢＬＥデバイスに係わる複数のモード情報が存在する場合、本発明の一実施形態による携帯端末１００は、登録ＢＬＥデバイスから識別情報が受信された時間情報をさらに考慮し、携帯端末１００のモードを設定することもできる。
例えば、第１モード情報（午前７時３０分に識別情報が受信される場合、「Ｗｉ−Ｆｉ非活性モード及び振動モードに設定」）、第２モード情報（午後４時に識別情報が受信される場合、「Ｗｉ−Ｆｉ活性化モードに設定」）、及び第３モード情報（午後９時に識別情報が受信される場合、「音響出力モード設定」）が、玄関扉に付着された１つのＢＬＥデバイスの識別情報（例えば、TAG Ｓ／Ｎ：SAMSUNG＿ＢＬＥ＿ITEM１０１）とマッピングされている。そのとき、ユーザが携帯端末１００を所持した状態で、朝７時３０分に出勤する場合、携帯端末１００は、玄関扉に付着された登録ＢＬＥデバイスの識別情報が受信されれば、第１モード情報によって、Ｗｉ−Ｆｉモジュールを非活性化させ、音響出力モードを振動モードに変更することができる。
【０５２９】
図５９Ａないし図５９Ｃは、本発明の一実施形態に係わるモード設定画面を示す図面である。
【０５３０】
図５９Ａに図示されているように、携帯端末１００は、登録ＢＬＥデバイス目録を提供することができる。そのとき、携帯端末１００は、登録ＢＬＥデバイス目録のうち、車に付着された登録ＢＬＥデバイス５９１０についてのユーザの選択を感知することができる。
【０５３１】
図５９Ｂに図示されているように、携帯端末１００は、ユーザの選択に応答し、車に付着された登録ＢＬＥデバイス５９１０のプロファイル情報を提供することができる。プロファイル情報は、固有識別情報（例えば、デバイスＩＤ、Ｓ／Ｎ、ＭＡＣ addressなど）、属性情報（例えば、外観の色相情報、image情報、センサ情報など）、及びユーザ追加情報（例えば、ユーザによって設定されたＩＤ、ニックネーム、カテゴリー、メモなど）のうち少なくとも一つを含んでもよい。本発明の一実施形態による携帯端末１００は、車に付着された登録ＢＬＥデバイス５９１０のプロファイル情報と共に、モード設定ボタン５９２０を提供することもできる。
【０５３２】
図５９Ｃに図示されているように、携帯端末１００は、ユーザが、モード設定ボタン５９２０を選択する場合、モード設定ウィンドーを提供することができる。ユーザは、モード設定ウィンドーを介して、車に付着された登録ＢＬＥデバイス５９１０とマッピングして設定しようとする携帯端末１００のモードを選択することができる。例えば、ユーザは、ＧＰＳモードを選択することができる。その場合、携帯端末１００は、車に付着された登録ＢＬＥデバイス５９１０の識別情報と、ＧＰＳモードとをマッピングし、車に付着された登録ＢＬＥデバイス５９１０に係わるモード情報として、メモリ１６０に保存することができる。
【０５３３】
後で車に付着された登録ＢＬＥデバイス５９１０の識別情報が受信される場合、携帯端末１００は、ＧＰＳモジュールを自動的に活性化することができる。
【０５３４】
車に付着された登録ＢＬＥデバイス５９１０の識別情報と、「ブルートゥース活性化モード」、「音楽アプリケーション実行モード」、「ナビゲーション実行モード」とがマッピングされている場合、携帯端末１００は、車に付着された登録ＢＬＥデバイス５９１０の識別情報が受信されれば、ブルートゥース・モジュールを活性化し、音楽アプリケーションを実行し、ナビゲーション・アプリケーションを実行することができる。そのとき、本発明の一実施形態による携帯端末１００は、車に付着された登録ＢＬＥデバイス５９１０の識別情報を、advertising packet形態で受信することができる。以下では、ＢＬＥデバイス２００がブロードキャストするadvertising packetのデータフォーマットについてさらに説明する。
【０５３５】
図６０は、本発明の一実施形態に係わるＢＬＥデバイスでブロードキャストするadvertisingデータパケットのデータフォーマットを示す図面である。
【０５３６】
図６０に図示されたデータフォーマット６０００は、ＢＬＥデバイス２００でブロードキャストするadvertisingデータパケットのうち、ヘッダ部分を除いたペイロード（payload）部分を示すも。本発明の一実施形態によるadvertisingデータパケットのペイロードに含まれるＡＤ（advertising data）は、３１octets（bytes）で構成される。
【０５３７】
一方、本発明の一実施形態によるadvertisingデータパケットのペイロードには、複数個のＡＤ structureが含まれ、それぞれのＡＤ structureは、length ６０１０部分とdata ６０２０部分とを含む。Length ６０１０部分には、data ６０２０の長さに係わる情報が含まれ、data ６０２０部分には、ＢＬＥデバイス２００がブロードキャストしようとする実質的なデータが含まれる。
【０５３８】
そのとき、本発明の一実施形態によれば、data ６０２０部分は、ＡＤ type ６０２１とＡＤ data ６０２２とを含んでもよい。ＡＤ type ６０２１には、ＡＤ data ６０２２の種類を識別するための値が挿入される。図４７を参照して、ＡＤ type ６０２１についてさらに説明する。
【０５３９】
図６１は、本発明の一実施形態に係わるＡＤタイプ（advertising data type）について説明するための図面である。
【０５４０】
図６１に図示されているように、advertisingデータパケットに含まれるＡＤ type ６１２０は、多様である。例えば、ＡＤタイプ ６１２０には、＜＜flags＞＞、≪incomplete list of １６−bit service class ＵＵＩＤｓ≫、≪complete list of １６−bit service class ＵＵＩＤｓ≫、≪incomplete list of ３２−bit service class ＵＵＩＤｓ≫、≪complete list of ３２−bit service class ＵＵＩＤｓ≫、≪incomplete list of １２８−bit service class ＵＵＩＤｓ≫、≪complete list of １２８−bit service class ＵＵＩＤｓ≫、≪shortened local name≫、≪complete local name≫、≪ＴＸ power level≫、≪class of device≫、≪simple pairing hash Ｃ≫、≪simple pairing randomizer Ｒ≫、≪device ＩＤ≫、≪security manager ＴＫ value≫、≪security manager out of band flags≫、≪slave connection interval range≫、≪list of １６−bit service solicitation ＵＵＩＤｓ≫、≪list of １２８−bit service solicitation ＵＵＩＤｓ≫、≪service data≫、≪public target address≫、≪random target address≫、≪appearance≫、≪manufacturer specific data≫などがある。
【０５４１】
一方、それぞれのＡＤタイプ ６１２０は、既設定のvalue ６１１０で表現され、value ６１１０は、advertisingデータパケットに挿入され、スキャナ（例えば、携帯端末１００）がＡＤタイプ ６１２０を識別することができる。一方、当業者は、図６１に図示された表から、ＡＤタイプの定義６１３０を明確に知ることができるので、ＡＤタイプの定義６１３０に係わる具体的な説明は省略する。
【０５４２】
図６２Ａ及び図６２Ｂは、本発明の一実施形態によるＢＬＥデバイスでブロードキャストするデータについて説明するための図面である。
【０５４３】
図６２Ａ及び図６２Ｂに図示されているように、ＢＬＥデバイス２００は、特定ＡＤタイプを利用して、必要なデータをブロードキャストすることができる。例えば、ＢＬＥデバイス２００が、三星電子株式会社で製作したスマートフォンである場合、ＢＬＥデバイス２００は、ＴＸ power level（例えば、＋４ｄＢｍ）、shortened local name（例えば、ＧＴ−Ｎ８０００、Samsung Mobile）、class of device（例えば、major：phone、minor：smart phone、service ：object transfer）、random target address（例えば、Samsung Mobile）、list of service solicitation（例えば、０Ｘ１１０５）、manufacturer specific data＜＜protocol＞＞（例えば、０Ｘ００７５：三星電子を示す既定義コード）、manufacturer specific data＜＜capability＞＞（例えば、ＯＸ００ｆｆ：Bluetooth（登録商標） ＢＲ／ＥＤＲ、Bluetooth（登録商標） ＡＭＰ、Bluetooth（登録商標） ＬＥ、ＷｉＦｉ、ＷｉＦｉ direct、ＷｉＦｉ display、ＤＬＳＮ（All-share）、ＮＦＣ、ＲＦＩＤを支援）、manufacturer specific data＜＜sensor＞＞（例えば、０Ｘ０６００００２４：temperature ３６℃）、manufacturer specific data＜＜others＞＞（例えば、ＢＬＥデバイス２００の現在状態を示すsilent mode、screen rotation、power saving、notification、mobile data、driving mode、Ｓｙｎｃ mode、privacy／flight modeなど）などをadvertisingデータパケットに含め、ブロードキャストすることができる。
【０５４４】
そのとき、ＡＤ長の限界が３１bytesであるため、ＢＬＥデバイス２００は、必須dataのみをadvertisingデータパケットを利用してブロードキャストし、local nameと共に、副次的なデータ（optional data）は、ＳＣＡＮ＿ＲＳＰを介して追加返答することもできる。また、本発明の一実施形態によるadvertisingデータパケットは、暗号化フィールドをさらに含んでもよい。
【０５４５】
一方、本発明の一実施形態によるＢＬＥデバイス２００は、属性情報（例えば、ＢＬＥデバイス２００が含むセンサ情報、またはＢＬＥデバイス２００の外観色相情報）をadvertisingデータパケットを介してブロードキャスティングすることができる。
【０５４６】
例えば、ＢＬＥデバイス２００が温度センサを含む青色のタグである場合、ＢＬＥデバイス２００は、属性情報を示す識別情報（例えば、「SAMSUNG＿Ｔｅｍｐ＿TAG００１＿blue」）をＵＵＩＤフィールドまたはＭＳＤフィールドに含めて外部にブロードキャストすることができる。
【０５４７】
本発明の他の実施例によれば、ＢＬＥデバイス２００は、センサを介して測定されたセンシング情報をＭＳＤフィールドに含めてブロードキャスティングすることもできる。例えば、ＢＬＥデバイス２００が温度センサを含んでおり、温度センサによって測定された現在温度が３６℃である場合、ＢＬＥデバイス２００は、manufacturer specific data＜＜sensor＞＞フィールドに、温度が３６℃であることを示すコード（「０Ｘ０６００００２４」）を挿入してブロードキャストすることができる。
【０５４８】
一方、本発明の一実施形態によるＢＬＥデバイス２００は、プライバシーのために、ブルートゥース・デバイス・アドレス（ＢＤ＿ＡＤＤＲ）、ＭＡＣアドレス（ＭＡＣ address）の代わりに、ランダム・デバイス・アドレス（random device address）を利用することもできる。また、本発明の一実施形態によるＢＬＥデバイス２００は、advertisingパケットをブロードキャストする前に、white／black目録をあらかじめ構成し、許容されていないアドレスの装置が伝送する連結要請（connect request）を無視することもできる。また、ＢＬＥデバイス２００は、内外部サーバを介して、スキャナ（例えば、携帯端末１００）に係わる認証手続きをさらに進め、保安を強化することもできる。一方、携帯端末１００も、内外部サーバを介して、ＢＬＥデバイス２００に係わる認証手続きを進めることもできる。
【０５４９】
一方、本発明の一実施形態によるＢＬＥデバイス２００は、静止、移動（徒歩または差）などＢＬＥデバイス２００の状態によって、advertising周期（advertising interval）を調節し、携帯端末１００との連結性を高めることができる。例えば、ＢＬＥデバイス２００は、睡眠モード（sleep mode）では、advertising周期（advertising interval）を長くし、移動中では、advertising周期（advertising interval）を短く変更することができる。
【０５５０】
また、本発明の一実施形態によるＢＬＥデバイス２００は、状況別に、伝送パワーレベル（ＴＸ power level）を調節することもできる。例えば、ＢＬＥデバイス２００は、保安が必要なデータをブロードキャストする場合、伝送パワーレベル（ＴＸ power level）を低くすることができる。
【０５５１】
図６３は、advertisingデータパケットの一例を示す図面である。
【０５５２】
図６３に図示されたＡＤ（advertising data）の長さは、トータルで２９bytesである。ＡＤ（０Ｘ００００ＦＦＦＦ０４０２０１ＦＦ０３００７５ＦＦ０３８４０Ａ０２３０３０３０３８４Ｅ５Ｆ５４７１０８０９０４０１０２）を後から解析すれば、２９bytesのＡＤ（advertising data）は、トータルで６個のＡＤ structureに区分される。
【０５５３】
最初のＡＤ structure（１）で、「０２」は、ＡＤ typeとＡＤ dataとのlength（２bytes）を示し、「０１」は、ＡＤ type（flags）を示し、「０４」は、実質的なデータ（ＬＥとＢＲ／ＥＤＲとを同時可能（host））を示す。
【０５５４】
２番目のＡＤ structure（２）で、「０９」は、ＡＤ typeとＡＤ dataとのlength（９bytes）を示し、「０８」は、ＡＤ type（shortened local name）を示し、「７１ ５４ ５Ｆ ４Ｅ ３８ ３０ ３０ ３０」は、実質的なデータ（ＧＴＮ８０００）を示す。
【０５５５】
３番目のＡＤ structure（３）で、「０２」は、ＡＤ typeとＡＤ dataとのlength（２bytes）を示し、「０Ａ」は、ＡＤ type（Ｔｘ power level）を示し、「８４」は、実質的なデータ（１３２（＋４ｄＢｍ））を示す。
【０５５６】
４番目のＡＤ structure（４）で、「０３」は、ＡＤ typeとＡＤ dataとのlength（３bytes）を示し、「ＦＦ」は、ＡＤ typeを示し、「７５００」は、実質的なデータ（company ＩＤ：０Ｘ００７５＝Samsung Electronics）を示す。
【０５５７】
５番目のＡＤ structure（５）で、「０３」は、ＡＤ typeとＡＤ dataとのlength（３bytes）を示し、「ＦＦ」は、ＡＤ typeを示し、「０１ ０２」は、実質的なデータ（protocol ＩＤ：０Ｘ０２０１）を示す。
【０５５８】
６番目のＡＤ structure（６）で、「０４」は、ＡＤ typeとＡＤ dataとのlength（４bytes）を示し、「ＦＦ」は、ＡＤ typeを示し、「ＦＦ ００ ００」は、実質的なデータ（capability state：０Ｘ００００ＦＦ＝Bluetooth（登録商標） ＢＲ／ＥＤＲ、Bluetooth（登録商標） ＡＭＰ、Bluetooth（登録商標） ＬＥ、ＷｉＦｉ、ＷｉＦｉ direct、ＷｉＦｉ display、ＤＬＳＮ（all-share）、ＮＦＣ、ＲＦＩＤを支援）を示す。
【０５５９】
本発明の一実施形態による方法は、多様なコンピュータ手段を介して遂行されるプログラム命令形態で具現され、コンピュータ判読可能媒体に記録される。前記コンピュータ判読可能媒体は、プログラム命令、データファイル、データ構造などを、単独または組み合わせて含んでもよい。前記媒体に記録されるプログラム命令は、本発明のために特別に設計されて構成されたものや、コンピュータ・ソフトウェア当業者に公知されて使用可能なものでもある。コンピュータ可読記録媒体の例としては、ハードディスク、フロッピー（登録商標）ディスク及び磁気テープのような磁気媒体（magnetic media）；ＣＤ（compact disc）−ＲＯＭ（read-only memory）、ＤＶＤ（digital versatile disc）のような光記録媒体（optical media）、フロプティカル・ディスク（floptical disk）のような磁気・光媒体（magneto-optical media）；及びＲＯＭ（read-only memory）、ＲＡＭ（random-access memory）、フラッシュメモリのようなプログラム命令を保存して遂行するように特別に構成されたハードウェア装置が含まれる。プログラム命令の例としては、コンパイラによって作われるような機械語コードだけではなく、インタープリタなどを使用して、コンピュータによって実行される高級言語コードを含む。
【０５６０】
以上、本発明の実施形態でついて詳細に説明したが、本発明の権利範囲は、それらに限定されるものではなく、特許請求の範囲で定義している本発明の基本概念を利用した当業者のさまざまな変形及び改良の形態も本発明の権利範囲に属する。
【産業上の利用可能性】
【０５６１】
本発明の情報提供方法及びそのための携帯端末は、例えば、情報提供関連の技術分野に効果的に適用可能である。
【符号の説明】
【０５６２】
３０  ＳＳＰ
３１  センサハブ
３２  ＳＳＰマネージャ
１００  携帯端末
１１０  通信部
１２０  出力部
１３０  ユーザ入力部
１４０  Ａ／Ｖ入力部
１５０  制御部
１６０  メモリ
２００  ＢＬＥデバイス
【図１】
2014110637.tif 000003
【図２】
2014110637.tif 000004
【図３】
2014110637.tif 000005
【図４Ａ】
2014110637.tif 000006
【図４Ｂ】
2014110637.tif 000007
【図５】
2014110637.tif 000008
【図６】
2014110637.tif 000009
【図７】
2014110637.tif 000010
【図８Ａ】
2014110637.tif 000011
【図８Ｂ】
2014110637.tif 000012
【図８Ｃ】
2014110637.tif 000013
【図９Ａ】
2014110637.tif 000014
【図９Ｂ】
2014110637.tif 000015
【図１０】
2014110637.tif 000016
【図１１Ａ】
2014110637.tif 000017
【図１１Ｂ】
2014110637.tif 000018
【図１１Ｃ】
2014110637.tif 000019
【図１２】
2014110637.tif 000020
【図１３Ａ】
2014110637.tif 000021
【図１３Ｂ】
2014110637.tif 000022
【図１４】
2014110637.tif 000023
【図１５】
2014110637.tif 000024
【図１６Ａ】
2014110637.tif 000025
【図１６Ｂ】
2014110637.tif 000026
【図１６Ｃ】
2014110637.tif 000027
【図１６Ｄ】
2014110637.tif 000028
【図１６Ｅ】
2014110637.tif 000029
【図１７】
2014110637.tif 000030
【図１８Ａ】
2014110637.tif 000031
【図１８Ｂ】
2014110637.tif 000032
【図１９Ａ】
2014110637.tif 000033
【図１９Ｂ】
2014110637.tif 000034
【図１９Ｃ】
2014110637.tif 000035
【図２０】
2014110637.tif 000036
【図２１】
2014110637.tif 000037
【図２２Ａ】
2014110637.tif 000038
【図２２Ｂ】
2014110637.tif 000039
【図２２Ｃ】
2014110637.tif 000040
【図２３】
2014110637.tif 000041
【図２４Ａ】
2014110637.tif 000042
【図２４Ｂ】
2014110637.tif 000043
【図２４Ｃ】
2014110637.tif 000044
【図２５】
2014110637.tif 000045
【図２６】
2014110637.tif 000046
【図２７Ａ】
2014110637.tif 000047
【図２７Ｂ】
2014110637.tif 000048
【図２７Ｃ】
2014110637.tif 000049
【図２８Ａ】
2014110637.tif 000050
【図２８Ｂ】
2014110637.tif 000051
【図２９】
2014110637.tif 000052
【図３０Ａ】
2014110637.tif 000053
【図３０Ｂ】
2014110637.tif 000054
【図３０Ｃ】
2014110637.tif 000055
【図３１】
2014110637.tif 000056
【図３２Ａ】
2014110637.tif 000057
【図３２Ｂ】
2014110637.tif 000058
【図３２Ｃ】
2014110637.tif 000059
【図３３】
2014110637.tif 000060
【図３４Ａ】
2014110637.tif 000061
【図３４Ｂ】
2014110637.tif 000062
【図３５】
2014110637.tif 000063
【図３６Ａ】
2014110637.tif 000064
【図３６Ｂ】
2014110637.tif 000065
【図３６Ｃ】
2014110637.tif 000066
【図３７Ａ】
2014110637.tif 000067
【図３７Ｂ】
2014110637.tif 000068
【図３８】
2014110637.tif 000069
【図３９Ａ】
2014110637.tif 000070
【図３９Ｂ】
2014110637.tif 000071
【図３９Ｃ】
2014110637.tif 000072
【図４０】
2014110637.tif 000073
【図４１】
2014110637.tif 000074
【図４２】
2014110637.tif 000075
【図４３Ａ】
2014110637.tif 000076
【図４３Ｂ】
2014110637.tif 000077
【図４３Ｃ】
2014110637.tif 000078
【図４４Ａ】
2014110637.tif 000079
【図４４Ｂ】
2014110637.tif 000080
【図４４Ｃ】
2014110637.tif 000081
【図４５Ａ】
2014110637.tif 000082
【図４５Ｂ】
2014110637.tif 000083
【図４５Ｃ】
2014110637.tif 000084
【図４６】
2014110637.tif 000085
【図４７Ａ】
2014110637.tif 000086
【図４７Ｂ】
2014110637.tif 000087
【図４７Ｃ】
2014110637.tif 000088
【図４７Ｄ】
2014110637.tif 000089
【図４７Ｅ】
2014110637.tif 000090
【図４８Ａ】
2014110637.tif 000091
【図４８Ｂ】
2014110637.tif 000092
【図４８Ｃ】
2014110637.tif 000093
【図４８Ｄ】
2014110637.tif 000094
【図４８Ｅ】
2014110637.tif 000095
【図４９Ａ】
2014110637.tif 000096
【図４９Ｂ】
2014110637.tif 000097
【図４９Ｃ】
2014110637.tif 000098
【図４９Ｄ】
2014110637.tif 000099
【図４９Ｅ】
2014110637.tif 000100
【図５０】
2014110637.tif 000101
【図５１】
2014110637.tif 000102
【図５２Ａ】
2014110637.tif 000103
【図５２Ｂ】
2014110637.tif 000104
【図５２Ｃ】
2014110637.tif 000105
【図５３】
2014110637.tif 000106
【図５４Ａ】
2014110637.tif 000107
【図５４Ｂ】
2014110637.tif 000108
【図５５Ａ】
2014110637.tif 000109
【図５５Ｂ】
2014110637.tif 000110
【図５６】
2014110637.tif 000111
【図５７Ａ】
2014110637.tif 000112
【図５７Ｂ】
2014110637.tif 000113
【図５７Ｃ】
2014110637.tif 000114
【図５８】
2014110637.tif 000115
【図５９Ａ】
2014110637.tif 000116
【図５９Ｂ】
2014110637.tif 000117
【図５９Ｃ】
2014110637.tif 000118
【図６０】
2014110637.tif 000119
【図６１】
2014110637.tif 000120
【図６２Ａ】
2014110637.tif 000121
【図６２Ｂ】
2014110637.tif 000122
【図６３】
2014110637.tif 000123